(57)【要約】      （修正有）【課題】ユーザ機器（ＵＥ）が、特定の測定リソースにおいてより高精度なチャネル品質指標（ＣＱＩ）測定を実行し、特定の送信リソースにおいてより効率的にデータを受信する方法を提供する。【解決手段】情報通知方法は、少なくとも２つのリソースグループ及び複数のリソースグループの各々に対応するチャネル状態情報（ＣＳＩ）構成情報を決定する。ここで、少なくとも２つのリソースグループ及びＣＳＩ構成情報は、ＵＥに通知される必要があり、ＣＳＩ構成情報は、ＣＳＩ候補セットを示すために用いられる。そして、少なくとも２つのリソースグループ及び複数のリソースグループの各々に対応するＣＳＩ構成情報を、ＵＥに通知する。【選択図】図１
2018137800.tif 000002
【特許請求の範囲】
【請求項１】
基地局によって実行される情報通知方法であって、
少なくとも２つのリソースグループ、及び複数の前記リソースグループの各々に対応するチャネル状態情報構成情報（ＣＳＩ構成情報）を決定する段階であって、前記複数のリソースグループの各々はサブフレームセット及びキャリアを有し、前記ＣＳＩ構成情報は、ＣＳＩ候補セットを示すために用いられ、前記ＣＳＩ候補セットは、少なくとも２つの事前設定されたＣＳＩテーブルのうちの一つであり、前記少なくとも２つの事前設定されたＣＳＩテーブルの少なくとも１つは、２５６直交振幅変調方式（ＱＡＭ）を含む、段階と、
前記少なくとも２つのリソースグループ、及び複数の前記リソースグループの各々に対応する前記ＣＳＩ構成情報を、ユーザ機器（ＵＥ）に通知する段階と、
を備える方法。
【請求項２】
前記ＣＳＩテーブルは、ＣＱＩテーブルである、請求項１に記載の方法。
【請求項３】
複数の前記リソースグループの各々は、少なくともＣＳＩ−ＲＳ及びＣＳＩ処理を含み、
前記少なくとも２つのリソースグループにおいて、同じＣＳＩ−ＲＳの異なるＣＳＩ処理を含む複数の前記リソースグループは、同じＣＳＩ構成情報に対応する、請求項１又は２に記載の方法。
【請求項４】
前記方法は、
前記少なくとも２つのリソースグループにないリソースに対応するＣＳＩ構成情報を決定する段階であって、前記ＣＳＩ構成情報は、ＣＳＩ候補セットを示すために用いられる、段階と、
前記少なくとも２つのリソースグループにない前記リソースに対応する前記ＣＳＩ構成情報を前記ＵＥに通知する段階と、
をさらに備える、請求項１から３のいずれか１項に記載の方法。
【請求項５】
ユーザ機器によって実行される情報報告方法であって、
少なくとも２つのリソースグループ、及び複数の前記リソースグループの各々に対応する第１のチャネル状態情報構成情報（第１のＣＳＩ構成情報）を、基地局から受信する段階であって、前記第１のＣＳＩ構成情報は、第１のＣＳＩ候補セットを示すために用いられる、段階と、
複数の前記リソースグループの各々に対応する前記第１のＣＳＩ構成情報に従って、前記第１のＣＳＩ候補セットを決定する段階であって、前記複数のリソースグループの各々は、サブフレームセット及びキャリアを有し、前記第１のＣＳＩ候補セットは、少なくとも２つの事前設定されたＣＳＩテーブルのうちの一つであり、前記少なくとも２つの事前設定されたＣＳＩテーブルの少なくとも１つは、２５６直交振幅変調方式（ＱＡＭ）を含む、段階と、
前記第１のＣＳＩ候補セットを用いることによって、前記リソースグループにおいて、ＣＳＩ測定を実行する段階と、
測定によって得られたＣＳＩを前記基地局に報告する段階と、
を備える、方法。
【請求項６】
前記ＣＳＩテーブルは、ＣＱＩテーブルである、請求項５に記載の方法。
【請求項７】
複数の前記リソースグループの各々は、少なくともＣＳＩ−ＲＳ及びＣＳＩ処理を含み、
前記少なくとも２つのリソースグループにおいて、同じＣＳＩ−ＲＳの異なるＣＳＩ処理を含む複数のリソースグループは、同じＣＳＩ構成情報に対応する、請求項５又は６に記載の方法。
【請求項８】
前記方法は、
前記基地局によって通知され、かつ、前記少なくとも２つのリソースグループにないリソースに対応する第２のＣＳＩ構成情報を受信する段階であって、前記第２のＣＳＩ構成情報は、第２のＣＳＩ候補セットを示すために用いられる、段階と、
前記基地局によって通知され、かつ、前記少なくとも２つのリソースグループにない前記リソースに対応する前記第２のＣＳＩ構成情報に従って、第２のＣＳＩ候補セットを決定し、前記第２のＣＳＩ候補セットを用いることによって、前記少なくとも２つのリソースグループにない前記リソースにおいてＣＳＩ測定を実行し、測定によって得られたＣＳＩを前記基地局に報告する段階、
前記少なくとも２つのリソースグループにないリソースに対応する事前に定められたＣＳＩ構成情報に従って、第２のＣＳＩ候補セットを決定し、前記第２のＣＳＩ候補セットを用いることによって、前記少なくとも２つのリソースグループにない前記リソースにおいて、前記ユーザ機器によってＣＳＩ測定を実行し、測定によって得られたＣＳＩを、前記ユーザ機器によって前記基地局に報告する段階、
又は、
前記少なくとも２つのリソースグループにない前記リソースに対応する事前に定められたＣＳＩ候補セットに従って、前記少なくとも２つのリソースグループにないリソースにおいて、ＣＳＩ測定を実行し、測定によって得られたＣＳＩを、前記ユーザ機器によって前記基地局に報告する段階と、
をさらに備える、請求項５から７のいずれか１項に記載の方法。
【請求項９】
少なくとも２つのリソースグループ、及び複数の前記リソースグループの各々に対応するチャネル状態情報構成情報（ＣＳＩ構成情報）を決定する決定部であって、前記複数のリソースグループの各々はサブフレームセット及びキャリアを有し、前記ＣＳＩ構成情報は、ＣＳＩ候補セットを示すために用いられ、前記ＣＳＩ候補セットは、少なくとも２つの事前設定されたＣＳＩテーブルのうちの一つであり、前記少なくとも２つの事前設定されたＣＳＩテーブルの少なくとも１つは、２５６直交振幅変調方式（ＱＡＭ）を含む、決定部と、
前記少なくとも２つのリソースグループ、及び複数の前記リソースグループの各々に対応する前記ＣＳＩ構成情報を、ユーザ機器（ＵＥ）に通知する通知部と、
を備える基地局。
【請求項１０】
前記ＣＳＩテーブルは、ＣＱＩテーブルである、請求項９に記載の基地局。
【請求項１１】
複数の前記リソースグループの各々は、少なくともＣＳＩ−ＲＳ及びＣＳＩ処理を含み、
前記少なくとも２つのリソースグループにおいて、同じＣＳＩ−ＲＳの異なるＣＳＩ処理を含む複数のリソースグループは、同じＣＳＩ構成情報に対応する、請求項９又は１０に記載の基地局。
【請求項１２】
前記決定部は、さらに、前記少なくとも２つのリソースグループにないリソースに対応するＣＳＩ構成情報を決定し、前記ＣＳＩ構成情報は、ＣＳＩ候補セットを示すために用いられ、
前記通知部は、さらに、前記少なくとも２つのリソースグループにない前記リソースに対応する前記ＣＳＩ構成情報を前記ＵＥに通知する、
請求項９から１１のいずれか１項に記載の基地局。
【請求項１３】
少なくとも２つのリソースグループ、及び複数の前記リソースグループの各々に対応する第１のチャネル状態情報構成情報（第１のＣＳＩ構成情報）を、基地局から受信する受信部であって、前記第１のＣＳＩ構成情報は、第１のＣＳＩ候補セットを示すために用いられる、受信部と、
複数の前記リソースグループの各々に対応する前記第１のＣＳＩ構成情報に従って、前記第１のＣＳＩ候補セットを決定し、前記第１のＣＳＩ候補セットを用いることによって、前記リソースグループにおいてＣＳＩ測定を実行し、測定によって得られたＣＳＩを前記基地局に報告する決定部であって、前記複数のリソースグループの各々はサブフレームセット及びキャリアを有し、前記第１のＣＳＩ候補セットは、少なくとも２つの事前設定されたＣＳＩテーブルのうちの一つであり、前記少なくとも２つの事前設定されたＣＳＩテーブルの少なくとも１つは、２５６直交振幅変調方式（ＱＡＭ）を含む、決定部と、
を備えるユーザ機器。
【請求項１４】
前記ＣＳＩテーブルは、ＣＱＩテーブルである、請求項１３に記載のユーザ機器。
【請求項１５】
複数の前記リソースグループの各々は、少なくともＣＳＩ−ＲＳ及びＣＳＩ処理を含み、
前記少なくとも２つのリソースグループにおいて、同じＣＳＩ−ＲＳの異なるＣＳＩ処理を含む複数のリソースグループは、同じＣＳＩ構成情報に対応する、請求項１３又は１４に記載のユーザ機器。
【請求項１６】
前記受信部は、さらに、前記基地局によって通知され、かつ、前記少なくとも２つのリソースグループにないリソースに対応する第２のＣＳＩ構成情報を受信し、前記第２のＣＳＩ構成情報は、第２のＣＳＩ候補セットを示すために用いられ、
前記決定部は、さらに、前記少なくとも２つのリソースグループにない前記リソースに対応する前記第２のＣＳＩ構成情報に従って、前記第２のＣＳＩ候補セットを決定し、前記第２のＣＳＩ候補セットを用いることによって、前記少なくとも２つのリソースグループにない前記リソースにおいてＣＳＩ測定を実行し、測定によって得られたＣＳＩを前記基地局に報告する、
前記決定部は、さらに、前記少なくとも２つのリソースグループにないリソースに対応する事前に定められたＣＳＩ構成情報に従って、第２のＣＳＩ候補セットを決定し、前記第２のＣＳＩ候補セットを用いることによって、前記少なくとも２つのリソースグループにない前記リソースにおいてＣＳＩ測定を実行し、測定によって得られたＣＳＩを前記基地局に報告する、
又は、
前記決定部は、さらに、前記少なくとも２つのリソースグループにない前記リソースに対応する事前に定められたＣＳＩ候補セットに従って、前記少なくとも２つのリソースグループにないリソースにおいてＣＳＩ測定を実行し、測定によって得られたＣＳＩを前記基地局に報告する、
請求項１３から１５のいずれか１項に記載のユーザ機器。
【請求項１７】
請求項１から４のいずれか１項に記載の方法を基地局として機能するコンピュータに実行させるプログラム。
【請求項１８】
請求項５から８のいずれか１項に記載の方法をユーザ機器として機能するコンピュータに実行させるプログラム。
【発明の詳細な説明】
【技術分野】
【０００１】
本発明は、通信技術分野に関し、詳細には、情報通知、情報報告、ならびにデータ受信方法及びデバイスに関する。
【背景技術】
【０００２】
現在、ロングタームエボリューション（Ｌｏｎｇ  Ｔｅｒｍ  Ｅｖｏｌｕｔｉｏｎ、ＬＴＥ）システムにおける物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）の自己適応手続きは、以下の通りである。ユーザ機器（Ｕｓｅｒ  Ｅｑｕｉｐｍｅｎｔ、ＵＥ）が、チャネル状態情報（Ｃｈａｎｎｅｌ  Ｓｔａｔｅ  Ｉｎｆｏｒｍａｔｉｏｎ、ＣＳＩ）を測定するために用いられるチャネル情報を評価し、ＵＥは、推定によって得られたチャネル情報に従って最適なランク指標（Ｒａｎｋ  Ｉｎｄｉｃａｔｉｏｎ、ＲＩ）及び最適なプリコーディングマトリックス指標（Ｐｒｅｃｏｄｉｎｇ  Ｍａｔｒｉｘ  Ｉｎｄｉｃａｔｉｏｎ、ＰＭＩ）を算出し、ＵＥは、推定によって得られたチャネル情報に従って、最適ＲＩ及び最適ＰＭＩに基づく信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）を算出し、ＵＥは、算出によって得られたＳＩＮＲを４ビットのチャネル品質指標（Ｃｈａｎｎｅｌ  Ｑｕａｌｉｔｙ  Ｉｎｄｉｃａｔｏｒ、ＣＱＩ）に量子化し、ＵＥは、ＰＭＩ、ＲＩ、及びＣＱＩの値を進化型ＮｏｄｅＢ（ｅｖｏｌｖｅｄ  ＮｏｄｅＢ、ｅＮＢ）に報告し、ｅＮＢは、ＵＥによって報告されたＲＩ及びＰＭＩに従って、ＵＥに送信されたＰＤＳＣＨのフロー数及びプリコーディングマトリックスを決定し、ｅＮＢは、ＰＤＳＣＨによって現在用いられている変調及び符号化方式を示すために用いられる変調及び符号化方式（Ｍｏｄｕｌａｔｉｏｎ  ａｎｄ  Ｃｏｄｉｎｇ  Ｓｃｈｅｍｅ、ＭＣＳ）を、ＵＥによって報告されたＣＱＩ値及びネットワーク状況に従ってＵＥに割り当て、ＵＥは、ＭＣＳに従ってＰＤＳＣＨデータを受信する。ＳＩＮＲをＣＱＩに量子化する上述の処理の間、ＳＩＮＲのメインインターバルは（−７ｄＢ，１９．４８８ｄＢ）であり、このインターバル内に入らないＳＩＮＲは、飽和方式（ｓａｔｕｒａｔｅｄ  ｍａｎｎｅｒ）で処理される。
【０００３】
リレー（Ｒｅｌａｙ）又はＬＴＥホットスポット改善（ＬＴＥ  Ｈｏｔｓｐｏｔ  Ｉｍｐｒｏｖｅｍｅｎｔｓ、ＬＴＥ−Ｈｉ）状況のようなホットスポット状況において、ＵＥによって得られた全てのＳＩＮＲ値は、相対的に大きい。例えば、特定の条件下において、ＵＥのほぼ５０％のＳＩＮＲ値は、２０ｄＢを上回る。しかしながら、ＳＩＮＲをＣＱＩに量子化する処理の間、上述されたメインインターバルの最大値より大きいＳＩＮＲ値は飽和方式で処理され、飽和方式での処理に対応するＣＱＩの指標は１５であるため、ＵＥは、その指標が１５であるＣＱＩに対応する変調及び符号化方式のみを選択可能であり、これにより、ＵＥがより高い変調次数の変調及び符号化方式を選択することを防止し、システム性能にさらに影響を与える。
【０００４】
２５６直交振幅変調方式（Ｑｕａｄｒａｔｕｒｅ  Ａｍｐｌｉｔｕｄｅ  Ｍｏｄｕｌａｔｉｏｎ、ＱＡＭ）の導入後、上述された問題は解消可能となり、すなわち、ＳＩＮＲが相対的に高い場合のシステム性能が改善可能となっている。しかしながら、２５６ＱＡＭの導入後、ＣＱＩを示し、かつＭＣＳを示すために用いられる複数のテーブルも、ＳＩＮＲが相対的に高い場合をサポートすべく、概して拡大する。例えば、ＣＱＩテーブルは、４ビット（ｂｉｔ）ＣＱＩテーブルから５ビットＣＱＩテーブルに変化し、ＭＣＳテーブルは、５ビットＭＣＳテーブルから６ビットＭＣＳテーブルに変化する。これにより、ＣＱＩフィードバックのオーバヘッドが増大すると共に、ＭＣＳ指標のオーバヘッドが増大する。他の方法は、ＣＱＩテーブル及びＭＣＳテーブルのサイズを変更することなく低ＳＩＮＲに対応するエントリを削除することであり、これにより、ＣＱＩテーブル及びＭＣＳテーブルによってサポートされる複数のＳＩＮＲの範囲を絞り込む。例えば、ＳＩＮＲは、僅かに干渉されたサブフレームにおいて極めて高く、ＳＩＮＲは、著しく干渉されたサブフレームにおいて極めて低い。同じＵＥに対して、複数の異なるサブフレームにおけるＳＩＮＲの可変範囲は極めて広く、これにより、上述のＣＱＩテーブル及びＭＣＳテーブルを用いることでは、全てのサブフレームにおけるＳＩＮＲの可変範囲を満たせない。
【発明の概要】
【０００５】
本発明は、情報通知、情報報告、ならびにデータ受信方法及びデバイスを提供し、これにより、ＵＥが、特定の測定リソースにおいてより高精度なＣＱＩ測定を実行し、又は、ＵＥが、特定の送信リソースにおいてより効率的にデータを受信する。
【０００６】
第１の態様によれば、本発明の実施形態は、情報通知方法を提供し、方法は、
少なくとも２つのリソースグループ、及び複数のリソースグループの各々に対応するチャネル状態情報ＣＳＩ構成情報を決定する段階であって、少なくとも２つのリソースグループ及びＣＳＩ構成情報は、ユーザ機器ＵＥに通知される必要があり、ＣＳＩ構成情報は、ＣＳＩ候補セットを示すために用いられる、段階と、
少なくとも２つのリソースグループ、及び複数のリソースグループの各々に対応するＣＳＩ構成情報を、ＵＥに通知する段階と、
を含む。
【０００７】
第１の態様を参照すると、第１の実装可能態様において、ＣＳＩは、チャネル品質指標情報ＣＱＩ、及び／又はプリコーディングマトリックス指標ＰＭＩ、及び／又はランク指標ＲＩを含む。
【０００８】
第１の態様を参照すると、又は第１の態様の第１の実装可能態様を参照すると、第２の実装可能態様において、ＣＳＩ候補セットは、事前設定されたＣＳＩテーブル又は事前設定されたＣＳＩテーブルにおけるエントリ候補からなるセットを含む。
【０００９】
第１の態様の第２の実装可能態様を参照すると、第３の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００１０】
第１の態様の第２の実装可能態様を参照すると、又は第１の態様の第３の実装可能態様を参照すると、第４の実装可能態様において、ＣＳＩテーブルは、ＣＱＩテーブル、ＰＭＩテーブル、又はＲＩテーブルである。
【００１１】
第１の態様を参照すると、第５の実装可能態様において、複数のリソースグループの各々は、
サブフレーム、サブフレームセット、リソースブロック、リソースブロックセット、キャリア、キャリアセット、チャネル状態情報ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つ又はこれらのうち少なくとも２つの任意の組み合わせを含む。
【００１２】
第２の態様によれば、本発明の実施形態は、情報報告方法を提供し、方法は、
少なくとも２つのリソースグループ、及び複数のリソースグループの各々に対応するＣＳＩ構成情報を受信する段階であって、少なくとも２つのリソースグループ及びＣＳＩ構成情報は、基地局によって通知され、ＣＳＩ構成情報は、ＣＳＩ候補セットを示すために用いられる、段階と、
基地局によって通知され、かつ、複数のリソースグループの各々に対応するＣＳＩ構成情報に従って、ＣＳＩ候補セットを決定し、ＣＳＩ候補セットを用いることによって、リソースグループにおいてＣＳＩ測定を実行し、測定によって得られたＣＳＩを基地局に報告する段階と、
を含む。
【００１３】
第２の態様を参照すると、第１の実装可能態様において、ＣＳＩは、チャネル品質指標情報ＣＱＩ、及び／又はプリコーディングマトリックス指標ＰＭＩ、及び／又はランク指標ＲＩを含む。
【００１４】
第２の態様を参照すると、又は第２の態様の第１の実装可能態様を参照すると、第２の実装可能態様において、ＣＳＩ候補セットは、事前設定されたＣＳＩテーブル又は事前設定されたＣＳＩテーブルにおけるエントリ候補からなるセットを含む。
【００１５】
第２の態様の第２の実装可能態様を参照すると、第３の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００１６】
第２の態様の第２の実装可能態様を参照すると、又は第２の態様の第３の実装可能態様を参照すると、第４の実装可能態様において、ＣＳＩテーブルは、ＣＱＩテーブル、ＰＭＩテーブル、又はＲＩテーブルである。
【００１７】
第２の態様を参照すると、第５の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００１８】
第３の態様によれば、本発明の実施形態は、情報通知方法を提供し、方法は、
ユーザ機器ＵＥに通知される必要があり、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を決定する段階であって、ＣＳＩ構成情報は、ＣＳＩ候補セットを示すために用いられる、段階と、
ＣＳＩがＰＵＳＣＨ報告モードに基づいて報告される場合及びＣＳＩがＰＵＣＣＨ報告モードに基づいて報告される場合にそれぞれ対応するＣＳＩ構成情報を、ＵＥに通知する段階と、
を含む。
【００１９】
第３の態様を参照すると、第１の実装可能態様において、方法は、ユーザ機器ＵＥに通知される必要がある少なくとも２つのリソースグループを決定すし、少なくとも２つのリソースグループをＵＥに通知する段階をさらに含み、ＵＥに通知される必要があり、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を決定する段階は、ＵＥに通知される必要があり、かつ、ＰＵＳＣＨ報告モードに基づいて少なくとも２つのリソースグループのＣＳＩが報告される場合に対応するＣＳＩ構成情報と、ＵＥに通知される必要があり、かつ、ＰＵＣＣＨ報告モードに基づいて少なくとも２つのリソースグループのＣＳＩが報告される場合に対応するＣＳＩ構成情報とを決定する段階を含み、
ＣＳＩがＰＵＳＣＨ報告モードに基づいて報告される場合及びＣＳＩがＰＵＣＣＨ報告モードに基づいて報告される場合にそれぞれ対応するＣＳＩ構成情報を、ＵＥに通知する段階は、ＰＵＳＣＨ報告モードに基づいて少なくとも２つのリソースグループのＣＳＩが報告される場合に対応するＣＳＩ構成情報及びＰＵＣＣＨ報告モードに基づいて少なくとも２つのリソースグループのＣＳＩが報告される場合に対応するＣＳＩ構成情報を、ＵＥに通知する段階を含む。
【００２０】
第３の態様を参照すると、又は第３の態様の第１の実装可能態様を参照すると、第２の実装可能態様において、ＣＳＩは、チャネル品質指標情報ＣＱＩ、及び／又はプリコーディングマトリックス指標ＰＭＩ、及び／又はランク指標ＲＩを含む。
【００２１】
第３の態様を参照すると、又は第３の態様の第１の実装可能態様を参照すると、又は第３の態様の第２の実装可能態様を参照すると、第３の実装可能態様において、ＣＳＩ候補セットは、事前設定されたＣＳＩテーブル又は事前設定されたＣＳＩテーブルにおけるエントリ候補からなるセットを含む。
【００２２】
第３の態様の第３の実装可能態様を参照すると、第４の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００２３】
第３の態様の第３の実装可能態様を参照すると、又は第３の態様の第４の実装可能態様を参照すると、第５の実装可能態様において、ＣＳＩテーブルは、ＣＱＩテーブル、ＰＭＩテーブル、又はＲＩテーブルである。
【００２４】
第３の態様を参照すると、第６の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００２５】
第４の態様によれば、本発明の実施形態は、情報報告方法を提供し、方法は、
基地局によって通知され又は事前に定められ、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を取得する段階であって、ＣＳＩ構成情報は、ＣＳＩ候補セットを示すために用いられる、段階と、
ＣＳＩ構成情報に従って対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得し、対応するＣＳＩを基地局に報告する段階と、
を含む。
【００２６】
第４の態様を参照すると、第１の実装可能態様において、方法は、基地局によって通知された少なくとも２つのリソースグループを取得する段階をさらに含み、
基地局によって通知され又は事前に定められ、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を取得する段階は、基地局によって通知され又は事前に定められ、かつ、ＰＵＳＣＨ報告モードに基づいて少なくとも２つのリソースグループのＣＳＩが報告される場合に対応するＣＳＩ構成情報と、基地局によって通知され又は事前に定められ、かつ、ＰＵＣＣＨ報告モードに基づいて少なくとも２つのリソースグループのＣＳＩが報告される場合に対応するＣＳＩ構成情報とを取得する段階を含み、
ＣＳＩ構成情報に従って対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得する段階は、ＰＵＳＣＨ報告モードに基づいて少なくとも２つのリソースグループのＣＳＩが報告される場合に対応するＣＳＩ構成情報に従って対応するＣＳＩ候補セットを個別に決定し、対応するＣＳＩ候補セットを用いることによって、ＰＵＳＣＨ報告モードに基づいて報告される必要がある少なくとも２つのリソースグループのＣＳＩを個別に取得する段階と、及び／又はＰＵＣＣＨに基づいて少なくとも２つのリソースグループのＣＳＩが報告される場合に対応するＣＳＩ構成情報に従って対応するＣＳＩ候補セットを個別に決定し、対応するＣＳＩ候補セットを用いることによって、ＰＵＣＣＨ報告モードに基づいて報告される必要がある少なくとも２つのリソースグループのＣＳＩを個別に取得する段階と、を含む。
【００２７】
第４の態様を参照すると、又は第４の態様の第１の実装可能態様を参照すると、第２の実装可能態様において、ＣＳＩは、チャネル品質指標情報ＣＱＩ、及び／又はプリコーディングマトリックス指標ＰＭＩ、及び／又はランク指標ＲＩを含む。
【００２８】
第４の態様を参照すると、又は第４の態様の第１の実装可能態様を参照すると、又は第４の態様の第２の実装可能態様を参照すると、第３の実装可能態様において、ＣＳＩ候補セットは、事前設定されたＣＳＩテーブル又は事前設定されたＣＳＩテーブルにおけるエントリ候補からなるセットを含む。
【００２９】
第４の態様の第３の実装可能態様を参照すると、第４の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００３０】
第４の態様の第３の実装可能態様を参照すると、又は第４の態様の第４の実装可能態様を参照すると、第５の実装可能態様において、ＣＳＩテーブルは、ＣＱＩテーブル、ＰＭＩテーブル、又はＲＩテーブルである。
【００３１】
第４の態様を参照すると、第６の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００３２】
第５の態様によれば、本発明の実施形態は、情報通知方法を提供し、方法は、
ユーザ機器ＵＥに通知される必要がある少なくとも２つのリソースグループを決定し、ユーザ機器ＵＥに通知される必要があり、かつ、データ送信に対応する変調及び符号化方式ＭＣＳ構成情報を決定する段階であって、ＭＣＳ構成情報は、ＭＣＳ候補セットを示すために用いられ、ＭＣＳ構成情報は、複数のリソースグループの各々に対応するＭＣＳ構成情報を含む、段階と、
少なくとも２つのリソースグループをＵＥに通知し、データ送信に対応するＭＣＳ構成情報をＵＥに通知する段階と、
を含む。
【００３３】
第５の態様を参照すると、第１の実装可能態様において、ＭＣＳ候補セットは、事前設定されたＭＣＳテーブル又は事前設定されたＭＣＳテーブルにおけるエントリ候補からなるセットを含む。
【００３４】
第５の態様を参照すると、第２の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００３５】
第６の態様によれば、本発明の実施形態は、データ受信方法を提供し、方法は、
基地局によって通知される少なくとも２つのリソースグループを受信し、基地局によって通知され、かつ、データ送信に対応する変調及び符号化方式ＭＣＳ構成情報を受信する段階であって、ＭＣＳ構成情報は、ＭＣＳ候補セットを示すために用いられ、ＭＣＳ構成情報は、複数のリソースグループの各々に対応する変調及び符号化方式ＭＣＳ構成情報を含む、段階と、
少なくとも２つのリソースグループに対応するＭＣＳ構成情報に従って対応するＭＣＳ候補セットを決定し、決定されたＭＣＳ候補セットに従ってデータ受信を実行する段階と、
を含む。
【００３６】
第６の態様を参照すると、第１の実装可能態様において、ＭＣＳ候補セットは、事前設定されたＭＣＳテーブル又は事前設定されたＭＣＳテーブルにおけるエントリ候補からなるセットを含む。
【００３７】
第６の態様を参照すると、第２の実装可能態様において、決定されたＭＣＳ候補セットに従ってデータ受信を実行する段階は、
データ送信リソースが属するリソースグループに対応するＭＣＳ候補セットに従って、リソースグループにおいて送信されたデータを受信する段階、
又は、
データを受信すべく、事前設定されたルールに従って、リソースグループに対応するＭＣＳ候補セットを選択する段階、
又は、
データを受信すべく、事前設定されたルールに従って、データ送信リソースが属するリソースグループに対応するＭＣＳ候補セットを選択する段階、
又は、
大半のデータ送信リソースを含むリソースグループに対応するＭＣＳ候補セットに従って、データを受信する段階、
を含む。
【００３８】
第７の態様によれば、本発明の実施形態は、情報通知デバイスを提供し、デバイスは、
少なくとも２つのリソースグループ、及び複数のリソースグループの各々に対応するチャネル状態情報ＣＳＩ構成情報を決定するように構成される決定部であって、少なくとも２つのリソースグループ及びＣＳＩ構成情報は、ユーザ機器ＵＥに通知される必要があり、ＣＳＩ構成情報は、ＣＳＩ候補セットを示すために用いられる、決定部と、
少なくとも２つのリソースグループ、及び複数のリソースグループの各々に対応するＣＳＩ構成情報を、ＵＥに通知するように構成される通知部と、
を含む。
【００３９】
第７の態様を参照すると、第１の実装可能態様において、ＣＳＩは、チャネル品質指標情報ＣＱＩ、及び／又はプリコーディングマトリックス指標ＰＭＩ、及び／又はランク指標ＲＩを含む。
【００４０】
第７の態様を参照すると、又は第７の態様の第１の実装可能態様を参照すると、第２の実装可能態様において、ＣＳＩ候補セットは、事前設定されたＣＳＩテーブル又は事前設定されたＣＳＩテーブルにおけるエントリ候補からなるセットを含む。
【００４１】
第７の態様の第２の実装可能態様を参照すると、第３の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００４２】
第７の態様の第２の実装可能態様を参照すると、又は第７の態様の第３の実装可能態様を参照すると、第４の実装可能態様において、ＣＳＩテーブルは、ＣＱＩテーブル、ＰＭＩテーブル、又はＲＩテーブルである。
【００４３】
第７の態様を参照すると、第５の実装可能態様において、複数のリソースグループの各々は、
サブフレーム、サブフレームセット、リソースブロック、リソースブロックセット、キャリア、キャリアセット、チャネル状態情報ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００４４】
第８の態様によれば、本発明の実施形態は、情報報告デバイスを提供し、デバイスは、
少なくとも２つのリソースグループ、及び複数のリソースグループの各々に対応するＣＳＩ構成情報を受信するように構成される受信部であって、少なくとも２つのリソースグループ及びＣＳＩ構成情報は、基地局によって通知され、ＣＳＩ構成情報は、ＣＳＩ候補セットを示すために用いられる、受信部と、
基地局によって通知され、かつ、複数のリソースグループの各々に対応するＣＳＩ構成情報に従ってＣＳＩ候補セットを決定し、ＣＳＩ候補セットを用いることによってリソースグループにおいてＣＳＩ測定を実行し、測定によって得られたＣＳＩを基地局に報告するように構成される決定部と、
を含む。
【００４５】
第８の態様を参照すると、第１の実装可能態様において、ＣＳＩは、チャネル品質指標情報ＣＱＩ、及び／又はプリコーディングマトリックス指標ＰＭＩ、及び／又はランク指標ＲＩを含む。
【００４６】
第８の態様を参照すると、又は第８の態様の第１の実装可能態様を参照すると、第２の実装可能態様において、ＣＳＩ候補セットは、事前設定されたＣＳＩテーブル又は事前設定されたＣＳＩテーブルにおけるエントリ候補からなるセットを含む。
【００４７】
第８の態様の第２の実装可能態様を参照すると、第３の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００４８】
第８の態様の第２の実装可能態様を参照すると、又は第８の態様の第３の実装可能態様を参照すると、第４の実装可能態様において、ＣＳＩテーブルは、ＣＱＩテーブル、ＰＭＩテーブル、又はＲＩテーブルである。
【００４９】
第８の態様を参照すると、第５の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット  のリソースのうちの１つを含む。
【００５０】
第９の態様によれば、本発明の実施形態は、情報通知デバイスを提供し、デバイスは、
ユーザ機器ＵＥに通知される必要があり、かつ物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を決定するように構成される決定部であって、ＣＳＩ構成情報は、ＣＳＩ候補セットを示すために用いられる、決定部と、
ＣＳＩがＰＵＳＣＨ報告モードに基づいて報告される場合及びＣＳＩがＰＵＣＣＨ報告モードに基づいて報告される場合にそれぞれ対応するＣＳＩ構成情報を、ＵＥに通知するように構成される通知部と、
を含む。
【００５１】
第９の態様を参照すると、第１の実装可能態様において、決定部は、ユーザ機器ＵＥに通知される必要がある少なくとも２つのリソースグループを決定し、少なくとも２つのリソースグループをＵＥに通知するようにさらに構成され、
決定部が、ＵＥに通知される必要があり、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を決定することは、ＵＥに通知される必要があり、かつ、ＰＵＳＣＨ報告モードに基づいて少なくとも２つのリソースグループのＣＳＩが報告される場合に対応するＣＳＩ構成情報と、ＵＥに通知される必要があり、かつ、ＰＵＣＣＨ報告モードに基づいて少なくとも２つのリソースグループのＣＳＩが報告される場合に対応するＣＳＩ構成情報とを決定することを含み、
通知部が、ＣＳＩがＰＵＳＣＨ報告モードに基づいて報告される場合及びＣＳＩがＰＵＣＣＨ報告モードに基づいて報告される場合にそれぞれ対応するＣＳＩ構成情報をＵＥに通知することは、ＰＵＳＣＨ報告モードに基づいて少なくとも２つのリソースグループのＣＳＩが報告される場合に対応するＣＳＩ構成情報及びＰＵＣＣＨ報告モードに基づいて少なくとも２つのリソースグループのＣＳＩが報告される場合に対応するＣＳＩ構成情報をＵＥに通知することを含む。
【００５２】
第９の態様を参照すると、又は第９の態様の第１の実装可能態様を参照すると、第２の実装可能態様において、ＣＳＩは、チャネル品質指標情報ＣＱＩ、及び／又はプリコーディングマトリックス指標ＰＭＩ、及び／又はランク指標ＲＩを含む。
【００５３】
第９の態様を参照すると、又は第９の態様の第１の実装可能態様を参照すると、又は第９の態様の第２の実装可能態様を参照すると、第３の実装可能態様において、ＣＳＩ候補セットは、事前設定されたＣＳＩテーブル又は事前設定されたＣＳＩテーブルにおけるエントリ候補からなるセットを含む。
【００５４】
第９の態様の第３の実装可能態様を参照すると、第４の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００５５】
第９の態様の第３の実装可能態様を参照すると、又は第９の態様の第４の実装可能態様を参照すると、第５の実装可能態様において、ＣＳＩテーブルは、ＣＱＩテーブル、ＰＭＩテーブル、又はＲＩテーブルである。
【００５６】
第９の態様を参照すると、第６の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００５７】
第１０の態様によれば、本発明の実施形態は情報報告デバイスを提供し、デバイスは、
基地局によって通知され又は事前に定められ、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を取得するように構成される取得部であって、ＣＳＩ構成情報は、ＣＳＩ候補セットを示すために用いられる、取得部と、
ＣＳＩ構成情報に従って対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得し、対応するＣＳＩを基地局に報告するように構成される報告部と、
を含む。
【００５８】
第１０の態様を参照すると、第１の実装可能態様において、取得部は、基地局によって通知される少なくとも２つのリソースグループを取得するようにさらに構成され、
取得部が、基地局によって通知され又は事前に定められ、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を取得することは、基地局によって通知され又は事前に定められ、かつ、ＰＵＳＣＨ報告モードに基づいて少なくとも２つのリソースグループのＣＳＩが報告される場合に対応するＣＳＩ構成情報と、基地局によって通知され又は事前に定められ、かつ、ＰＵＣＣＨ報告モードに基づいて少なくとも２つのリソースグループのＣＳＩが報告される場合に対応するＣＳＩ構成情報とを取得することを含み、
報告部が、ＣＳＩ構成情報に従って対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得することは、ＰＵＳＣＨ報告モードに基づいて少なくとも２つのリソースグループのＣＳＩが報告される場合に対応するＣＳＩ構成情報に従って対応するＣＳＩ候補セットを個別に決定し、対応するＣＳＩ候補セットを用いることによって、ＰＵＳＣＨ報告モードに基づいて報告される必要がある少なくとも２つのリソースグループのＣＳＩを個別に取得し、及び／又はＰＵＣＣＨに基づいて少なくとも２つのリソースグループのＣＳＩが報告される場合に対応するＣＳＩ構成情報に従って対応するＣＳＩ候補セットを個別に決定し、対応するＣＳＩ候補セットを用いることによって、ＰＵＣＣＨ報告モードに基づいて報告される必要がある少なくとも２つのリソースグループのＣＳＩを個別に取得することを含む。
【００５９】
第１０の態様を参照すると、又は第１０の態様の第１の実装可能態様を参照すると、第２の実装可能態様において、ＣＳＩは、チャネル品質指標情報ＣＱＩ、及び／又はプリコーディングマトリックス指標ＰＭＩ、及び／又はランク指標ＲＩを含む。
【００６０】
第１０の態様を参照すると、第１０の態様の第１の実装可能態様を参照すると、又は第１０の態様の第２の実装可能態様を参照すると、第３の実装可能態様において、ＣＳＩ候補セットは、事前設定されたＣＳＩテーブル又は事前設定されたＣＳＩテーブルにおけるエントリ候補からなるセットを含む。
【００６１】
第１０の態様の第３の実装可能態様を参照すると、第４の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００６２】
第１０の態様の第３の実装可能態様を参照すると、又は第１０の態様の第４の実装可能態様を参照すると、第５の実装可能態様において、ＣＳＩテーブルは、ＣＱＩテーブル、ＰＭＩテーブル、又はＲＩテーブルである。
【００６３】
第１０の態様を参照すると、第６の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００６４】
第１１の態様によれば、本発明の実施形態は、情報通知デバイスを提供し、デバイスは、
ユーザ機器ＵＥに通知される必要がある少なくとも２つのリソースグループを決定し、ユーザ機器ＵＥに通知される必要があり、かつ、データ送信に対応する変調及び符号化方式ＭＣＳ構成情報を決定するように構成される決定部であって、ＭＣＳ構成情報は、ＭＣＳ候補セットを示すために用いられ、ＭＣＳ構成情報は、複数のリソースグループの各々に対応するＭＣＳ構成情報を含む、決定部と、
少なくとも２つのリソースグループをＵＥに通知し、データ送信に対応するＭＣＳ構成情報をＵＥに通知するように構成される通知部と、
を含む。
【００６５】
第１１の態様を参照すると、第１の実装可能態様において、ＭＣＳ候補セットは、事前設定されたＭＣＳテーブル又は事前設定されたＭＣＳテーブルにおけるエントリ候補からなるセットを含む。
【００６６】
第１１の態様を参照すると、第２の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００６７】
第１２の態様によれば、本発明の実施形態は、データ受信デバイスを提供し、デバイスは、
基地局によって通知される少なくとも２つのリソースグループを受信し、基地局によって通知され、かつ、データ送信に対応する変調及び符号化方式ＭＣＳ構成情報を受信するように構成される受信部であって、ＭＣＳ構成情報は、ＭＣＳ候補セットを示すために用いられ、ＭＣＳ構成情報は、複数のリソースグループの各々に対応する変調及び符号化方式ＭＣＳ構成情報を含む、受信部と、
少なくとも２つのリソースグループに対応するＭＣＳ構成情報に従って対応するＭＣＳ候補セットを決定するように構成される決定部と、
を含み、
受信部は、決定されたＭＣＳ候補セットに従ってデータ受信を実行するようにさらに構成される。
【００６８】
第１２の態様を参照すると、第１の実装可能態様において、ＭＣＳ候補セットは、事前設定されたＭＣＳテーブル又は事前設定されたＭＣＳテーブルにおけるエントリ候補からなるセットを含む。
【００６９】
第１２の態様を参照すると、第２の実装可能態様において、受信部が、決定されたＭＣＳ候補セットに従ってデータ受信を実行することは、
データ送信リソースが属するリソースグループに対応するＭＣＳ候補セットに従って、リソースグループにおいて送信されたデータを受信すること、
又は、
データを受信すべく、事前設定されたルールに従って、リソースグループに対応するＭＣＳ候補セットを選択すること、
又は、
データを受信すべく、事前設定されたルールに従って、データ送信リソースが属するリソースグループに対応するＭＣＳ候補セットを選択すること、
又は、
大半のデータ送信リソースを含むリソースグループに対応するＭＣＳ候補セットに従ってデータを受信すること、
を含む。
【００７０】
第１３の態様によれば、本発明の実施形態は、情報通知デバイスを提供し、デバイスは、
少なくとも２つのリソースグループ、及び複数のリソースグループの各々に対応するチャネル状態情報ＣＳＩ構成情報を決定するように構成されるプロセッサであって、少なくとも２つのリソースグループ及びＣＳＩ構成情報は、ユーザ機器ＵＥに通知される必要があり、ＣＳＩ構成情報は、ＣＳＩ候補セットを示すために用いられる、プロセッサと、
少なくとも２つのリソースグループ、及び複数のリソースグループの各々に対応するＣＳＩ構成情報をＵＥに通知するように構成される送信機と、
を含む。
【００７１】
第１３の態様を参照すると、第１の実装可能態様において、ＣＳＩは、チャネル品質指標情報ＣＱＩ、及び／又はプリコーディングマトリックス指標ＰＭＩ、及び／又はランク指標ＲＩを含む。
【００７２】
第１３の態様を参照すると、又は第１３の態様の第１の実装可能態様を参照すると、第２の実装可能態様において、ＣＳＩ候補セットは、事前設定されたＣＳＩテーブル又は事前設定されたＣＳＩテーブルにおけるエントリ候補からなるセットを含む。
【００７３】
第１３の態様の第２の実装可能態様を参照すると、第３の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００７４】
第１３の態様の第２の実装可能態様を参照すると、又は第１３の態様の第３の実装可能態様を参照すると、第４の実装可能態様において、ＣＳＩテーブルは、ＣＱＩテーブル、ＰＭＩテーブル、又はＲＩテーブルである。
【００７５】
第１３の態様を参照すると、第５の実装可能態様において、複数のリソースグループの各々は、
サブフレーム、サブフレームセット、リソースブロック、リソースブロックセット、キャリア、キャリアセット、チャネル状態情報ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００７６】
第１５の態様によれば、本発明の実施形態は、情報報告デバイスを提供し、
送受信機は、少なくとも２つのリソースグループ、及び複数のリソースグループの各々に対応するＣＳＩ構成情報を受信し、少なくとも２つのリソースグループ及びＣＳＩ構成情報は、基地局によって通知され、ＣＳＩ構成情報は、ＣＳＩ候補セットを示すために用いられ、
プロセッサは、基地局によって通知され、かつ、複数のリソースグループの各々に対応するＣＳＩ構成情報に従ってＣＳＩ候補セットを決定し、ＣＳＩ候補セットを用いることによって、リソースグループにおいてＣＳＩ測定を実行し、
送受信機は、測定によってプロセッサによって得られたＣＳＩを、基地局に報告する。
【００７７】
第１５の態様を参照すると、第１の実装可能態様において、ＣＳＩは、チャネル品質指標情報ＣＱＩ、及び／又はプリコーディングマトリックス指標ＰＭＩ、及び／又はランク指標ＲＩを含む。
【００７８】
第１５の態様を参照すると、又は第１５の態様の第１の実装可能態様を参照すると、第２の実装可能態様において、ＣＳＩ候補セットは、事前設定されたＣＳＩテーブル又は事前設定されたＣＳＩテーブルにおけるエントリ候補からなるセットを含む。
【００７９】
第１５の態様の第２の実装可能態様を参照すると、第３の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００８０】
第１５の態様の第２の実装可能態様を参照すると、又は第１５の態様の第３の実装可能態様を参照すると、第４の実装可能態様において、ＣＳＩテーブルは、ＣＱＩテーブル、ＰＭＩテーブル、又はＲＩテーブルである。
【００８１】
第１５の態様を参照すると、第５の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００８２】
第１５の態様によれば、本発明の実施形態は、情報通知デバイスを提供し、デバイスは、
ユーザ機器ＵＥに通知される必要があり、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を決定するように構成されるプロセッサであって、ＣＳＩ構成情報は、ＣＳＩ候補セットを示すために用いられる、プロセッサと、
ＣＳＩがＰＵＳＣＨ報告モードに基づいて報告される場合及びＣＳＩがＰＵＣＣＨ報告モードに基づいて報告される場合にそれぞれ対応するＣＳＩ構成情報を、ＵＥに通知するように構成される送信機と、
を含む。
【００８３】
第１５の態様を参照すると、第１の実装可能態様において、プロセッサは、ユーザ機器ＵＥに通知される必要がある少なくとも２つのリソースグループを決定し、少なくとも２つのリソースグループをＵＥに通知するようにさらに構成され、
プロセッサが、ＵＥに通知される必要があり、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を決定することは、ＵＥに通知される必要があり、かつ、ＰＵＳＣＨ報告モードに基づいて少なくとも２つのリソースグループのＣＳＩが報告される場合に対応するＣＳＩ構成情報と、ＵＥに通知される必要があり、かつ、ＰＵＣＣＨ報告モードに基づいて少なくとも２つのリソースグループのＣＳＩが報告される場合に対応するＣＳＩ構成情報とを決定することを含み、
送信機が、ＣＳＩがＰＵＳＣＨ報告モードに基づいて報告される場合及びＣＳＩがＰＵＣＣＨ報告モードに基づいて報告される場合にそれぞれ対応するＣＳＩ構成情報をＵＥに通知することは、ＰＵＳＣＨ報告モードに基づいて少なくとも２つのリソースグループのＣＳＩが報告される場合に対応するＣＳＩ構成情報と、ＰＵＣＣＨ報告モードに基づいて少なくとも２つのリソースグループのＣＳＩが報告される場合に対応するＣＳＩ構成情報とを、ＵＥに通知することを含む。
【００８４】
第１５の態様を参照すると、又は第１５の態様の第１の実装可能態様を参照すると、第２の実装可能態様において、ＣＳＩは、チャネル品質指標情報ＣＱＩ、及び／又はプリコーディングマトリックス指標ＰＭＩ、及び／又はランク指標ＲＩを含む。
【００８５】
第１５の態様を参照すると、又は第１５の態様の第１の実装可能態様を参照すると、又は第１５の態様の第２の実装可能態様を参照すると、第３の実装可能態様において、ＣＳＩ候補セットは、事前設定されたＣＳＩテーブル又は事前設定されたＣＳＩテーブルにおけるエントリ候補からなるセットを含む。
【００８６】
第１５の態様の第３の実装可能態様を参照すると、第４の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００８７】
第１５の態様の第３の実装可能態様を参照すると、又は第１５の態様の第４の実装可能態様を参照すると、第５の実装可能態様において、ＣＳＩテーブルは、ＣＱＩテーブル、ＰＭＩテーブル、又はＲＩテーブルである。
【００８８】
第１５の態様を参照すると、第６の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００８９】
第１６の態様によれば、本発明の実施形態は、情報報告デバイスを提供し、
プロセッサは、基地局によって通知され又は事前に定められ、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を取得し、ＣＳＩ構成情報は、ＣＳＩ候補セットを示すために用いられ、プロセッサは、ＣＳＩ構成情報に従って対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得し、対応するＣＳＩは、送受信機を用いることによって、基地局に報告される。
【００９０】
第１６の態様を参照すると、第１の実装可能態様において、送受信機は、基地局によって通知される少なくとも２つのリソースグループを取得するようにさらに構成され、
プロセッサが、基地局によって通知され又は事前に定められ、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を取得することは、基地局によって通知され又は事前に定められ、かつ、ＰＵＳＣＨ報告モードに基づいて少なくとも２つのリソースグループのＣＳＩが報告される場合に対応するＣＳＩ構成情報と、基地局によって通知され又は事前に定められ、かつ、ＰＵＣＣＨ報告モードに基づいて少なくとも２つのリソースグループのＣＳＩが報告される場合に対応するＣＳＩ構成情報とを取得することを含み、
送受信機が、ＣＳＩ構成情報に従って対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得することは、ＰＵＳＣＨ報告モードに基づいて少なくとも２つのリソースグループのＣＳＩが報告される場合に対応するＣＳＩ構成情報に従って対応するＣＳＩ候補セットを個別に決定し、対応するＣＳＩ候補セットを用いることによって、ＰＵＳＣＨ報告モードに基づいて報告される必要がある少なくとも２つのリソースグループのＣＳＩを個別に取得し、及び／又はＰＵＣＣＨに基づいて少なくとも２つのリソースグループのＣＳＩが報告される場合に対応するＣＳＩ構成情報に従って、対応するＣＳＩ候補セットを個別に決定し、対応するＣＳＩ候補セットを用いることによって、ＰＵＣＣＨ報告モードに基づいて報告される必要がある少なくとも２つのリソースグループのＣＳＩを個別に取得することを含む。
【００９１】
第１６の態様を参照すると、又は第１６の態様の第１の実装可能態様を参照すると、第２の実装可能態様において、ＣＳＩは、チャネル品質指標情報ＣＱＩ、及び／又はプリコーディングマトリックス指標ＰＭＩ、及び／又はランク指標ＲＩを含む。
【００９２】
第１６の態様を参照すると、又は第１６の態様の第１の実装可能態様を参照すると、又は第１６の態様の第２の実装可能態様を参照すると、第３の実装可能態様において、ＣＳＩ候補セットは、事前設定されたＣＳＩテーブル又は事前設定されたＣＳＩテーブルにおけるエントリ候補からなるセットを含む。
【００９３】
第１６の態様の第３の実装可能態様を参照すると、第４の実装可能態様において、ＣＳＩ構成情報は、ビットマップシグナリングであり、事前設定されたＣＳＩテーブルにおけるエントリ候補からなるセットは、ビットマップシグナリングを用いることによって表される。
【００９４】
第１６の態様の第３の実装可能態様を参照すると、又は第１６の態様の第４の実装可能態様を参照すると、第５の実装可能態様において、ＣＳＩテーブルは、ＣＱＩテーブル、ＰＭＩテーブル、又はＲＩテーブルである。
【００９５】
第１６の態様を参照すると、第６の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００９６】
第１７の態様によれば、本発明の実施形態は、情報通知デバイスを提供し、デバイスは、
ユーザ機器ＵＥに通知される必要がある少なくとも２つのリソースグループを決定し、ユーザ機器ＵＥに通知される必要があり、かつ、データ送信に対応する変調及び符号化方式ＭＣＳ構成情報を決定するように構成されるプロセッサであって、ＭＣＳ構成情報は、ＭＣＳ候補セットを示すために用いられ、ＭＣＳ構成情報は、複数のリソースグループの各々に対応するＭＣＳ構成情報を含む、プロセッサと、
少なくとも２つのリソースグループをＵＥに通知し、データ送信に対応するＭＣＳ構成情報をＵＥに通知するように構成される送信機と、
を含む。
【００９７】
第１７の態様を参照すると、第１の実装可能態様において、ＭＣＳ候補セットは、事前設定されたＭＣＳテーブル又は事前設定されたＭＣＳテーブルにおけるエントリ候補からなるセットを含む。
【００９８】
第１７の態様を参照すると、第２の実装可能態様において、複数のリソースグループの各々は、
サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【００９９】
第１８の態様によれば、本発明の実施形態は、データ受信デバイスを提供し、デバイスは、
基地局によって通知される少なくとも２つのリソースグループを受信し、基地局によって通知され、かつ、データ送信に対応する変調及び符号化方式ＭＣＳ構成情報を受信するように構成される受信機であって、ＭＣＳ構成情報は、ＭＣＳ候補セットを示すために用いられ、ＭＣＳ構成情報は、複数のリソースグループの各々に対応する変調及び符号化方式ＭＣＳ構成情報を含む、受信機と、
少なくとも２つのリソースグループに対応するＭＣＳ構成情報に従って、対応するＭＣＳ候補セットを決定するように構成されるプロセッサと、
を含み、
受信機は、決定されたＭＣＳ候補セットに従って、データ受信を実行するようにさらに構成される。
【０１００】
第１８の態様を参照すると、第１の実装可能態様において、ＭＣＳ候補セットは、事前設定されたＭＣＳテーブル又は事前設定されたＭＣＳテーブルにおけるエントリ候補からなるセットを含む。
【０１０１】
第１８の態様を参照すると、第２の実装可能態様において、受信機が、決定されたＭＣＳ候補セットに従ってデータ受信を実行することは、
データ送信リソースが属するリソースグループに対応するＭＣＳ候補セットに従って、リソースグループにおいて送信されたデータを受信すること、
又は、
データを受信すべく、事前設定されたルールに従って、リソースグループに対応するＭＣＳ候補セットを選択すること、
又は、
データを受信すべく、事前設定されたルールに従って、データ送信リソースが属するリソースグループに対応するＭＣＳ候補セットを選択すること、
又は、
大半のデータ送信リソースを含むリソースグループに対応するＭＣＳ候補セットに従ってデータを受信すること、
を含む。
【０１０２】
本発明の複数の実施形態において、少なくとも２つのリソースグループ、及び複数のリソースグループの各々に対応するチャネル状態情報ＣＳＩ構成情報が決定され、少なくとも２つのリソースグループ及びＣＳＩ構成情報は、ユーザ機器ＵＥに通知される必要があり、ＣＳＩ構成情報は、ＣＳＩ候補セットを示すために用いられ、少なくとも２つのリソースグループ、及び複数のリソースグループの各々に対応するＣＳＩ構成情報は、ＵＥに通知され、これにより、ＵＥは、特定の測定リソースにおいてより高精度なＣＳＩ測定を実行するように制御され得る。
【０１０３】
本発明の複数の実施形態において、少なくとも２つのリソースグループ、及び複数のリソースグループの各々に対応するＣＳＩ構成情報が受信され、少なくとも２つのリソースグループ及びＣＳＩ構成情報は、基地局によって通知され、ＣＳＩ構成情報は、ＣＳＩ候補セットを示すために用いられ、ＣＳＩ候補セットは、基地局によって通知され、かつ、複数のリソースグループの各々に対応するＣＳＩ構成情報に従って決定され、ＣＳＩ測定は、ＣＳＩ候補セットを用いることによって、リソースグループにおいて実行され、測定によって得られたＣＳＩは、基地局に報告される。従って、ＵＥは、特定の測定リソースにおいて、より高精度なＣＳＩ測定及び報告を実行可能である。
【０１０４】
本発明の複数の実施形態において、ユーザ機器ＵＥに通知される必要があり、かつ、物理アップリンク共有チャネルＰＵＳＣＨ報告モードに基づいてＣＱＩが報告される場合及び物理アップリンク制御チャネルＰＵＣＣＨ報告モードに基づいてＣＱＩが報告される場合にそれぞれ対応するＣＳＩ構成情報が決定され、ＣＳＩ構成情報は、ＣＳＩ候補セットを示すために用いられ、ＰＵＳＣＨモードに基づいてＣＱＩが報告される場合及びＰＵＣＣＨモードに基づいてＣＱＩが報告される場合にそれぞれ対応するＣＳＩ構成情報がＵＥに通知され、これにより、ＵＥは、特定の測定リソースにおいて、より高精度なＣＳＩ測定を実行するように制御され得る。
【０１０５】
本発明の複数の実施形態において、基地局によって通知され又は事前に定められ、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報が得られ、ＣＳＩ構成情報は、ＣＳＩ候補セットを示すために用いられ、対応するＣＳＩ候補セットは、ＣＳＩ構成情報に従って個別に決定され、ＰＵＳＣＨ報告モードに基づいて報告される必要があるＣＳＩ及び／又はＰＵＣＣＨ報告モードに基づいて報告される必要があるＣＳＩは、対応するＣＳＩ候補セットを用いることによって個別に取得され、対応するＣＳＩは、基地局に報告される。従って、ＵＥは、特定の測定リソースにおいて、より高精度なＣＳＩ測定及び報告を実行可能である。
【０１０６】
本発明の複数の実施形態において、ユーザ機器ＵＥに通知される必要がある少なくとも２つのリソースグループが決定され、少なくとも２つのリソースグループは、ＵＥに通知され、ユーザ機器ＵＥに通知される必要があり、かつ、データ送信に対応する変調及び符号化方式ＭＣＳ構成情報が決定され、ＭＣＳ構成情報は、ＭＣＳ候補セットを示すために用いられ、ＭＣＳ構成情報は、複数のリソースグループの各々に対応するＭＣＳ構成情報を含み、データ送信に対応するＭＣＳ構成情報は、ＵＥに通知され、これにより、ＵＥは、特定の送信リソースにおいて、より効率的にデータを受信するように制御される。
【０１０７】
本発明の複数の実施形態において、基地局によって通知される少なくとも２つのリソースグループが受信され、基地局によって通知され、かつ、データ送信に対応する変調及び符号化方式ＭＣＳ構成情報が受信され、ＭＣＳ構成情報は、ＭＣＳ候補セットを示すために用いられ、ＭＣＳ構成情報は、複数のリソースグループの各々に対応する変調及び符号化方式ＭＣＳ構成情報を含み、対応するＭＣＳ候補セットは、異なるリソースグループに対応するＭＣＳ構成情報に従って決定され、データ受信は、決定されたＭＣＳ候補セットに従って実行される。従って、ＵＥは、特定の送信リソースにおいて、より効率的にデータを受信する。
【図面の簡単な説明】
【０１０８】
【図１】本発明の実施形態に係る第１の情報通知方法の模式的なフローチャートである。
【０１０９】
【図２】本発明の実施形態に係る第１の情報報告方法の模式的なフローチャートである。
【０１１０】
【図３】本発明の実施形態に係る第２の情報通知方法の模式的なフローチャートである。
【０１１１】
【図４】本発明の実施形態に係る第２の情報報告方法の模式的なフローチャートである。
【０１１２】
【図５】本発明の実施形態に係る第３の情報通知方法の模式的なフローチャートである。
【０１１３】
【図６】本発明の実施形態に係る第３の情報報告方法の模式的なフローチャートである。
【０１１４】
【図７】本発明の実施形態に係る第４の情報通知方法の模式的なフローチャートである。
【０１１５】
【図８】本発明の実施形態に係るデータ受信方法の模式的なフローチャートである。
【０１１６】
【図９】本発明の実施形態に係る第１の情報通知デバイスの模式的な構造図である。
【０１１７】
【図１０】本発明の実施形態に係る第１の情報報告デバイスの模式的な構造図である。
【０１１８】
【図１１】本発明の実施形態に係る第２の情報報告デバイスの模式的な構造図である。
【０１１９】
【図１２】本発明の実施形態に係る第４の情報通知デバイスの模式的な構造図である。
【０１２０】
【図１３】本発明の実施形態に係る第３の情報報告デバイスの模式的な構造図である。
【発明を実施するための形態】
【０１２１】
本発明の複数の実施形態において、異なる変調スキームを含み、異なる範囲の信号対雑音比をサポートする複数のＣＳＩテーブル及び複数のＭＣＳテーブルが、ネットワーク側及びＵＥ側において予め構成され、これにより、ＵＥは、対応するＣＳＩテーブルを用いることによって、特定の測定リソースにおいて高精度なＣＳＩ測定を実行可能となり、又は、対応するＭＣＳテーブルを用いることによって、特定の送信リソースにおいてより効率的にデータを受信可能となる。
【０１２２】
基地局は、少なくとも２つのリソースグループをＵＥに通知し、基地局は、少なくとも２つのリソースグループにそれぞれ対応するＣＳＩ構成情報をＵＥに通知し、これにより、ＵＥは、ＣＳＩ構成情報に従って、少なくとも２つのリソースグループのうち少なくとも１つのリソースグループにおける各リソースに対応するＣＳＩを個別に取得し、ＵＥは、ＣＳＩを基地局に報告する。
【０１２３】
さらに、基地局は、少なくとも２つのリソースグループにないリソースに対応するＣＳＩ構成情報をＵＥに通知し、これにより、ＵＥは、ＣＳＩ構成情報に従って、少なくとも２つのリソースグループにないリソースに対応するＣＳＩを取得し、ＵＥは、ＣＳＩを基地局に報告する。
【０１２４】
代わりに、少なくとも２つのリソースグループにないリソースに対応するＣＳＩ構成情報又はＣＳＩ候補セットが事前に定められ、これにより、ＵＥは、ＣＳＩ構成情報又はＣＳＩ候補セットに従って、少なくとも２つのリソースグループにないリソースに対応するＣＳＩを取得し、ＵＥは、ＣＳＩを基地局に報告する。「事前に定められる」ことは、「事前設定される」ことを意味してよい。
【０１２５】
ＣＳＩは、ＣＱＩ、及び／又はプリコーディングマトリックス指標（ＰＭＩ）、及び／又はランク指標（ＲＩ）を含む。
【０１２６】
ＣＳＩ候補セットは、事前設定されたＣＳＩテーブル又は事前設定されたＣＳＩテーブルにおけるエントリ候補からなるセットを含む。
【０１２７】
ＣＳＩ構成情報は、ビットマップシグナリングであり、事前設定されたＣＳＩテーブルにおけるエントリ候補からなるセットは、ビットマップシグナリングを用いることによって表される。
【０１２８】
ＣＳＩテーブルは、ＣＱＩテーブル、ＰＭＩテーブル、又はＲＩテーブルである。
【０１２９】
本発明の本実施形態において、基地局によってＵＥに通知されるＣＳＩ構成情報は、ＣＱＩ、ＰＭＩ、及びＲＩにおける任意の１つ又は複数のタイプの情報の構成情報であってよく、ＵＥは、ＣＱＩ、ＰＭＩ、及びＲＩにおける任意の１つ又は複数のタイプの情報の構成情報に従って、ＣＱＩ、ＰＭＩ、及びＲＩにおける任意の１つ又は複数のタイプの情報を測定及び報告してよい。従って、事前設定されたＣＳＩテーブルは、ＣＱＩテーブル、ＰＭＩテーブル、及びＲＩテーブルのうち１つ又は複数であってもよい。
【０１３０】
具体的には、リソースグループは、サブフレーム、サブフレームセット、リソースブロック（Ｒｅｓｏｕｒｃｅ  Ｂｌｏｃｋ、ＲＢ）、ＲＢセット、キャリア、キャリアセット、ＣＳＩ処理もしくはＣＳＩ処理セット、チャネル状態情報基準信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）もしくはＣＳＩ−ＲＳセット、又はアクセスポイントもしくはアクセスポイントセットであってよい。代わりに、リソースグループは、サブフレーム、サブフレームセット、リソースブロック、リソースブロックセット、キャリア、キャリアセット、ＣＳＩ処理、ＣＳＩ処理セット、ＣＳＩ−ＲＳ、ＣＳＩ−ＲＳセット、アクセスポイント、及びアクセスポイントセットのうち少なくとも２つの組み合わせであってよい。
【０１３１】
具体的には、キャリアは、コンポーネントキャリア（Ｃｏｍｐｏｎｅｎｔ  Ｃａｒｒｉｅｒ、ＣＣ）、を指してよく、アクセスポイントは、セル、遠隔無線ユニット（Ｒｅｍｏｔｅ  Ｒａｄｉｏ  Ｕｎｉｔ、ＲＲＵ）、遠隔無線ヘッド（Ｒｅｍｏｔｅ  Ｒａｄｉｏ  Ｈｅａｄ、ＲＲＨ）、マクロセル、スモールセル、マイクロセル、ホームｅＮｏｄｅＢ等に対応する基地局を指してよく、ＣＳＩ処理は、パワーがゼロではないＣＳＩ−ＲＳリソース及びＣＳＩ干渉測定（Ｃｈａｎｎｅｌ  Ｓｔａｔｅ  Ｉｎｆｏｒｍａｔｉｏｎ−Ｉｎｔｅｒｆｅｒｅｎｃｅ  Ｍｅａｓｕｒｅｍｅｎｔ、ＣＳＩ−ＩＭ）リソースからなり、ＵＥは、パワーがゼロではないＣＳＩ−ＲＳに従ってダウンリンクチャネルを取得し、ＣＳＩ−ＩＭに従って干渉測定を実行し、ダウンリンクチャネル及び干渉測定結果に従ってＣＳＩを算出し、ＣＳＩを基地局に報告する。
【０１３２】
具体的には、以下の３つのＣＱＩテーブルは、３つの異なるＣＱＩ候補セットをリストアップする。
【表１】
2018137800.tif 000003
【表２】
2018137800.tif 000004
【表３】
2018137800.tif 000005
【０１３３】
上述の例において、３つのＣＱＩテーブル間の差は、以下の点にある。第１のＣＱＩテーブルと比較して、第２のＣＱＩテーブルは、より高い変調次数（２５６ＱＡＭ）の変調スキームを含み、より広範囲な信号対雑音比をサポートする。第１のＣＱＩテーブルと比較して、第３のＣＱＩテーブルは、より高い変調次数（２５６ＱＡＭ）の変調スキームを含む。第３のＣＱＩテーブルと比較して、第２のＣＱＩテーブルは、より広範囲な信号対雑音比をサポート（低信号対雑音比の範囲をサポート）するが、第３のＣＱＩテーブルの量子化精度はより高く、すなわち、隣接するエントリに対応する信号対雑音比間の差がより小さい。
【０１３４】
具体的には、ＣＱＩ候補セットがＭ個の事前設定されたＣＳＩテーブルのうちの１つを含む場合、ＣＱＩ構成情報は、Ｎビットシグナリングであり、Ｍ個の事前設定されたＣＳＩテーブルのうちの１つを示すために用いられ、Ｍは正の整数であり、Ｎはｌｏｇ２（Ｍ）より小さい整数であり、ｌｏｇ２（Ｍ）は、基数２に対する対数Ｍを表す。
【０１３５】
ＣＱＩ候補セットが事前設定されたＣＱＩテーブルにおけるエントリ候補からなるセットを含む場合、ＣＱＩ構成情報は、ビットマップ（ｂｉｔｍａｐ）シグナリングであり、事前設定されたＣＱＩテーブルにおけるエントリ候補からなるセットは、ビットマップシグナリングを用いることによって表される。具体的には、事前設定されたＣＱＩテーブルがＸ個のエントリ候補を有すると仮定すると、ビットマップシグナリングは、Ｙビットを含み、複数のビットの各々は、複数のエントリ候補の少なくとも１つに対応する。ビットマップシグナリングのビットが１である場合、ビットに対応するエントリ候補は、ＣＱＩ候補セットに属し、ビットマップシグナリングのビットが０である場合、ビットに対応するエントリ候補は、ＣＱＩ候補セットに属さず、Ｘは正の整数であり、ＹはＸより小さく又はこれに等しい正の整数である。ＹはＸに等しくてよく、この場合、ビットマップシグナリングの各ビットは、１つのエントリ候補に対応する。又は、ＹはＸより小さくてよく、この場合、ビットマップシグナリングの各ビットは、１つ又は複数のエントリ候補に対応し、ＣＱＩ構成情報のオーバヘッドは低減可能となることに留意されたい。
【０１３６】
具体的には、テーブル４は、２つのアンテナポートに用いられる事前設定されたＰＭＩ及びＲＩテーブルをリストアップする。
【表４】
2018137800.tif 000006
【０１３７】
具体的には、ＰＭＩ及びＲＩ候補セットは、事前設定されたＰＭＩ及びＲＩテーブルにおけるエントリ候補からなるセットを含み、ＰＭＩ及びＲＩ構成情報は、ビットマップ（ｂｉｔｍａｐ）シグナリングであり、事前設定されたＰＭＩ及びＲＩテーブルにおけるエントリ候補からなるセットは、ビットマップシグナリングを用いることによって表される。
【０１３８】
以下の２つのＰＭＩテーブルは、２つのアンテナポート及び１つのデータフローに用いられる２つの異なるＰＭＩ候補セットをリストアップする。
【表５】
2018137800.tif 000007
【表６】
2018137800.tif 000008
【０１３９】
上述の例において、２つのＰＭＩテーブルの間の差は、２つのＰＭＩテーブルが異なるプリコーディングマトリックスを含む点にある。
【０１４０】
具体的には、ＰＭＩ候補セットは、２つの事前設定されたＰＭＩテーブルのうちの１つを含み、ＰＭＩ構成情報は、２ビットシグナリングであり、２つの事前設定されたＰＭＩテーブルのうちの１つを示すために用いられる。
【０１４１】
以下の２つのＲＩテーブルは、４つのアンテナポートに用いられる２つの異なるＲＩ候補セットをリストアップする。
【表７】
2018137800.tif 000009
【表８】
2018137800.tif 000010
【０１４２】
上述の例において、２つのＲＩテーブル間の差は、第２のＲＩテーブルと比較して、第１のＲＩテーブルがより高いランクを含む点にある。
【０１４３】
具体的には、ＲＩ候補セットは、２つの事前設定されたＲＩテーブルのうちの１つを含み、ＲＩ構成情報は、２ビットシグナリングであり、２つの事前設定されたＲＩテーブルのうちの１つを示すために用いられる。
【０１４４】
さらに、基地局は、少なくとも２つのリソースグループにそれぞれ対応するＭＣＳ（変調及び符号化方式、Ｍｏｄｕｌａｔｉｏｎ  ａｎｄ  Ｃｏｄｉｎｇ  Ｓｃｈｅｍｅ）構成情報をＵＥに通知し、これにより、ＵＥは、ＭＣＳ構成情報に従って、データを受信する。
【０１４５】
またさらに、基地局は、少なくとも２つのリソースグループにないリソースに対応するＭＣＳ構成情報をＵＥに通知し、これにより、ＵＥは、ＭＣＳ構成情報に従って、データを受信する。
【０１４６】
代わりに、少なくとも２つのリソースグループにないリソースに対応するＭＣＳ構成情報又はＭＣＳ候補セットは、事前に定められ、これにより、ＵＥは、ＭＣＳ構成情報又はＭＣＳ候補セットに従って、データを受信する。
【０１４７】
具体的には、ＭＣＳ構成情報は、ＭＣＳ候補セットを示すために用いられ、ＭＣＳ候補セットは、ＭＣＳテーブル又はＭＣＳテーブルにおけるエントリ候補からなるセットであってよい。以下の２つのＭＣＳテーブルは、２つの異なるＭＣＳ候補セットをリストアップする。
【表９】
2018137800.tif 000011
【表１０】
2018137800.tif 000012
【０１４８】
上述の例において、２つのＭＣＳテーブル間の差は、第１のＭＣＳテーブルと比較して、第２のＭＣＳテーブルはより高い変調次数（２５６ＱＡＭ）の変調スキームを含む点にある。
【０１４９】
以下、本発明の実施形態において提供される第１の実装態様を紹介する。
【０１５０】
以下、異なる場合に従って具体的な説明をそれぞれ提供すべく、ＣＳＩがＣＱＩを含む例を用い、対応する有益な効果を説明する。ＣＳＩがＰＭＩ又はＲＩを含む場合は本実装態様と同様であり、詳細については再度説明しない。
【０１５１】
例１：リソースグループは、サブフレームセットを指す。
【０１５２】
基地局は、少なくとも２つのサブフレームセットをＵＥに通知し、基地局は、少なくとも２つのサブフレームセットにそれぞれ対応するＣＱＩ構成情報をＵＥに通知し、これにより、ＵＥは、ＣＱＩ構成情報に従って、少なくとも２つのサブフレームセットのうち少なくとも１つのサブフレームセットにおけるＣＱＩ測定基準サブフレームに対応するＣＱＩを個別に取得し、ＵＥは、ＣＱＩを基地局に報告する。ここで、ＣＱＩ測定基準サブフレームは、ＣＱＩ測定の実行に用いられるサブフレームを指す。
【０１５３】
例えば、基地局は、ＵＥに対して２つのサブフレームセットを構成し、２つのサブフレームセットは、それぞれサブフレームセットＡ及びサブフレームセットＢであり、基地局は、サブフレームセットＡに対応するＣＱＩ構成情報及びサブフレームセットＢに対応するＣＱＩ構成情報を、ＵＥに通知する。具体的には、サブフレームセットＡは、僅かに干渉されたサブフレームを含み、サブフレームセットＢは、著しく干渉されたサブフレームを含む。従って、サブフレームセットＡに含まれるサブフレームにおいて送信される信号のＳＩＮＲは、相対的に大きく、サブフレームセットＢに含まれるサブフレームにおいて送信される信号のＳＩＮＲは、相対的に小さい。この場合、サブフレームセットＡに対応するＣＱＩ構成情報は、上述された第２のＣＱＩテーブル又は第３のＣＱＩテーブルのようなＣＱＩテーブルＡを示すために用いられてよく、サブフレームセットＢに対応するＣＱＩ構成情報は、上述された第１のＣＱＩテーブルのようなＣＱＩテーブルＢを示すために用いられてよい。ＣＱＩテーブルＢと比較して、ＣＱＩテーブルＡは、変調次数が６４ＱＡＭより高い、例えば２５６ＱＡＭである変調スキームを含む。
【０１５４】
ＵＥは、基地局によって通知されたＣＱＩ構成情報に従って、２つのサブフレームセットに対応する複数のＣＱＩテーブルを個別に決定し、２つのＣＱＩテーブルに従って、２つのサブフレームセットにおける複数のサブフレームの複数のＣＱＩを個別に測定する。具体的には、ＣＱＩ測定基準サブフレームがサブフレームセットＡに属する場合、ＵＥは、ＣＱＩテーブルＡに従ってＣＱＩを取得し、ＣＱＩ測定基準サブフレームがサブフレームセットＢに属する場合、ＵＥは、ＣＱＩテーブルＢに従ってＣＱＩを取得する。
【０１５５】
さらに、基地局は、少なくとも２つのサブフレームセットにそれぞれ対応するＭＣＳ構成情報をＵＥに通知し、これにより、ＵＥは、ＭＣＳ構成情報に従って、データを受信する。
【０１５６】
具体的には、ＵＥは、データ送信サブフレームが属するサブフレームセットに対応するＭＣＳ構成情報に従って、ＭＣＳ候補セットを決定し、ＭＣＳ候補セットに従って、データを受信する。
【０１５７】
上述の例は、引き続き用いられる。基地局は、サブフレームセットＡに対応するＭＣＳ構成情報及びサブフレームセットＢに対応するＭＣＳ構成情報を、ＵＥに通知する。サブフレームセットＡに対応するＭＣＳ構成情報は、上述された第２のＭＣＳテーブルのようなＭＣＳテーブルＡを示すために用いられてよく、サブフレームセットＢに対応するＭＣＳ構成情報は、上述された第１のＭＣＳテーブルのようなＭＣＳテーブルＢを示すために用いられてよい。ＭＣＳテーブルＢと比較して、ＭＣＳテーブルＡは、変調次数が６４ＱＡＭより高い、例えば２５６ＱＡＭである変調スキームを含む。
【０１５８】
ＵＥは、基地局によって通知されたＭＣＳ構成情報に従って、２つのサブフレームセットに対応する複数のＭＣＳテーブルを個別に決定し、２つのＭＣＳテーブルに従って、２つのサブフレームセットの複数のサブフレームにおいて送信されたデータを個別に受信する。具体的には、データ送信サブフレームがサブフレームセットＡに属する場合、ＵＥは、ＭＣＳテーブルＡに従って、データの変調及び符号化方式を決定し、次にデータを受信し、データ送信サブフレームがサブフレームセットＢに属する場合、ＵＥは、ＭＣＳテーブルＢに従って、データの変調及び符号化方式を決定し、次にデータを受信する。
【０１５９】
さらに、基地局は、少なくとも２つのサブフレームセットにそれぞれ対応するＭＣＳ構成情報をＵＥに通知し、少なくとも２つのサブフレームセットにないサブフレームに対応するＭＣＳ構成情報又はＭＣＳ候補セットは、基地局によってＵＥに通知され、又は事前に定められ、これにより、ＵＥは、ＭＣＳ構成情報に従って、データを受信する。
【０１６０】
具体的には、ＵＥは、データ送信サブフレームが属するサブフレームセットに対応するＭＣＳ構成情報に従って、ＭＣＳ候補セットを決定し、ＭＣＳ候補セットに従って、データを受信する。データ送信サブフレームが少なくとも２つのサブフレームセットのいずれにも属さない場合、ＵＥは、少なくとも２つのサブフレームセットにないサブフレームに対応するＭＣＳ構成情報又はＭＣＳ候補セットに従って、データを受信する。
【０１６１】
上述の例は、引き続き用いられる。基地局は、サブフレームセットＡに対応するＭＣＳ構成情報及びサブフレームセットＢに対応するＭＣＳ構成情報を、ＵＥに通知し、２つのサブフレームセットにないサブフレームに対応するＭＣＳ構成情報又はＭＣＳ候補セットは、基地局によってＵＥに通知され、又は事前に定められる。サブフレームセットＡに対応するＭＣＳ構成情報は、上述された第２のＭＣＳテーブルのようなＭＣＳテーブルＡを示すために用いられてよく、サブフレームセットＢに対応するＭＣＳ構成情報は、上述された第１のＭＣＳテーブルのようなＭＣＳテーブルＢを示すために用いられてよく、２つのサブフレームセットにないサブフレームに対応するＭＣＳ構成情報は、ＭＣＳテーブルＢを示すため、又は、２つのサブフレームセットにないサブフレームに対応するＭＣＳ候補セットが上述された第１のＭＣＳテーブルのようなＭＣＳテーブルＢであることを示すために用いられてよい。ＭＣＳテーブルＢと比較して、ＭＣＳテーブルＡは、変調次数が６４ＱＡＭより高い、例えば２５６ＱＡＭである変調スキームを含む。
【０１６２】
ＵＥは、基地局によって通知されたＭＣＳ構成情報に従って、２つのサブフレームセットに対応する複数のＭＣＳテーブルを個別に決定し、２つのＭＣＳテーブルに従って、２つのサブフレームセットの複数のサブフレームにおいて送信されたデータを個別に受信し、ＵＥは、基地局によってＵＥに通知された又は事前に定められ、かつ２つのサブフレームセットにないサブフレームに対応するＭＣＳ構成情報又はＭＣＳ候補セットに従って、２つのサブフレームセットにないサブフレームに対応するＭＣＳテーブルを決定し、ＭＣＳテーブルに従って、２つのサブフレームセットにないサブフレームにおいて送信されたデータを受信する。具体的には、データ送信サブフレームがサブフレームセットＡに属する場合、ＵＥは、ＭＣＳテーブルＡに従って、データの変調及び符号化方式を決定し、次にデータを受信し、データ送信サブフレームがサブフレームセットＢに属する場合又はサブフレームセットＡにもＢにも属さない場合、ＵＥは、ＭＣＳテーブルＢに従って、データの変調及び符号化方式を決定し、次にデータを受信する。
【０１６３】
この例の有益な効果は、以下の通りである。異なるサブフレームセットの複数のサブフレームにおいて、明確に異なる干渉がＵＥによって受信される複数の信号にもたらされるため、複数の受信信号のＳＩＮＲも、明確に異なる。従って、異なるＣＱＩ構成を用いること、又は異なるＭＣＳ構成を用いることによって、異なるＳＩＮＲインターバルにより良く適応可能となる。さらに、大きいＳＩＮＲは２５６ＱＡＭを含むＣＱＩテーブル及びＭＣＳテーブルを利用可能であるため、システムスループットが大幅に向上可能となる。
【０１６４】
例２：リソースグループは、リソースブロックセットを指す。
【０１６５】
リソースブロックは、サブフレームにおけるリソース単位を指し、１つのサブフレームは、複数のリソースブロックを含んでよい。概して、２つのリソースブロックは、１つのリソースブロックペアを形成してよく、複数のリソースブロックは、１つのリソースブロックグループを形成してよい。本発明において、リソースブロックペア及びリソースブロックグループの両方は、より大きいリソースブロックとみなされてよく、これは、本発明にも適用可能である。本明細書において、リソースブロックペア及びリソースブロックグループの両方は、集合的にリソースブロックと称される。
【０１６６】
基地局は、少なくとも２つのリソースグループセットをＵＥに通知し、基地局は、少なくとも２つのリソースグループセットにそれぞれ対応するＣＱＩ構成情報をＵＥに通知し、これにより、ＵＥは、ＣＱＩ構成情報に従って、少なくとも２つのリソースグループセットの少なくとも１つのリソースブロックセットにおけるリソースブロックに対応するＣＱＩを個別に取得し、ＵＥは、ＣＱＩを基地局に報告する。
【０１６７】
例えば、基地局は、ＵＥに対して２つのリソースブロックセットを構成し、２つのリソースブロックセットは、それぞれリソースブロックセットＡ及びリソースブロックセットＢであり、基地局は、リソースブロックセットＡに対応するＣＱＩ構成情報及びリソースブロックセットＢに対応するＣＱＩ構成情報を、ＵＥに通知する。具体的には、リソースブロックセットＡは、僅かに干渉されたリソースブロックを含み、リソースブロックセットＢは、著しく干渉されたリソースブロックを含む。従って、リソースブロックセットＡに含まれるリソースブロックにおいて送信される信号のＳＩＮＲは、相対的に大きく、リソースブロックセットＢに含まれるリソースブロックにおいて送信される信号のＳＩＮＲは、相対的に小さい。この場合、リソースブロックセットＡに対応するＣＱＩ構成情報は、上述された第２のＣＱＩテーブル又は第３のＣＱＩテーブルのようなＣＱＩテーブルＡを示すために用いられてよく、リソースブロックセットＢに対応するＣＱＩ構成情報は、上述された第１のＣＱＩテーブルのようなＣＱＩテーブルＢを示すために用いられてよい。ＣＱＩテーブルＢと比較して、ＣＱＩテーブルＡは、変調次数が６４ＱＡＭより高い、例えば２５６ＱＡＭである変調スキームを含む。
【０１６８】
ＵＥは、基地局によって通知されたＣＱＩ構成情報に従って、２つのリソースブロックセットに対応する複数のＣＱＩテーブルを個別に決定し、２つのＣＱＩテーブルに従って、２つのリソースブロックセットにおける複数のリソースブロックのＣＱＩを個別に測定する。具体的には、ＣＱＩ測定が実行される必要のあるリソースブロックがリソースブロックセットＡに属する場合、ＵＥは、ＣＱＩテーブルＡに従ってＣＱＩを取得し、ＣＱＩ測定が実行される必要のあるリソースブロックがリソースブロックセットＢに属する場合、ＵＥは、ＣＱＩテーブルＢに従ってＣＱＩを取得する。
【０１６９】
さらに、基地局は、少なくとも２つのリソースグループセットにそれぞれ対応するＭＣＳ構成情報をＵＥに通知し、これにより、ＵＥは、ＭＣＳ構成情報に従って、データを受信する。
【０１７０】
上述の例は、引き続き用いられる。基地局は、リソースブロックセットＡに対応するＭＣＳ構成情報及びリソースブロックセットＢに対応するＭＣＳ構成情報をＵＥに通知する。リソースブロックセットＡに対応するＭＣＳ構成情報は、上述された第２のＭＣＳテーブルのようなＭＣＳテーブルＡを示すために用いられてよく、リソースブロックセットＢに対応するＭＣＳ構成情報は、上述された第１のＭＣＳテーブルのようなＭＣＳテーブルＢを示すために用いられてよい。ＭＣＳテーブルＢと比較して、ＭＣＳテーブルＡは、変調次数が６４ＱＡＭより高い、例えば２５６ＱＡＭである変調スキームを含む。
【０１７１】
ＵＥは、基地局によって通知されたＭＣＳ構成情報に従って、２つのリソースブロックセットにそれぞれ対応する複数のＭＣＳテーブルを個別に決定し、２つのＭＣＳテーブルに従って、２つのリソースブロックセットの複数のリソースブロックにおいて送信されたデータを個別に受信する。
【０１７２】
リソースグループにおいて送信されたデータは、データ送信リソースが属するリソースグループに対応するＭＣＳ候補セットに従って受信される。具体例は、以下の通りである。
【０１７３】
データ送信リソースブロックがリソースブロックセットＡに属する場合、ＵＥは、ＭＣＳテーブルＡに従って、データの変調及び符号化方式を決定し、次にデータを受信する。データ送信リソースブロックがリソースブロックセットＢに属する場合、ＵＥは、ＭＣＳテーブルＢに従って、データの変調及び符号化方式を決定し、次にデータを受信する。
【０１７４】
代わりに、リソースグループに対応するＭＣＳ候補セットは、データを受信すべく、事前設定されたルールに従って選択される。具体的には、例えば、以下の２つの態様が利用可能である。
【０１７５】
態様１：データ送信リソースが属するリソースグループに対応するＭＣＳ候補セットは、データを受信すべく、事前設定されたルールに従って選択される。例えば、シリアルナンバーがデータ送信リソースブロックにおいて最小のリソースブロックがリソースブロックセットＡに属する場合、ＵＥは、ＭＣＳテーブルＡに従って、データの変調及び符号化方式を決定し、次にデータを受信する。シリアルナンバーがデータ送信リソースブロックにおいて最小のリソースブロックがサブフレームセットＢに属する場合、ＵＥは、ＭＣＳテーブルＢに従って、データの変調及び符号化方式を決定し、次にデータを受信する。シリアルナンバーがデータ送信リソースブロックにおいて最小のリソースブロックは、他の事前に定められたリソースブロック、例えば、シリアルナンバーがデータ送信リソースブロックにおいて最大のリソースブロックであってもよいことに留意されたい。
【０１７６】
態様２：データは、大半のデータ送信リソースを含むリソースグループに対応するＭＣＳ候補セットに従って受信される。例えば、リソースブロックセットＡに属し、かつデータ送信リソースブロックにあるリソースブロックの数が、リソースブロックセットＢに属し、かつデータ送信リソースブロックにあるリソースブロックの数より大きい場合、ＵＥは、ＭＣＳテーブルＡに従って、データの変調及び符号化方式を決定し、次にデータを受信する。リソースブロックセットＢに属し、かつデータ送信リソースブロックにあるリソースブロックの数が、リソースブロックセットＡに属し、かつデータ送信リソースブロックにあるリソースブロックの数より大きい場合、ＵＥは、ＭＣＳテーブルＢに従って、データの変調及び符号化方式を決定し、次にデータを受信する。リソースブロックセットＢに属し、かつデータ送信リソースブロックにあるリソースブロックの数が、リソースブロックセットＡに属し、かつデータ送信リソースブロックにあるリソースブロックの数に等しい場合、ＵＥは、事前に定められたＭＣＳテーブルＡ又は事前に定められたＭＣＳテーブルＢに従ってデータの変調及び符号化方式を決定し、次にデータを受信する。
【０１７７】
この例の有益な効果は、以下の通りである。異なるリソースブロックセットの複数のリソースブロックにおいて、明確に異なる干渉がＵＥによって受信される複数の信号にもたらされるため、複数の受信信号のＳＩＮＲも、明確に異なる。従って、異なるＣＱＩ構成を用いること、又は異なるＣＱＩ及びＭＣＳ構成を用いることによって、異なるＳＩＮＲインターバルへのより良い適応が可能となる。さらに、大きいＳＩＮＲは、２５６ＱＡＭを含むＣＱＩテーブル及びＭＣＳテーブルを利用可能であるため、システムスループットが大幅に向上可能となる。
【０１７８】
例３：リソースグループは、キャリア又はキャリアセットを指す。
【０１７９】
複数のキャリアが、通信システム（例えば、ＬＴＥシステム）に存在してよい。リソースグループは、この例においてキャリアを指し、同様に、この例は、リソースグループがキャリアセットを指す場合に拡張可能である。
【０１８０】
基地局は、少なくとも２つのキャリアをＵＥに通知し、基地局は、少なくとも２つのキャリアにそれぞれ対応するＣＱＩ構成情報をＵＥに通知し、これにより、ＵＥは、ＣＱＩ構成情報に従って、少なくとも２つのキャリアのうち少なくとも１つのキャリアに対応するＣＱＩを個別に取得し、ＵＥは、ＣＱＩを基地局に報告する。
【０１８１】
例えば、基地局は、ＵＥに対して２つのキャリアを構成し、２つのキャリアは、それぞれキャリアＡ及びキャリアＢであり、基地局は、キャリアＡに対応するＣＱＩ構成情報及びキャリアＢに対応するＣＱＩ構成情報をＵＥに通知する。具体的には、キャリアＡは、僅かに干渉されたキャリアであり、例えば、隣接セルのキャリアは、新タイプのキャリアであり（新タイプのキャリアは、少数のセル固有基準信号（ｃｅｌｌ  ｓｐｅｃｉｆｉｃ  ｒｅｆｅｒｅｎｃｅ  ｓｉｇｎａｌ、ＣＲＳ）を有するか又はＣＲＳを有さず、従って殆ど干渉が生成されない）、キャリアＢは、著しく干渉されるキャリアである。従って、キャリアＡにおいて送信される信号のＳＩＮＲは相対的に大きく、キャリアＢにおいて送信される信号のＳＩＮＲは相対的に小さい。この場合、キャリアＡに対応するＣＱＩ構成情報は、上述された第２のＣＱＩテーブル又は第３のＣＱＩテーブルのようなＣＱＩテーブルＡを示すために用いられてよく、キャリアＢに対応するＣＱＩ構成情報は、上述された第１のＣＱＩテーブルのようなＣＱＩテーブルＢを示すために用いられてよい。ＣＱＩテーブルＢと比較して、ＣＱＩテーブルＡは、変調次数が６４ＱＡＭより高い、例えば２５６ＱＡＭである変調スキームを含む。
【０１８２】
ＵＥは、基地局によって通知されたＣＱＩ構成情報に従って、２つのキャリアに対応する複数のＣＱＩテーブルを個別に決定し、２つのＣＱＩテーブルに従って、２つのキャリアのＣＱＩを個別に測定する。具体的には、ＣＱＩ測定が実行される必要のあるキャリアがキャリアＡである場合、ＵＥは、ＣＱＩテーブルＡに従ってＣＱＩを取得し、ＣＱＩ測定が実行される必要のあるキャリアがキャリアＢである場合、ＵＥは、ＣＱＩテーブルＢに従って、ＣＱＩを取得する。
【０１８３】
さらに、基地局は、少なくとも２つのキャリアにそれぞれ対応するＭＣＳ構成情報をＵＥに通知し、これにより、ＵＥは、ＭＣＳ構成情報に従って、データを受信する。
【０１８４】
上述の例は、引き続き用いられる。基地局は、キャリアＡに対応するＭＣＳ構成情報及びキャリアＢに対応するＭＣＳ構成情報をＵＥに通知する。キャリアＡに対応するＭＣＳ構成情報は、上述された第２のＭＣＳテーブルのようなＭＣＳテーブルＡを示すために用いられてよく、キャリアＢに対応するＭＣＳ構成情報は、上述された第１のＭＣＳテーブルのようなＭＣＳテーブルＢを示すために用いられてよい。ＭＣＳテーブルＢと比較して、ＭＣＳテーブルＡは、変調次数が６４ＱＡＭより高い、例えば２５６ＱＡＭである変調スキームを含む。
【０１８５】
ＵＥは、基地局によって通知されたＭＣＳ構成情報に従って、２つのキャリアに対応する複数のＭＣＳテーブルを個別に決定し、２つのＭＣＳテーブルに従って、２つのキャリアの複数のサブフレームにおいて送信されたデータを個別に受信する。具体的には、データ送信キャリアがキャリアＡである場合、ＵＥは、ＭＣＳテーブルＡに従って、データの変調及び符号化方式を決定し、次にデータを受信する。データ送信キャリアがキャリアＢである場合、ＵＥは、ＭＣＳテーブルＢに従って、データの変調及び符号化方式を決定し、次にデータを受信する。
【０１８６】
この例の有益な効果は、以下の通りである。異なるキャリアにおいて、明確に異なる干渉がＵＥによって受信される複数の信号にもたらされるため、複数の受信信号のＳＩＮＲも、明確に異なる。従って、異なるＣＱＩ構成を用いること、又は異なるＣＱＩ及びＭＣＳ構成を用いることによって、異なるＳＩＮＲインターバルへのより良い適応が可能となる。さらに、大きいＳＩＮＲは、２５６ＱＡＭを含むＣＱＩテーブル及びＭＣＳテーブルを利用可能であるため、システムスループットが大幅に向上可能となる。
【０１８７】
例４：リソースグループは、ＣＳＩ処理又はＣＳＩ処理セットを指す。
【０１８８】
複数のＣＳＩ処理が、通信システム（例えば、ＬＴＥシステム）に存在してよい。リソースグループは、この例においてＣＳＩ処理を指し、同様に、この例は、リソースグループがＣＳＩ処理セットを指す場合に拡張可能である。
【０１８９】
基地局は、少なくとも２つのＣＳＩ処理をＵＥに通知し、基地局は、少なくとも２つのＣＳＩ処理にそれぞれ対応するＣＱＩ構成情報をＵＥに通知し、これにより、ＵＥは、ＣＱＩ構成情報に従って、少なくとも２つのＣＳＩ処理のうち少なくとも１つのＣＳＩ処理に対応するＣＱＩを個別に取得し、ＵＥは、ＣＱＩを基地局に報告する。
【０１９０】
例えば、基地局は、ＵＥに対して２つのＣＳＩ処理を構成し、２つのＣＳＩ処理は、それぞれＣＳＩ処理Ａ及びＣＳＩ処理Ｂであり、基地局は、ＣＳＩ処理Ａに対応するＣＱＩ構成情報及びＣＳＩ処理Ｂに対応するＣＱＩ構成情報をＵＥに通知する。具体的には、ＣＳＩ処理Ａに含まれるＣＳＩ−ＩＭにおいて測定を実行することによって、殆ど干渉が得られない。例えば、複数の隣接セルがサイレント状態であると仮定する、すなわち、複数の隣接セル間で干渉が生成されないと仮定する。ＣＳＩ処理Ｂに含まれるＣＳＩ−ＩＭにおいて測定を実行することによって、することによって、強い干渉が得られる。例えば、複数の隣接セルがデータ送信状態であると仮定する、すなわち、複数の隣接セル間で干渉が生成されると仮定する。従って、ＣＳＩ処理Ａに従って測定されることにより得られたＳＩＮＲは、相対的に大きく、ＣＳＩ処理Ｂに従って測定されることにより得られたＳＩＮＲは、相対的に小さい。この場合、ＣＳＩ処理Ａに対応するＣＱＩ構成情報は、上述された第２のＣＱＩテーブル又は第３のＣＱＩテーブルのようなＣＱＩテーブルＡを示すために用いられてよく、ＣＳＩ処理Ｂに対応するＣＱＩ構成情報は、上述された第１のＣＱＩテーブルのようなＣＱＩテーブルＢを示すために用いられてよい。ＣＱＩテーブルＢと比較して、ＣＱＩテーブルＡは、変調次数が６４ＱＡＭより高い、例えば２５６ＱＡＭである変調スキームを含む。
【０１９１】
ＵＥは、基地局によって通知されたＣＱＩ構成情報に従って、２つのＣＳＩ処理にそれぞれ対応する複数のＣＱＩテーブルを個別に決定し、２つのＣＱＩテーブルに従って、２つのＣＳＩ処理の複数のＣＱＩを個別に測定する。具体的には、ＣＱＩ測定が実行される必要のあるＣＳＩ処理がＣＳＩ処理Ａである場合、ＵＥは、ＣＱＩテーブルＡに従ってＣＱＩを取得し、ＣＱＩ測定が実行される必要のあるＣＳＩ処理がＣＳＩ処理Ｂである場合、ＵＥは、ＣＱＩテーブルＢに従って、ＣＱＩを取得する。
【０１９２】
さらに、基地局は、少なくとも２つのＣＳＩ処理にそれぞれ対応するＭＣＳ構成情報をＵＥに通知し、これにより、ＵＥは、ＭＣＳ構成情報に従って、データを受信する。
【０１９３】
上述の例は、引き続き用いられる。基地局は、ＣＳＩ処理Ａに対応するＭＣＳ構成情報及びＣＳＩ処理Ｂに対応するＭＣＳ構成情報をＵＥに通知する。ＣＳＩ処理Ａに対応するＭＣＳ構成情報は、上述された第２のＭＣＳテーブルのようなＭＣＳテーブルＡを示すために用いられてよく、ＣＳＩ処理Ｂに対応するＭＣＳ構成情報は、上述された第１のＭＣＳテーブルのようなＭＣＳテーブルＢを示すために用いられてよい。ＭＣＳテーブルＢと比較して、ＭＣＳテーブルＡは、変調次数が６４ＱＡＭより高い、例えば２５６ＱＡＭである変調スキームを含む。
【０１９４】
ＵＥは、基地局によって通知されたＭＣＳ構成情報に従って、２つのＣＳＩ処理にそれぞれ対応する複数のＭＣＳテーブルを個別に決定し、これらのＭＣＳテーブル及び基地局によって送信された動的シグナリングに従って、データを受信する。具体的には、基地局は、動的シグナリングを用いることによって、データ送信に対応するＣＳＩ処理を示す。データ送信に対応するＣＳＩ処理がＣＳＩ処理Ａである場合、ＵＥは、ＭＣＳテーブルＡに従って、データの変調及び符号化方式を決定し、次にデータを受信する。データ送信に対応するＣＳＩ処理がＣＳＩ処理Ｂである場合、ＵＥは、ＭＣＳテーブルＢに従って、データの変調及び符号化方式を決定し、次にデータを受信する。
【０１９５】
代わりに、基地局は、動的シグナリングを用いることによって、データ送信に対応するＭＣＳ構成情報を示し、これにより、ＵＥは、データを受信すべくＭＣＳ構成情報に従って対応するＭＣＳテーブルを決定する、すなわち、基地局は、少なくとも２つのリソースグループ、及び複数のリソースグループの各々に対応するＭＣＳ構成情報を予めＵＥに通知する必要がなく、ＵＥは、データ送信リソースが属するリソースグループを決定する必要もない。この例の有益な効果は、以下の通りである。ＵＥによる測定によって得られる干渉は、異なるＣＳＩ処理に従って明確に異なるため、測定によって得られる複数のＳＩＮＲも、明確に異なる。従って、異なるＣＱＩ構成を用いること、又は異なるＣＱＩ及びＭＣＳ構成を用いることによって、異なるＳＩＮＲインターバルへのより良い適応が可能となる。さらに、大きいＳＩＮＲは、２５６ＱＡＭを含むＣＱＩテーブル及びＭＣＳテーブルを利用可能であるため、システムスループットが大幅に向上可能となる。
【０１９６】
ＬＴＥシステムにおいて、上述の動的シグナリングは、既存のシグナリング「ＰＤＳＣＨ  ＲＥ  Ｍａｐｐｉｎｇ  ａｎｄ  Ｑｕａｓｉ−Ｃｏ−Ｌｏｃａｔｉｏｎ  ｉｎｄｉｃａｔｏｒ」（ＰＤＳＣＨ  ＲＥマッピング及び疑似コロケーション指標、略してＰＱＩ）を再利用してよい。具体的には、基地局は、少なくとも２つのＣＳＩ処理にそれぞれ対応するＭＣＳ構成情報をＵＥに通知し、ＰＤＳＣＨ  ＲＥマッピング及び疑似コロケーション指標（略してＰＱＩ）をＵＥに送信し、これにより、ＵＥは、ＭＣＳ構成情報及びＰＱＩに従って、データを受信する。例えば、ＵＥは、ＰＱＩに従ってＣＳＩ−ＲＳを決定し、ＵＥは、ＣＳＩ−ＲＳを含むＣＳＩ処理がデータ送信に対応するＣＳＩ処理であることを決定し、ＣＳＩ処理に対応するＭＣＳテーブルに従って、データを受信する。
【０１９７】
さらに、ＣＳＩ−ＲＳを含むＣＳＩ処理が２つ又はそれより多く存在する場合、ＵＥは、事前に定められたルールに従って、ＣＳＩ−ＲＳを含む複数のＣＳＩ処理からＣＳＩ−ＲＳを含む１つのＣＳＩ処理を選択し、ＣＳＩ処理に対応するＭＣＳテーブルに従って、データを受信する。具体的には、事前に定められたルールは、以下のいずれか１つであってよい。選択されたＣＳＩ処理に対応するＭＣＳ構成情報のシリアルナンバーは、ＣＳＩ−ＲＳを含む２つ又はそれより多くのＣＳＩ処理に対応するＭＣＳ構成情報のシリアルナンバーの中で最大又は最小である。選択されたＣＳＩ処理のシリアルナンバーは、ＣＳＩ−ＲＳを含む２つ又はそれより多くのＣＳＩ処理のシリアルナンバーの中で最大又は最小である。選択されたＣＳＩ処理に含まれるＣＳＩ−ＩＭのＣＳＩ−ＲＳを含むシリアルナンバーは、２つ又はそれより多くのＣＳＩ処理に含まれるＣＳＩ−ＩＭのシリアルナンバーの中で最大又は最小である。選択されたＣＳＩ処理に対応するＭＣＳ構成情報によって示されるＭＣＳテーブルは、変調次数が６４ＱＡＭより高い変調スキームを含むか、又は変調次数が６４ＱＡＭより高い変調スキームを含まない。
【０１９８】
好ましくは、基地局が少なくとも２つのＣＳＩ処理にそれぞれ対応するＭＣＳ構成情報をＵＥに通知することは、同じＣＳＩ−ＲＳを含む複数のＣＳＩ処理が同じＭＣＳ構成情報に対応することをさらに含む。
【０１９９】
好ましくは、基地局が少なくとも２つのＣＳＩ処理にそれぞれ対応するＣＱＩ構成情報をＵＥに通知することは、同じＣＳＩ−ＲＳを含む複数のＣＳＩ処理が同じＣＱＩ構成情報に対応することをさらに含む。
【０２００】
好ましくは、基地局が少なくとも２つのＣＳＩ処理にそれぞれ対応するＣＳＩ構成情報をＵＥに通知することは、同じＣＳＩ−ＲＳを含む複数のＣＳＩ処理が同じＣＳＩ構成情報に対応することをさらに含む。
【０２０１】
この例の有益な効果は、以下をさらに含む。既存の動的シグナリングを再利用することによって、さらなる動的シグナリングのオーバヘッドが回避される。例５：  リソースグループは、ＣＳＩ−ＲＳ又はＣＳＩ−ＲＳセットを指す。
【０２０２】
複数のＣＳＩ−ＲＳが、通信システム（例えば、ＬＴＥシステム）に存在してよい。リソースグループは、この例においてＣＳＩ−ＲＳを指し、同様に、この例は、リソースグループがＣＳＩ−ＲＳセットを指す場合に拡張可能である。
【０２０３】
基地局は、少なくとも２つのＣＳＩ−ＲＳをＵＥに通知し、基地局は、少なくとも２つのＣＳＩ−ＲＳにそれぞれ対応するＣＱＩ構成情報をＵＥに通知し、これにより、ＵＥは、ＣＱＩ構成情報に従って、少なくとも２つのＣＳＩ−ＲＳのうち少なくとも１つのＣＳＩ−ＲＳに対応するＣＱＩを個別に取得し、ＵＥは、ＣＱＩを基地局に報告する。
【０２０４】
例えば、基地局は、ＵＥに対して２つのＣＳＩ−ＲＳを構成し、２つのＣＳＩ−ＲＳは、それぞれＣＳＩ−ＲＳ  Ａ及びＣＳＩ−ＲＳ  Ｂであり、基地局は、ＣＳＩ−ＲＳ  Ａに対応するＣＱＩ構成情報及びＣＳＩ−ＲＳ  Ｂに対応するＣＱＩ構成情報をＵＥに通知する。具体的には、ＣＳＩ−ＲＳ  Ａに含まれるＣＳＩ−ＩＭにおいて測定を実行することによって、殆ど干渉が得られない。例えば、複数の隣接セルがサイレント状態であると仮定する、すなわち、複数の隣接セル間で干渉が生成されないと仮定する。強い干渉は、ＣＳＩ−ＲＳ  Ｂに含まれるＣＳＩ−ＩＭにおいて測定を実行することによって得られる。例えば、複数の隣接セルがデータ送信状態であると仮定する、すなわち、複数の隣接セル間で干渉が生成されると仮定する。従って、ＣＳＩ―ＲＳ  Ａに従って測定されることにより得られたＳＩＮＲは、相対的に大きく、ＣＳＩ―ＲＳ  Ｂに従って測定されることにより得られたＳＩＮＲは、相対的に小さい。この場合、ＣＳＩ−ＲＳ  Ａに対応するＣＱＩ構成情報は、上述された第２のＣＱＩテーブル又は第３のＣＱＩテーブルのようなＣＱＩテーブルＡを示すために用いられてよく、ＣＳＩ−ＲＳ  Ｂに対応するＣＱＩ構成情報は、上述された第１のＣＱＩテーブルのようなＣＱＩテーブルＢを示すために用いられてよい。ＣＱＩテーブルＢと比較して、ＣＱＩテーブルＡは、変調次数が６４ＱＡＭより高い、例えば２５６ＱＡＭである変調スキームを含む。
【０２０５】
ＵＥは、基地局によって通知されたＣＱＩ構成情報に従って、２つのＣＳＩ−ＲＳにそれぞれ対応する複数のＣＱＩテーブルを個別に決定し、２つのＣＱＩテーブルに従って、２つのＣＳＩ−ＲＳの複数のＣＱＩを個別に測定する。具体的には、ＣＱＩ測定が実行される必要のあるＣＳＩ−ＲＳがＣＳＩ−ＲＳ  Ａである場合、ＵＥは、ＣＱＩテーブルＡに従ってＣＱＩを取得し、ＣＱＩ測定が実行される必要のあるＣＳＩ−ＲＳがＣＳＩ−ＲＳ  Ｂである場合、ＵＥは、ＣＱＩテーブルＢに従って、ＣＱＩを取得する。
【０２０６】
さらに、基地局は、少なくとも２つのＣＳＩ−ＲＳにそれぞれ対応するＭＣＳ構成情報をＵＥに通知し、これにより、ＵＥは、ＭＣＳ構成情報に従って、データを受信する。
【０２０７】
上述の例は、引き続き用いられる。基地局は、ＣＳＩ−ＲＳ  Ａに対応するＭＣＳ構成情報及びＣＳＩ−ＲＳ  Ｂに対応するＭＣＳ構成情報をＵＥに通知する。ＣＳＩ−ＲＳ  Ａに対応するＭＣＳ構成情報は、上述された第２のＭＣＳテーブルのようなＭＣＳテーブルＡを示すために用いられてよく、ＣＳＩ−ＲＳ  Ｂに対応するＭＣＳ構成情報は、上述された第１のＭＣＳテーブルのようなＭＣＳテーブルＢを示すために用いられてよい。ＭＣＳテーブルＢと比較して、ＭＣＳテーブルＡは、変調次数が６４ＱＡＭより高い、例えば２５６ＱＡＭである変調スキームを含む。
【０２０８】
ＵＥは、基地局によって通知されたＭＣＳ構成情報に従って、２つのＣＳＩ−ＲＳにそれぞれ対応する複数のＭＣＳテーブルを個別に決定し、これらのＭＣＳテーブル及び基地局によって送信された動的シグナリングに従って、データを受信する。具体的には、基地局は、動的シグナリングを用いることによって、データ送信に対応するＣＳＩ−ＲＳを示す。データ送信に対応するＣＳＩ−ＲＳがＣＳＩ−ＲＳ  Ａである場合、ＵＥは、ＭＣＳテーブルＡに従って、データの変調及び符号化方式を決定し、次にデータを受信する。データ送信に対応するＣＳＩ−ＲＳがＣＳＩ−ＲＳ  Ｂである場合、ＵＥは、ＭＣＳテーブルＢに従って、データの変調及び符号化方式を決定し、次にデータを受信する。
【０２０９】
代わりに、基地局は、動的シグナリングを用いることによって、データ送信に対応するＭＣＳ構成情報を示し、これにより、ＵＥは、データを受信すべく、ＭＣＳ構成情報に従って対応するＭＣＳテーブルを決定し、ＵＥは、ＣＳＩ−ＲＳカテゴリを決定する必要がない。
【０２１０】
ＬＴＥシステムにおいて、上述の動的シグナリングは、既存のシグナリング「ＰＤＳＣＨ  ＲＥ  Ｍａｐｐｉｎｇ  ａｎｄ  Ｑｕａｓｉ−Ｃｏ−Ｌｏｃａｔｉｏｎ  ｉｎｄｉｃａｔｏｒ」（ＰＤＳＣＨ  ＲＥマッピング及び疑似コロケーション指標）を再利用してよい。
【０２１１】
この例の有益な効果は、以下の通りである。異なるアクセスポイントのダウンリンクチャネルが、異なるＣＳＩ−ＲＳに基づいて測定を実行することによって得られ、異なるアクセスポイントによって送信されたデータの信号対雑音比は、明確に異なる。従って、システムスループットは、異なるＣＱＩ及びＭＣＳテーブルを用いることによって向上可能となる。
【０２１２】
例６：リソースグループは、アクセスポイントもしくはアクセスポイントセットを指す。
【０２１３】
アクセスポイントセットが、例として用いられる。基地局は、少なくとも２つのアクセスポイントセットをＵＥに通知し、基地局は、少なくとも２つのアクセスポイントセットにそれぞれ対応するＣＱＩ構成情報をＵＥに通知し、これにより、ＵＥは、ＣＱＩ構成情報に従って、少なくとも２つのアクセスポイントセットのうち少なくとも１つのアクセスポイントセットの各アクセスポイントに対応するＣＱＩを個別に取得し、ＵＥは、ＣＱＩを基地局に報告する。
【０２１４】
例えば、基地局は、ＵＥに対して２つのアクセスポイントセットを構成し、２つのアクセスポイントセットは、それぞれアクセスポイントセットＡ及びアクセスポイントセットＢであり、基地局は、アクセスポイントセットＡに対応するＣＱＩ構成情報及びアクセスポイントセットＢに対応するＣＱＩ構成情報をＵＥに通知する。具体的には、アクセスポイントセットＡは、僅かに干渉されたアクセスポイントを含み、アクセスポイントセットＢは、著しく干渉されたアクセスポイントを含む。従って、アクセスポイントセットＡに含まれるアクセスポイントにおいて送信された信号のＳＩＮＲは、相対的に大きく、アクセスポイントセットＢに含まれるアクセスポイントにおいて送信された信号のＳＩＮＲは、相対的に小さい。この場合、アクセスポイントセットＡに対応するＣＱＩ構成情報は、上述された第２のＣＱＩテーブル又は第３のＣＱＩテーブルのようなＣＱＩテーブルＡを示すために用いられてよく、アクセスポイントセットＢに対応するＣＱＩ構成情報は、上述された第１のＣＱＩテーブルのようなＣＱＩテーブルＢを示すために用いられてよい。ＣＱＩテーブルＢと比較して、ＣＱＩテーブルＡは、変調次数が６４ＱＡＭより高い、例えば２５６ＱＡＭである変調スキームを含む。
【０２１５】
ＵＥは、基地局によって通知されたＣＱＩ構成情報に従って、２つのアクセスポイントセットに対応する複数のＣＱＩテーブルを個別に決定し、２つのＣＱＩテーブルに従って、２つのアクセスポイントセットの複数のアクセスポイントのＣＱＩを個別に測定する。具体的には、ＣＱＩ測定基準アクセスポイントがアクセスポイントセットＡに属する場合、ＵＥは、ＣＱＩテーブルＡに従ってＣＱＩを取得する。ＣＱＩ測定基準アクセスポイントがアクセスポイントセットＢに属する場合、ＵＥは、ＣＱＩテーブルＢに従ってＣＱＩを取得する。
【０２１６】
さらに、基地局は、少なくとも２つのアクセスポイントセットにそれぞれ対応するＭＣＳ構成情報をＵＥに通知し、これにより、ＵＥは、ＭＣＳ構成情報に従って、データを受信する。
【０２１７】
上述の例は、引き続き用いられる。基地局は、アクセスポイントセットＡに対応するＭＣＳ構成情報及びアクセスポイントセットＢに対応するＭＣＳ構成情報をＵＥに通知する。アクセスポイントセットＡに対応するＭＣＳ構成情報は、上述された第２のＭＣＳテーブルのようなＭＣＳテーブルＡを示すために用いられてよく、アクセスポイントセットＢに対応するＭＣＳ構成情報は、上述された第１のＭＣＳテーブルのようなＭＣＳテーブルＢを示すために用いられてよい。ＭＣＳテーブルＢと比較して、ＭＣＳテーブルＡは、変調次数が６４ＱＡＭより高い、例えば２５６ＱＡＭである変調スキームを含む。
【０２１８】
ＵＥは、基地局によって通知されたＭＣＳ構成情報に従って、２つのアクセスポイントセットに対応する複数のＭＣＳテーブルを個別に決定し、２つのＭＣＳテーブルに従って、２つのアクセスポイントセットの複数のアクセスポイントにおいて送信されたデータを個別に受信する。具体的には、データ送信アクセスポイントがアクセスポイントセットＡに属する場合、ＵＥは、ＭＣＳテーブルＡに従って、データの変調及び符号化方式を決定し、次にデータを受信する。データ送信アクセスポイントがアクセスポイントセットＢに属する場合、ＵＥは、ＭＣＳテーブルＢに従って、データの変調及び符号化方式を決定し、次にデータを受信する。
【０２１９】
この例の有益な効果は、以下の通りである。異なるアクセスポイントによって送信されたデータの信号対雑音比は、明確に異なり、従って、システムスループットは、異なるＣＱＩ及びＭＣＳテーブルを用いることによって向上可能となる。
【０２２０】
例７：リソースグループは、サブフレーム、サブフレームセット、リソースブロック、リソースブロックセット、キャリア、キャリアセット、ＣＳＩ処理、ＣＳＩ処理セット、ＣＳＩ−ＲＳ、ＣＳＩ−ＲＳセット、アクセスポイント、及びアクセスポイントセットのうち少なくとも２つの組み合わせである。
【０２２１】
例えば、リソースグループは、サブフレームセット及びＣＳＩ処理の組み合わせである。基地局は、少なくとも２つのサブフレームセット及び／又は少なくとも２つのＣＳＩ処理をＵＥに通知し、基地局は、複数のサブフレームセット及び複数のＣＳＩ処理の少なくとも２つの組み合わせにそれぞれ対応するＣＱＩ構成情報をＵＥに通知し、これにより、ＵＥは、ＣＱＩ構成情報に従って、複数のサブフレームセット及び複数のＣＳＩ処理の少なくとも２つの組み合わせにそれぞれ対応する複数のＣＱＩを個別に取得し、ＵＥは、複数のＣＱＩを基地局に報告する。
【０２２２】
他の例において、リソースグループは、サブフレームセット、キャリア、及びＣＳＩ処理の組み合わせである。基地局は、少なくとも２つのサブフレームセット、少なくとも２つのキャリア、及び／又は少なくとも２つのＣＳＩ処理をＵＥに通知し、基地局は、複数のサブフレームセット、複数のキャリア、及び複数のＣＳＩ処理の少なくとも２つの組み合わせにそれぞれ対応するＣＱＩ構成情報をＵＥに通知し、これにより、ＵＥは、ＣＱＩ構成情報に従って、複数のサブフレームセット、複数のキャリア、及び複数のＣＳＩ処理の少なくとも２つの組み合わせにそれぞれ対応する複数のＣＱＩを個別に取得し、ＵＥは、複数のＣＱＩを基地局に報告する。
【０２２３】
この例の有益な効果は、以下の通りである。異なるアクセスポイントによって送信されたデータの信号対雑音比は、明確に異なり、従って、異なるＣＱＩ及びＭＣＳテーブルを用いることによって、システムスループットが向上可能となる。
【０２２４】
この例の有益な効果は、以下の通りである。例１から６の有益な効果は、実現可能である。
【０２２５】
例８：リソースグループは、サブフレーム、サブフレームセット、リソースブロック、リソースブロックセット、キャリア、キャリアセット、ＣＳＩ処理、ＣＳＩ処理セット、ＣＳＩ−ＲＳ、ＣＳＩ−ＲＳセット、アクセスポイント、及びアクセスポイントセットのうち少なくとも２つの組み合わせである。
【０２２６】
例えば、リソースグループは、サブフレームセット及びＣＳＩ処理の組み合わせである。基地局は、少なくとも２つのサブフレームセット及び少なくとも２つのＣＳＩ処理をＵＥに通知し、基地局は、少なくとも２つのサブフレームセットにそれぞれ対応するＣＱＩ構成情報及び少なくとも２つのＣＳＩ処理にそれぞれ対応するＣＱＩ構成情報をＵＥに通知し、これにより、ＵＥは、ＣＱＩ構成情報に従って、複数のサブフレームセット及び複数のＣＳＩ処理の少なくとも２つの組み合わせにそれぞれ対応する複数のＣＱＩを個別に取得し、ＵＥは、複数のＣＱＩを基地局に報告する。
【０２２７】
他の例において、リソースグループは、ＣＳＩ処理及びキャリアの組み合わせである。基地局は、少なくとも２つのＣＳＩ処理及び少なくとも２つのキャリアをＵＥに通知し、基地局は、少なくとも２つのＣＳＩ処理にそれぞれ対応するＣＱＩ構成情報及び少なくとも２つのキャリアにそれぞれ対応するＣＱＩ構成情報をＵＥに通知し、これにより、ＵＥは、ＣＱＩ構成情報に従って、複数のＣＳＩ処理及び複数のキャリアの少なくとも２つの組み合わせにそれぞれ対応する複数のＣＱＩを個別に取得し、ＵＥは、複数のＣＱＩを基地局に報告する。
【０２２８】
他の例において、リソースグループは、サブフレームセット及びキャリアの組み合わせである。基地局は、少なくとも２つのサブフレームセット及び少なくとも２つのキャリアをＵＥに通知し、基地局は、少なくとも２つのサブフレームセットにそれぞれ対応するＣＱＩ構成情報及び少なくとも２つのキャリアにそれぞれ対応するＣＱＩ構成情報をＵＥに通知し、これにより、ＵＥは、ＣＱＩ構成情報に従って、複数のサブフレームセット及び複数のキャリアの少なくとも２つの組み合わせにそれぞれ対応する複数のＣＱＩを個別に取得し、ＵＥは、複数のＣＱＩを基地局に報告する。
【０２２９】
他の例において、リソースグループは、サブフレームセット、キャリア、及びＣＳＩ処理の組み合わせである。基地局は、少なくとも２つのサブフレームセット、少なくとも２つのキャリア、及び少なくとも２つのＣＳＩ処理をＵＥに通知し、基地局は、少なくとも２つのサブフレームセットにそれぞれ対応するＣＱＩ構成情報、少なくとも２つのキャリアにそれぞれ対応するＣＱＩ構成情報、及び少なくとも２つのＣＳＩ処理にそれぞれ対応するＣＱＩ構成情報をＵＥに通知し、これにより、ＵＥは、ＣＱＩ構成情報に従って、複数のサブフレームセット、複数のキャリア、及び複数のＣＳＩ処理の少なくとも２つの組み合わせにそれぞれ対応する複数のＣＱＩを個別に取得し、ＵＥは、複数のＣＱＩを基地局に報告する。
【０２３０】
さらに、ＵＥは、事前に定められたルールに従って、上述の組み合わせに対応するＣＱＩを取得する。例えば、組み合わせは、サブフレームセット及びＣＳＩ処理を含む。ＵＥは、基地局によって通知され、かつ、サブフレームセットに対応するＣＱＩ構成情報、及び基地局によって通知され、かつ、ＣＳＩ処理に対応するＣＱＩ構成情報から１つを選択し、構成情報に従ってＣＱＩを決定し、ＣＱＩ構成情報によって示されるＣＱＩテーブルは、変調次数が６４ＱＡＭより高い変調スキームを含むか、又は、変調次数が６４ＱＡＭより高い変調スキームを含まない。
【０２３１】
他の例において、組み合わせは、ＣＳＩ処理及びキャリアを含む。ＵＥは、基地局によって通知され、かつＣＳＩ処理に対応するＣＱＩ構成情報及び基地局によって通知され、かつキャリアに対応するＣＱＩ構成情報から１つを選択し、構成情報に従ってＣＱＩを決定し、構成情報によって示されるＣＱＩテーブルは、変調次数が６４ＱＡＭより高い変調スキームを含むか、又は、変調次数が６４ＱＡＭより高い変調スキームを含まない。
【０２３２】
他の例において、組み合わせは、サブフレームセット及びキャリアを含む。ＵＥは、基地局によって通知され、かつ、サブフレームセットに対応するＣＱＩ構成情報、及び基地局によって通知され、かつ、キャリアに対応するＣＱＩ構成情報から１つを選択し、構成情報に従ってＣＱＩを決定し、構成情報によって示されるＣＱＩテーブルは、変調次数が６４ＱＡＭより高い変調スキームを含むか、又は、変調次数が６４ＱＡＭより高い変調スキームを含まない。
【０２３３】
他の例において、組み合わせは、サブフレームセット、キャリア、及びＣＳＩ処理を含む。ＵＥは、基地局によって通知され、かつ、サブフレームセットに対応するＣＱＩ構成情報、基地局によって通知され、かつ、キャリアに対応するＣＱＩ構成情報、及び基地局によって通知され、かつ、ＣＳＩ処理に対応するＣＱＩ構成情報から１つを選択し、構成情報に従ってＣＱＩを決定し、構成情報によって示されるＣＱＩテーブルは、変調次数が６４ＱＡＭより高い変調スキームを含むか、又は、変調次数が６４ＱＡＭより高い変調スキームを含まない。
【０２３４】
以下、本発明の実施形態において提供される第２の実装態様を紹介する。
【０２３５】
物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）報告モード及び物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）報告モードにそれぞれ対応するＣＱＩ構成情報は、基地局によってＵＥに通知され、又はＵＥによって事前に定められ、これにより、ＵＥは、異なるＣＱＩ構成情報に従って、対応するＣＱＩ候補セットを個別に決定し、対応するＣＱＩ候補セットを用いることによって、ＰＵＳＣＨ報告モードに基づいて報告される必要があるＣＱＩ及び／又はＰＵＣＣＨ報告モードに基づいて報告される必要があるＣＱＩを個別に取得し、対応するＣＱＩを基地局に報告する。異なるＣＱＩ構成情報に従って個別に決定されるＣＱＩ候補セットは、同じであってよく、又は異なってもよい。ＵＥは、ＰＵＳＣＨ報告モードに基づくＣＱＩを報告するためにＰＵＳＣＨを用い、ＵＥは、ＰＵＣＣＨ報告モードに基づくＣＱＩを報告するためにＰＵＣＣＨ又はＰＵＳＣＨを用いてよい。さらに、ＰＵＳＣＨ報告モードは、「非周期的報告モード」と称されてもよく、ＰＵＣＣＨ報告モードは、「周期的報告モード」と称されてもよい。従って、本実施形態は、以下の通り説明されてもよい。非周期的報告モード及び周期的報告モードにそれぞれ対応するＣＱＩ構成情報は、基地局によってＵＥに通知され、又はＵＥによって事前に定められ、これにより、ＵＥは、異なるＣＱＩ構成情報に従って、複数の対応するＣＱＩ候補セットを個別に決定し、対応するＣＱＩ候補セットを用いることによって、非周期的報告モードで報告される必要があるＣＱＩ及び／又は周期的報告モードで報告される必要があるＣＱＩを個別に取得し、対応するＣＱＩを基地局に報告する。異なるＣＱＩ構成情報に従って個別に決定されるＣＱＩ候補セットは、同じであってよく、又は異なってもよい。ＵＥは、非周期的報告モードのＣＱＩを報告するためにＰＵＳＣＨを用い、ＵＥは、周期的報告モードのＣＱＩを報告するためにＰＵＣＣＨ又はＰＵＳＣＨを用いてよい。
【０２３６】
具体的には、ＰＵＳＣＨ報告モードに基づいて報告される少なくとも２つのリソースグループの複数のＣＱＩがＣＱＩテーブルＡを用い、ＰＵＣＣＨ報告モードに基づいて報告される少なくとも２つのリソースグループの複数のＣＱＩがＣＱＩテーブルＢを用いるものと仮定する。ＣＱＩテーブルＢと比較して、ＣＱＩテーブルＡは、より高い変調次数（２５６ＱＡＭ）の変調スキームを含む。さらに、ＣＱＩテーブルＡは、より広範囲な信号対雑音比をサポートし、ＣＱＩテーブルＡは、より多くのエントリを含む。例えば、ＣＱＩテーブルＡは、上述された第２のＣＱＩテーブルであってよい。ＣＱＩテーブルＢは、例えば、上述された第１のＣＱＩテーブルであってよい。具体的には、ＣＱＩテーブルＡは、３２のエントリを有してよく、ＣＱＩテーブルＢは、１６のエントリを有してよい。すなわち、ＰＵＳＣＨに基づいて報告される各ＣＱＩは、最大で５ビットを有し、ＰＵＣＣＨに基づいて報告される各ＣＱＩは、最大で４ビットを有する。
【０２３７】
この実装態様の有益な効果は、以下の通りである。ＰＵＣＣＨにおいて伝送される情報のビット数は、相対的に小さく、厳密に制限され、４ビットＣＱＩテーブルは、ＣＱＩ報告を実行するために用いられ、これによって、ＰＵＣＣＨにおいて伝送される情報のビット数は変化せず、システムに殆ど影響を与えない。ＰＵＳＣＨにおいて伝送される情報のビット数は、相対的に大きく、５ビットＣＱＩテーブルは、ＣＱＩ報告を実行するために用いられ、これによって、ＣＱＩ報告の精度が向上可能となり、システムスループットの増大に寄与する。
【０２３８】
上述された２つの実装態様は、本発明の実施形態において提供される第３の実装態様を得るべく組み合わせられてもよいことに留意されたい。
【０２３９】
すなわち、少なくとも２つのリソースグループの複数のＣＱＩがＰＵＳＣＨに基づいて報告される場合に個別に対応するＣＳＩ構成情報及び少なくとも２つのリソースグループの複数のＣＱＩがＰＵＣＣＨ報告モードに基づいて報告される場合に対応するＣＳＩ構成情報は、基地局によってＵＥに通知され、又はＵＥによって事前に定められ、これにより、ＵＥは、基地局によって通知されたＣＳＩ構成情報に従って、ＰＵＳＣＨ報告モードに基づいて報告される少なくとも２つのリソースグループの複数のＣＱＩ及びＰＵＣＣＨ報告モードに基づいて報告される少なくとも２つのリソースグループの複数のＣＱＩを個別に取得し、ＵＥは、それぞれＰＵＳＣＨに基づいて及びＰＵＣＣＨに基づいて、複数の対応するＣＱＩを基地局に報告し、複数のＣＱＩは、異なるリソースグループに対応する。
【０２４０】
具体的には、ＰＵＳＣＨに基づいて報告されるリソースグループＡのＣＱＩはＣＱＩテーブルＡを用いるものと仮定し、ＰＵＳＣＨに基づいて報告されるリソースグループＢのＣＱＩはＣＱＩテーブルＢを用い、ＰＵＣＣＨ報告モードに基づいて報告される少なくとも２つのリソースグループの複数のＣＱＩも、ＣＱＩテーブルＢを用いるものと仮定する。ＣＱＩテーブルＢと比較して、ＣＱＩテーブルＡは、より高い変調次数（２５６ＱＡＭ）の変調スキームを含む。さらに、ＣＱＩテーブルＡは、より広範囲な信号対雑音比をサポートし、ＣＱＩテーブルＡは、より多くのエントリを含む。例えば、ＣＱＩテーブルＡは、上述された第２のＣＱＩテーブルであってよい。ＣＱＩテーブルＢは、例えば、上述された第１のＣＱＩテーブルであってよい。具体的には、ＣＱＩテーブルＡは、３２のエントリを有してよく、ＣＱＩテーブルＢは、１６のエントリを有してよい。すなわち、ＰＵＳＣＨに基づいて報告される各ＣＱＩは、最大で５ビットを有し、ＰＵＣＣＨに基づいて報告される各ＣＱＩは、最大で４ビットを有する。
【０２４１】
結論として、本発明の複数の実施形態において、４つの情報通知方法が基地局側によって提供され、従って、３つの情報報告方法及び１つのデータ受信方法が、ＵＥ側において提供される。さらに、全ての上述の例の説明において、ＣＳＩ構成情報はＣＱＩ構成情報であり、ＣＳＩ候補セットはＣＱＩ候補セットであり、ＣＱＩ候補セットは、事前設定されたＣＱＩテーブル又は事前設定されたＣＱＩテーブルにおけるエントリ候補からなるセットを含むことに留意されたい。同様に、これは、ＣＳＩ構成情報がＰＭＩ構成情報もしくはＲＩ構成情報である場合、ＣＳＩ候補セットがＰＭＩ候補セットもしくはＲＩ候補セットである場合、及びＰＭＩ候補セットが事前設定されたＰＭＩテーブルもしくは事前設定されたＰＭＩテーブルにおけるエントリ候補からなるセットを含む場合、又はＲＩ候補セットが事前設定されたＲＩテーブルもしくは事前設定されたＲＩテーブルにおけるエントリ候補からなるセットを含む場合にも、適用可能である。
【０２４２】
図１を参照すると、本発明の実施形態は、第１の情報通知方法を提供し、方法は、以下の複数の段階を含む。
【０２４３】
１０１において、少なくとも２つのリソースグループ、及び複数のリソースグループの各々に対応するチャネル品質情報ＣＳＩ構成情報を決定し、少なくとも２つのリソースグループ及びＣＳＩ構成情報は、ユーザ機器ＵＥに通知される必要があり、ＣＳＩ構成情報は、ＣＳＩ候補セットを示すために用いられる。
【０２４４】
１０２において、少なくとも２つのリソースグループ、及び複数のリソースグループの各々に対応するＣＳＩ構成情報を、ＵＥに通知する。
【０２４５】
ＣＳＩは、チャネル品質指標情報ＣＱＩ、及び／又はプリコーディングマトリックス指標ＰＭＩ、及び／又はランク指標ＲＩを含む。
【０２４６】
ＣＳＩ候補セットは、事前設定されたＣＳＩテーブル又は事前設定されたＣＳＩテーブルにおけるエントリ候補からなるセットを含む。
【０２４７】
ＣＳＩ構成情報は、ビットマップシグナリングであり、事前設定されたＣＳＩテーブルにおけるエントリ候補からなるセットは、ビットマップシグナリングを用いることによって表される。
【０２４８】
ＣＳＩテーブルは、ＣＱＩテーブル、ＰＭＩテーブル、又はＲＩテーブルである。
【０２４９】
複数のリソースグループの各々は、
サブフレーム、サブフレームセット、リソースブロック、リソースブロックセット、キャリア、キャリアセット、チャネル状態情報ＣＳＩ処理、ＣＳＩ処理セット、チャネル状態情報基準信号ＣＳＩ−ＲＳ、ＣＳＩ−ＲＳセット、アクセスポイント、及びアクセスポイントセット
のリソースのうちの１つを含む。
【０２５０】
従って、図２を参照すると、本発明の実施形態は、情報報告方法を提供し、方法は、以下の複数の段階を含む。
【０２５１】
２０１において、少なくとも２つのリソースグループ、及び複数のリソースグループの各々に対応するＣＳＩ構成情報を受信し、少なくとも２つのリソースグループ及びＣＳＩ構成情報は、基地局によって通知され、ＣＳＩ構成情報は、ＣＳＩ候補セットを示すために用いられる。
【０２５２】
２０２において、基地局によって通知され、かつ、複数のリソースグループの各々に対応するＣＳＩ構成情報に従ってＣＳＩ候補セットを決定し、ＣＳＩ候補セットを用いることによってリソースグループにおいてＣＳＩ測定を実行し、測定によって得られたＣＳＩを基地局に報告する。
【０２５３】
図３を参照すると、本発明の実施形態は、第２の情報通知方法を提供し、方法は、以下の複数の段階を含む。
【０２５４】
３０１において、ユーザ機器ＵＥに通知される必要があり、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を決定し、ＣＳＩ構成情報は、ＣＳＩ候補セットを示すために用いられる。
【０２５５】
３０２において、ＣＳＩがＰＵＳＣＨ報告モードに基づいて報告される場合及びＣＳＩがＰＵＣＣＨ報告モードに基づいて報告される場合にそれぞれ対応するＣＳＩ構成情報を、ＵＥに通知する。
【０２５６】
従って、図４を参照すると、本発明の実施形態は、情報報告方法を提供し、方法は、以下の複数の段階を含む。
【０２５７】
４０１において、基地局側によって通知され又は事前に定められ、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を取得し、ＣＳＩ構成情報は、ＣＳＩ候補セットを示すために用いられる。
【０２５８】
４０２において、ＣＳＩ構成情報に従って、対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得し、対応するＣＳＩを基地局に報告する。
【０２５９】
図５を参照すると、本発明の実施形態は、第３の情報通知方法を提供し、方法は、以下の複数の段階を含む。
【０２６０】
５０１において、ユーザ機器ＵＥに通知される必要がある少なくとも２つのリソースグループを決定し、ＵＥに通知される必要があり、かつ、少なくとも２つのリソースグループのＣＳＩがＰＵＳＣＨ報告モードに基づいて報告される場合に対応するＣＳＩ構成情報と、ＵＥに通知される必要があり、かつ、ＰＵＣＣＨ報告モードに基づいて少なくとも２つのリソースグループのＣＳＩが報告される場合に対応するＣＳＩ構成情報とを決定する。
【０２６１】
５０２において、少なくとも２つのリソースグループをＵＥに通知し、ＰＵＳＣＨ報告モードに基づいて少なくとも２つのリソースグループのＣＳＩが報告される場合に対応するＣＳＩ構成情報及びＰＵＣＣＨ報告モードに基づいて少なくとも２つのリソースグループのＣＳＩが報告される場合に対応するＣＳＩ構成情報を、ＵＥに通知する。
【０２６２】
従って、図６を参照すると、本発明の実施形態は、情報報告方法を提供し、方法は、以下の複数の段階を含む。
【０２６３】
６０１において、基地局側によって通知された少なくとも２つのリソースグループを取得し、基地局側によって通知され又は事前に定められ、かつ、ＰＵＳＣＨ報告モードに基づいて少なくとも２つのリソースグループのＣＳＩが報告される場合に対応するＣＳＩ構成情報及び基地局側によって通知され又は事前に定められ、かつ、ＰＵＣＣＨ報告モードに基づいて少なくとも２つのリソースグループのＣＳＩが報告される場合に対応するＣＳＩ構成情報を取得する。
【０２６４】
６０２において、ＰＵＳＣＨ報告モードに基づいて少なくとも２つのリソースグループのＣＳＩが報告される場合に対応するＣＳＩ構成情報に従って対応するＣＳＩ候補セットを個別に決定し、対応するＣＳＩ候補セットを用いることによって、ＰＵＳＣＨ報告モードに基づいて報告される必要がある少なくとも２つのリソースグループのＣＳＩを個別に取得し、及び／又は、ＰＵＣＣＨ報告モードに基づいて少なくとも２つのリソースグループのＣＳＩが報告される場合に対応するＣＳＩ構成情報に従って、対応するＣＳＩ候補セットを個別に決定し、対応するＣＳＩ候補セットを用いることによって、ＰＵＣＣＨ報告モードに基づいて報告される必要がある少なくとも２つのリソースグループのＣＳＩを個別に取得する。
【０２６５】
図７を参照すると、本発明の実施形態は、第４の情報通知方法を提供し、方法は、以下の複数の段階を含む。
【０２６６】
７０１において、ユーザ機器ＵＥに通知される必要がある少なくとも２つのリソースグループを決定し、ユーザ機器ＵＥに通知される必要があり、かつ、データ送信に対応する変調及び符号化方式ＭＣＳ構成情報を決定し、ＭＣＳ構成情報は、ＭＣＳ候補セットを示すために用いられ、ＭＣＳ構成情報は、複数のリソースグループの各々に対応するＭＣＳ構成情報を含む。
【０２６７】
７０２において、少なくとも２つのリソースグループをＵＥに通知し、データ送信に対応するＭＣＳ構成情報をＵＥに通知する。
【０２６８】
第４の情報通知方法は、上述された３つの情報通知方法と組み合わせられてよく、すなわち、第１の方法、第２の方法、又は第３の方法を用いることによってＣＳＩ構成情報の通知が完了した後、第４の情報通知方法は、ＭＣＳ構成情報を通知するためにさらに用いられてよい。
【０２６９】
従って、図８を参照すると、本発明の実施形態は、データ受信方法を提供し、方法は、以下の複数の段階を含む。
【０２７０】
８０１において、基地局によって通知される少なくとも２つのリソースグループを受信し、基地局によって通知され、かつ、データ送信に対応する変調及び符号化方式ＭＣＳ構成情報を受信し、ＭＣＳ構成情報は、ＭＣＳ候補セットを示すために用いられ、ＭＣＳ構成情報は、複数のリソースグループの各々に対応する変調及び符号化方式ＭＣＳ構成情報を含む。
【０２７１】
８０２において、異なるリソースグループに対応するＭＣＳ構成情報に従って対応するＭＣＳ候補セットを決定し、決定されたＭＣＳ候補セットに従ってデータ受信を実行する。
【０２７２】
決定されたＭＣＳ候補セットに従ってデータ受信を実行する段階は、
データ送信リソースが属するリソースグループに対応するＭＣＳ候補セットに従って、リソースグループにおいて送信されたデータを受信する段階、
又は、
データを受信すべく、事前設定されたルールに従って、リソースグループに対応するＭＣＳ候補セットを選択する段階、
又は、
データを受信すべく、事前設定されたルールに従って、データ送信リソースが属するリソースグループに対応するＭＣＳ候補セットを選択する段階、
又は、
大半のデータ送信リソースを含むリソースグループに対応するＭＣＳ候補セットに従ってデータを受信する段階
を含む。
【０２７３】
図９を参照すると、本発明の実施形態は、第１の情報通知デバイスを提供し、デバイスは、前述された複数の方法の少なくとも１つを実装するように構成され、従って、上述された複数の方法の特定の内容が本実施形態に適用可能である。デバイスは、
少なくとも２つのリソースグループ、及び複数のリソースグループの各々に対応するチャネル状態情報ＣＳＩ構成情報を決定するように構成される決定部７１であって、少なくとも２つのリソースグループ及びＣＳＩ構成情報は、ユーザ機器ＵＥに通知される必要があり、ＣＳＩ構成情報は、ＣＳＩ候補セットを示すために用いられる、決定部７１と、
少なくとも２つのリソースグループ、及び複数のリソースグループの各々に対応するＣＳＩ構成情報を、ＵＥに通知するように構成される通知部７２と、
を含む。
【０２７４】
任意に、決定部７１は、少なくとも２つのリソースグループにないリソースに対応するＣＳＩ構成情報を決定するようにさらに構成され、ＣＳＩ構成情報は、ＣＳＩ候補セットを示すために用いられ、
通知部７２は、少なくとも２つのリソースグループにないリソースに対応するＣＳＩ構成情報をＵＥに通知するようにさらに構成される。
【０２７５】
任意に、複数のリソースグループの各々は、少なくともＣＳＩ−ＲＳ及びＣＳＩ処理を含み、
少なくとも２つのリソースグループにおいて、同じＣＳＩ−ＲＳの異なるＣＳＩ処理を含む複数のリソースグループは、同じＭＣＳ構成情報に対応する。
【０２７６】
図１０を参照すると、本発明の実施形態は、第１の情報報告デバイスを提供し、デバイスは、前述された複数の方法の少なくとも１つを実装するように構成され、従って、上述された複数の方法の特定の内容は、本実施形態に適用可能である。デバイスは、
少なくとも２つのリソースグループ、及び複数のリソースグループの各々に対応するＣＳＩ構成情報を受信するように構成される受信部８１であって、少なくとも２つのリソースグループ及びＣＳＩ構成情報は、基地局によって通知され、ＣＳＩ構成情報は、ＣＳＩ候補セットを示すために用いられる、受信部８１と、
基地局によって通知され、かつ、複数のリソースグループの各々に対応するＣＳＩ構成情報に従って、ＣＳＩ候補セットを決定し、ＣＳＩ候補セットを用いることによって、リソースグループにおいてＣＳＩ測定を実行し、測定によって得られたＣＳＩを基地局に報告するように構成される決定部８２と、
を含む。
【０２７７】
任意に、受信部８１は、基地局によって通知され、かつ、少なくとも２つのリソースグループにないリソースに対応するチャネル状態情報ＣＳＩ構成情報を受信するようにさらに構成され、ＣＳＩ構成情報は、ＣＳＩ候補セットを示すために用いられ、
決定部８２は、基地局によって通知され、かつ、少なくとも２つのリソースグループにないリソースに対応するＣＳＩ構成情報に従って、ＣＳＩ候補セットを決定し、ＣＳＩ候補セットを用いることによって、少なくとも２つのリソースグループにないリソースにおいてＣＳＩ測定を実行し、測定によって得られたＣＳＩを基地局に報告するようにさらに構成され、
又は、
決定部は、少なくとも２つのリソースグループにないリソースに対応する事前に定められたＣＳＩ構成情報に従って、ＣＳＩ候補セットを決定し、ＣＳＩ候補セットを用いることによって、少なくとも２つのリソースグループにないリソースにおいてＣＳＩ測定を実行し、測定によって得られたＣＳＩを基地局に報告するようにさらに構成され、
又は、
決定部は、少なくとも２つのリソースグループにないリソースに対応する事前に定められたＣＳＩ候補セットに従って、少なくとも２つのリソースグループにないリソースにおいてＣＳＩ測定を実行し、測定によって得られたＣＳＩを基地局に報告するようにさらに構成される。
【０２７８】
任意に、複数のリソースグループの各々は、少なくともＣＳＩ−ＲＳ及びＣＳＩ処理を含み、
少なくとも２つのリソースグループにおいて、同じＣＳＩ−ＲＳの異なるＣＳＩ処理を含む複数のリソースグループは、同じＣＳＩ構成情報に対応する。
【０２７９】
本発明の実施形態は、第２の情報通知デバイスを提供し、デバイスは、
ユーザ機器ＵＥに通知される必要があり、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を決定するように構成される決定部であって、ＣＳＩ構成情報は、ＣＳＩ候補セットを示すために用いられる、決定部と、
ＣＳＩがＰＵＳＣＨ報告モードに基づいて報告される場合及びＣＳＩがＰＵＣＣＨ報告モードに基づいて報告される場合にそれぞれ対応するＣＳＩ構成情報を、ＵＥに通知するように構成される通知部と、
を含む。
【０２８０】
好ましくは、決定部は、ユーザ機器ＵＥに通知される必要がある少なくとも２つのリソースグループを決定し、少なくとも２つのリソースグループをＵＥに通知するようにさらに構成され、
決定部が、ＵＥに通知される必要があり、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を決定することは、ＵＥに通知される必要があり、かつ、ＰＵＳＣＨ報告モードに基づいて少なくとも２つのリソースグループのＣＳＩが報告される場合に対応するＣＳＩ構成情報と、ＵＥに通知される必要があり、かつ、ＰＵＣＣＨ報告モードに基づいて少なくとも２つのリソースグループのＣＳＩが報告される場合に対応するＣＳＩ構成情報とを決定することを含み、
通知部が、ＣＳＩがＰＵＳＣＨ報告モードに基づいて報告される場合及びＣＳＩがＰＵＣＣＨ報告モードに基づいて報告される場合にそれぞれ対応するＣＳＩ構成情報をＵＥに通知することは、ＰＵＳＣＨ報告モードに基づいて少なくとも２つのリソースグループのＣＳＩが報告される場合に対応するＣＳＩ構成情報及びＰＵＣＣＨ報告モードに基づいて少なくとも２つのリソースグループのＣＳＩが報告される場合に対応するＣＳＩ構成情報をＵＥに通知することを含む。
【０２８１】
図１１を参照すると、本発明の実施形態は、第２の情報報告デバイスを提供し、デバイスは、
基地局側によって通知され又は事前に定められ、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を取得するように構成される取得部９１であって、ＣＳＩ構成情報は、ＣＳＩ候補セットを示すために用いられる、取得部９１と、
ＣＳＩ構成情報に従って対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得し、対応するＣＳＩを基地局に報告するように構成される報告部９２と、
を含む。
【０２８２】
好ましくは、取得部９１は、基地局側によって通知された少なくとも２つのリソースグループを取得するようにさらに構成され、
取得部９１が、基地局側によって通知され又は事前に定められ、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を取得することは、基地局側によって通知され又は事前に定められ、かつ、ＰＵＳＣＨ報告モードに基づいて少なくとも２つのリソースグループのＣＳＩが報告される場合に対応するＣＳＩ構成情報と、基地局側によって通知され又は事前に定められ、かつ、ＰＵＣＣＨ報告モードに基づいて少なくとも２つのリソースグループのＣＳＩが報告される場合に対応するＣＳＩ構成情報とを取得することを含み、
報告部９２が、ＣＳＩ構成情報に従って対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得することは、ＰＵＳＣＨ報告モードに基づいて少なくとも２つのリソースグループのＣＳＩが報告される場合に対応するＣＳＩ構成情報に従って対応するＣＳＩ候補セットを個別に決定し、対応するＣＳＩ候補セットを用いることによって、ＰＵＳＣＨ報告モードに基づいて報告される必要がある少なくとも２つのリソースグループのＣＳＩを個別に取得し、及び／又はＰＵＣＣＨに基づいて少なくとも２つのリソースグループのＣＳＩが報告される場合に対応するＣＳＩ構成情報に従って対応するＣＳＩ候補セットを個別に決定し、対応するＣＳＩ候補セットを用いることによって、ＰＵＣＣＨ報告モードに基づいて報告される必要がある少なくとも２つのリソースグループのＣＳＩを個別に取得することを含む。
【０２８３】
本発明の実施形態は、第３の情報通知デバイスを提供し、デバイスは、
ユーザ機器ＵＥに通知される必要がある少なくとも２つのリソースグループを決定し、ユーザ機器ＵＥに通知される必要があり、かつ、データ送信に対応する変調及び符号化方式ＭＣＳ構成情報を決定するように構成される決定部であって、ＭＣＳ構成情報は、ＭＣＳ候補セットを示すために用いられ、ＭＣＳ構成情報は、複数のリソースグループの各々に対応するＭＣＳ構成情報を含む、決定部と、
少なくとも２つのリソースグループをＵＥに通知し、データ送信に対応するＭＣＳ構成情報をＵＥに通知するように構成される通知部と、
を含む。
【０２８４】
任意に、決定部は、少なくとも２つのリソースグループにないリソースに対応するＭＣＳ構成情報を決定するようにさらに構成され、ＭＣＳ構成情報は、ＭＣＳ候補セットを示すために用いられ、
通知部は、少なくとも２つのリソースグループにないリソースに対応するＭＣＳ構成情報をＵＥに通知するようにさらに構成される。
【０２８５】
任意に、複数のリソースグループの各々は、少なくともＣＳＩ−ＲＳ及びＣＳＩ処理を含み、
少なくとも２つのリソースグループにおいて、同じＣＳＩ−ＲＳの異なるＣＳＩ処理を含む複数のリソースグループは、同じＭＣＳ構成情報に対応する。
【０２８６】
本発明の実施形態は、第１のデータ受信デバイスを提供し、デバイスは、
基地局によって通知される少なくとも２つのリソースグループを受信し、基地局によって通知され、かつ、データ送信に対応する変調及び符号化方式ＭＣＳ構成情報を受信するように構成される受信部であって、ＭＣＳ構成情報は、ＭＣＳ候補セットを示すために用いられ、ＭＣＳ構成情報は、複数のリソースグループの各々に対応する変調及び符号化方式ＭＣＳ構成情報を含む、受信部と、
少なくとも２つのリソースグループに対応するＭＣＳ構成情報に従って対応するＭＣＳ候補セットを決定するように構成される決定部と、
を含み、
受信部は、決定されたＭＣＳ候補セットに従ってデータ受信を実行するようにさらに構成される。
【０２８７】
任意に、受信部は、基地局によって通知され、かつ、少なくとも２つのリソースグループにないリソースに対応するＭＣＳ構成情報を受信するようにさらに構成され、ＭＣＳ構成情報は、ＭＣＳ候補セットを示すために用いられ、
決定部は、基地局によって通知され、かつ、少なくとも２つのリソースグループにないリソースに対応するＭＣＳ構成情報に従って、ＭＣＳ候補セットを決定し、決定されたＭＣＳ候補セットに従って、データ受信を実行するようにさらに構成され、
又は、
決定部は、少なくとも２つのリソースグループにないリソースに対応する事前に定められたＭＣＳ構成情報に従って、ＭＣＳ候補セットを決定し、決定されたＭＣＳ候補セットに従って、データ受信を実行するようにさらに構成され、
又は、
決定部は、少なくとも２つのリソースグループにないリソースに対応する事前に定められたＭＣＳ候補セットに従って、データ受信を実行するようにさらに構成される。
【０２８８】
好ましくは、受信部が、決定されたＭＣＳ候補セットに従ってデータ受信を実行することは、
データ送信リソースが属するリソースグループに対応するＭＣＳ候補セットに従って、リソースグループにおいて送信されたデータを受信すること、
又は、
データを受信すべく、事前設定されたルールに従って、リソースグループに対応するＭＣＳ候補セットを選択すること、
又は、
データを受信すべく、事前設定されたルールに従って、データ送信リソースが属するリソースグループに対応するＭＣＳ候補セットを選択すること、
又は、
大半のデータ送信リソースを含むリソースグループに対応するＭＣＳ候補セットに従ってデータを受信すること
を含む。
【０２８９】
任意に、複数のリソースグループの各々は、少なくともＣＳＩ−ＲＳ及びＣＳＩ処理を含み、
少なくとも２つのリソースグループにおいて、同じＣＳＩ−ＲＳの異なるＣＳＩ処理を含む複数のリソースグループは、同じＭＣＳ構成情報に対応する。
【０２９０】
図１２を参照すると、本発明の実施形態は、第４の情報通知デバイスを提供し、デバイスは、
少なくとも２つのリソースグループ、及び複数のリソースグループの各々に対応するチャネル状態情報ＣＳＩ構成情報を決定するように構成されるプロセッサ１１０１であって、少なくとも２つのリソースグループ及びＣＳＩ構成情報は、ユーザ機器ＵＥに通知される必要があり、ＣＳＩ構成情報は、ＣＳＩ候補セットを示すために用いられる、プロセッサ１１０１と、
少なくとも２つのリソースグループ、及び複数のリソースグループの各々に対応するＣＳＩ構成情報をＵＥに通知するように構成される送信機１１０２と、
を含む。
【０２９１】
任意に、プロセッサ１１０１は、少なくとも２つのリソースグループにないリソースに対応するＣＳＩ構成情報を決定するようにさらに構成され、ＣＳＩ構成情報は、ＣＳＩ候補セットを示すために用いられ、
送信機１１０２は、少なくとも２つのリソースグループ、及び複数のリソースグループの各々に対応するＣＳＩ構成情報をＵＥに通知ようにさらに構成される。
【０２９２】
任意に、複数のリソースグループの各々は、少なくともＣＳＩ−ＲＳ及びＣＳＩ処理を含み、
少なくとも２つのリソースグループにおいて、同じＣＳＩ−ＲＳの異なるＣＳＩ処理を含む複数のリソースグループは、同じＣＳＩ構成情報に対応する。
【０２９３】
図１３を参照すると、本発明の実施形態は、第３の情報報告デバイスを提供し、デバイスは、送受信機１２０１及びプロセッサ１２０２を含む。
【０２９４】
送受信機１２０１は、少なくとも２つのリソースグループ、及び複数のリソースグループの各々に対応するＣＳＩ構成情報を受信し、少なくとも２つのリソースグループ及びＣＳＩ構成情報は、基地局によって通知され、ＣＳＩ構成情報は、ＣＳＩ候補セットを示すために用いられる。
【０２９５】
プロセッサ１２０２は、基地局によって通知され、かつ、複数のリソースグループの各々に対応するＣＳＩ構成情報に従ってＣＳＩ候補セットを決定し、ＣＳＩ候補セットを用いることによって、リソースグループにおいてＣＳＩ測定を実行する。
【０２９６】
送受信機１２０１は、測定によってプロセッサ１２０２によって得られたＣＳＩを、基地局に報告する。
【０２９７】
任意に、送受信機１２０１は、基地局によって通知され、かつ、少なくとも２つのリソースグループにないリソースに対応するチャネル状態情報ＣＳＩ構成情報をさらに受信し、ＣＳＩ構成情報は、ＣＳＩ候補セットを示すために用いられ、
プロセッサ１２０２は、さらに、基地局によって通知され、かつ、少なくとも２つのリソースグループにないリソースに対応するＣＳＩ構成情報に従って、ＣＳＩ候補セットを決定し、ＣＳＩ候補セットを用いることによって、少なくとも２つのリソースグループにないリソースにおいてＣＳＩ測定を実行し、測定によって得られたＣＳＩを基地局に報告するように、送受信機を制御する、
又は、
プロセッサは、さらに、少なくとも２つのリソースグループにないリソースに対応する事前に定められたＣＳＩ構成情報に従って、ＣＳＩ候補セットを決定し、ＣＳＩ候補セットを用いることによって、少なくとも２つのリソースグループにないリソースにおいてＣＳＩ測定を実行し、測定によって得られたＣＳＩを基地局に報告するように、送受信機を制御する、
又は、
プロセッサは、さらに、少なくとも２つのリソースグループにないリソースに対応する事前に定められたＣＳＩ候補セットに従って、少なくとも２つのリソースグループにないリソースにおいてＣＳＩ測定を実行し、測定によって得られたＣＳＩを基地局に報告するように、送受信機を制御する。
【０２９８】
任意に、複数のリソースグループの各々は、少なくともＣＳＩ−ＲＳ及びＣＳＩ処理を含み、
少なくとも２つのリソースグループにおいて、同じＣＳＩ−ＲＳの異なるＣＳＩ処理を含む複数のリソースグループは、同じＣＳＩ構成情報に対応する。
【０２９９】
本発明の実施形態は、第５の情報通知デバイスを提供し、デバイスは、
ユーザ機器ＵＥに通知される必要があり、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を決定するように構成されるプロセッサであって、ＣＳＩ構成情報は、ＣＳＩ候補セットを示すために用いられる、プロセッサと、
ＣＳＩがＰＵＳＣＨ報告モードに基づいて報告される場合及びＣＳＩがＰＵＣＣＨ報告モードに基づいて報告される場合にそれぞれ対応するＣＳＩ構成情報を、ＵＥに通知するように構成される送信機と、
を含む。
【０３００】
好ましくは、プロセッサは、ユーザ機器ＵＥに通知される必要がある少なくとも２つのリソースグループを決定し、少なくとも２つのリソースグループをＵＥに通知するようにさらに構成され、
プロセッサが、ＵＥに通知される必要があり、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を決定することは、ＵＥに通知される必要があり、かつ、ＰＵＳＣＨ報告モードに基づいて少なくとも２つのリソースグループのＣＳＩが報告される場合に対応するＣＳＩ構成情報と、ＵＥに通知される必要があり、かつ、ＰＵＣＣＨ報告モードに基づいて少なくとも２つのリソースグループのＣＳＩが報告される場合に対応するＣＳＩ構成情報とを決定することを含み、
送信機が、ＣＳＩがＰＵＳＣＨ報告モードに基づいて報告される場合及びＣＳＩがＰＵＣＣＨ報告モードに基づいて報告される場合にそれぞれ対応するＣＳＩ構成情報をＵＥに通知することは、ＰＵＳＣＨ報告モードに基づいて少なくとも２つのリソースグループのＣＳＩが報告される場合に対応するＣＳＩ構成情報及びＰＵＣＣＨ報告モードに基づいて少なくとも２つのリソースグループのＣＳＩが報告される場合に対応するＣＳＩ構成情報をＵＥに通知することを含む。
【０３０１】
本発明の実施形態は、第４の情報報告デバイスを提供し、デバイスは、プロセッサ及び送受信機を含む。
【０３０２】
プロセッサは、基地局側によって通知され又は事前に定められ、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を取得し、ＣＳＩ構成情報は、ＣＳＩ候補セットを示すために用いられ、プロセッサは、ＣＳＩ構成情報に従って対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得し、対応するＣＳＩは、送受信機を用いることによって、基地局に報告される。
【０３０３】
送受信機は、基地局側によって通知される少なくとも２つのリソースグループを取得するようにさらに構成され、
プロセッサが、基地局側によって通知され又は事前に定められ、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を取得することは、基地局側によって通知され又は事前に定められ、かつ、ＰＵＳＣＨ報告モードに基づいて少なくとも２つのリソースグループのＣＳＩが報告される場合に対応するＣＳＩ構成情報と、基地局側によって通知され又は事前に定められ、かつ、ＰＵＣＣＨ報告モードに基づいて少なくとも２つのリソースグループのＣＳＩが報告される場合に対応するＣＳＩ構成情報とを取得することを含み、
送受信機が、ＣＳＩ構成情報に従って対応するＣＳＩ候補セットを個別に決定し、対応するＣＳＩ候補セットを用いることによって、ＰＵＳＣＨ報告モードに基づいて報告される必要があるＣＳＩ及び／又はＰＵＣＣＨ報告モードに基づいて報告される必要があるＣＳＩを個別に取得することは、ＰＵＳＣＨ報告モードに基づいて少なくとも２つのリソースグループのＣＳＩが報告される場合に対応するＣＳＩ構成情報に従って対応するＣＳＩ候補セットを個別に決定し、対応するＣＳＩ候補セットを用いることによって、ＰＵＳＣＨ報告モードに基づいて報告される必要がある少なくとも２つのリソースグループのＣＳＩを個別に取得し、及び／又はＰＵＣＣＨに基づいて少なくとも２つのリソースグループのＣＳＩが報告される場合に対応するＣＳＩ構成情報に従って対応するＣＳＩ候補セットを個別に決定し、対応するＣＳＩ候補セットを用いることによって、ＰＵＣＣＨ報告モードに基づいて報告される必要がある少なくとも２つのリソースグループのＣＳＩを個別に取得することを含む。
【０３０４】
本発明の実施形態は、第６の情報通知デバイスを提供し、デバイスは、
ユーザ機器ＵＥに通知される必要がある少なくとも２つのリソースグループを決定し、ユーザ機器ＵＥに通知される必要があり、かつ、データ送信に対応する変調及び符号化方式ＭＣＳ構成情報を決定するように構成されるプロセッサであって、ＭＣＳ構成情報は、ＭＣＳ候補セットを示すために用いられ、ＭＣＳ構成情報は、複数のリソースグループの各々に対応するＭＣＳ構成情報を含む、プロセッサと、
少なくとも２つのリソースグループをＵＥに通知し、データ送信に対応するＭＣＳ構成情報をＵＥに通知するように構成される送信機と、
を含む。
【０３０５】
任意に、プロセッサは、少なくとも２つのリソースグループにないリソースに対応するＭＣＳ構成情報を決定するようにさらに構成され、ＭＣＳ構成情報は、ＭＣＳ候補セットを示すために用いられ、
送信機は、少なくとも２つのリソースグループにないリソースに対応するＭＣＳ構成情報をＵＥに通知するようにさらに構成される。
【０３０６】
任意に、複数のリソースグループの各々は、少なくともＣＳＩ−ＲＳ及びＣＳＩ処理を含み、
少なくとも２つのリソースグループにおいて、同じＣＳＩ−ＲＳの異なるＣＳＩ処理を含む複数のリソースグループは、同じＭＣＳ構成情報に対応する。
【０３０７】
本発明の実施形態は、第２のデータ受信デバイスを提供し、デバイスは、
基地局によって通知される少なくとも２つのリソースグループを受信し、基地局によって通知され、かつ、データ送信に対応する変調及び符号化方式ＭＣＳ構成情報を受信するように構成される受信機であって、ＭＣＳ構成情報は、ＭＣＳ候補セットを示すために用いられ、ＭＣＳ構成情報は、複数のリソースグループの各々に対応する変調及び符号化方式ＭＣＳ構成情報を含む、受信機と、
少なくとも２つのリソースグループに対応するＭＣＳ構成情報に従って、対応するＭＣＳ候補セットを決定するように構成されるプロセッサと、
を含み、
受信機は、決定されたＭＣＳ候補セットに従って、データ受信を実行するようにさらに構成される。
【０３０８】
任意に、受信機は、基地局によって通知され、かつ、少なくとも２つのリソースグループにないリソースに対応するＭＣＳ構成情報を受信するようにさらに構成され、ＭＣＳ構成情報は、ＭＣＳ候補セットを示すために用いられ、
プロセッサは、基地局によって通知され、かつ、少なくとも２つのリソースグループにないリソースに対応するＭＣＳ構成情報に従って、ＭＣＳ候補セットを決定し、決定されたＭＣＳ候補セットに従って、データ受信を実行するようにさらに構成され、
又は、
プロセッサは、少なくとも２つのリソースグループにないリソースに対応する事前に定められたＭＣＳ構成情報に従って、ＭＣＳ候補セットを決定し、決定されたＭＣＳ候補セットに従って、データ受信を実行するようにさらに構成され、
又は、
プロセッサは、少なくとも２つのリソースグループにないリソースに対応する事前に定められたＭＣＳ候補セットに従って、データ受信を実行するようにさらに構成される。
【０３０９】
好ましくは、受信機が、決定されたＭＣＳ候補セットに従ってデータ受信を実行することは、
データ送信リソースが属するリソースグループに対応するＭＣＳ候補セットに従って、リソースグループにおいて送信されたデータを受信すること、
又は、
データを受信すべく、事前設定されたルールに従って、リソースグループに対応するＭＣＳ候補セットを選択すること、
又は、
データを受信すべく、事前設定されたルールに従って、データ送信リソースが属するリソースグループに対応するＭＣＳ候補セットを選択すること、
又は、
大半のデータ送信リソースを含むリソースグループに対応するＭＣＳ候補セットに従ってデータを受信すること
を含む。
【０３１０】
任意に、複数のリソースグループの各々は、少なくともＣＳＩ−ＲＳ及びＣＳＩ処理を含み、
少なくとも２つのリソースグループにおいて、同じＣＳＩ−ＲＳの異なるＣＳＩ処理を含む複数のリソースグループは、同じＭＣＳ構成情報に対応する。
【０３１１】
当業者であれば、本発明の複数の実施形態が、方法、システム、又はコンピュータプログラム製品として提供されてよいことを理解するであろう。従って、本発明は、ハードウェアのみの実施形態、ソフトウェアのみの実施形態、又はソフトウェア及びハードウェアを組み合わせた実施形態の形式を用いてよい。さらに、本発明は、コンピュータ利用可能プログラムコードを含む１つ又は複数のコンピュータ利用可能ストレージメディア（限定されるものではないが、ディスクメモリ、ＣＤ−ＲＯＭ、光メモリ等を含む）において実装されるコンピュータプログラム製品の形式を用いてよい。
【０３１２】
本発明は、本発明の複数の実施形態に係る方法、デバイス（システム）、及びコンピュータプログラム製品のフローチャート及び／又はブロック図を参照して説明される。複数のコンピュータプログラム命令は、複数のフローチャート及び／又は複数のブロック図における各処理及び／又は各ブロックと、複数のフローチャート及び／又は複数のブロック図における処理及び／又はブロックの組み合わせを実装するために利用可能であることを理解されたい。これらのコンピュータプログラム命令は、汎用コンピュータ、専用コンピュータ、組み込みプロセッサ、又はマシンを生成する任意の他のプログラム可能なデータ処理デバイスのプロセッサに提供されてよく、これにより、コンピュータ又は任意の他のプログラム可能なデータ処理デバイスのプロセッサによって実行される複数の命令は、複数のフローチャートにおける１つ又は複数の処理の特定の機能及び／又は複数のブロック図における１つ又は複数のブロックを実装する装置を生成する。
【０３１３】
これらのコンピュータプログラム命令は、コンピュータ又は任意の他のプログラム可能なデータ処理デバイスに、具体的な態様で動作するように命令することが可能なコンピュータ可読メモリに格納されてもよく、これにより、コンピュータ可読メモリに格納されたこれらの命令が、命令装置を含む中間物を生成する。命令装置は、複数のフローチャートにおける１つ又は複数の処理及び／又は複数のブロック図における１つ又は複数のブロックの特定の機能を実装する。
【０３１４】
これらのコンピュータプログラム命令は、コンピュータ又は他のプログラム可能なデータ処理デバイスにロードされてもよく、これにより、一連のオペレーション及び段階がコンピュータ又は他のプログラム可能デバイスにおいて実行され、これにより、コンピュータ実装処理を生成する。従って、コンピュータ又は他のプログラム可能デバイスにおいて実行される複数の命令は、複数のフローチャートにおける１つ又は複数の処理及び／又は複数のブロック図における１つ又は複数のブロックの特定の機能を実装する複数の段階を提供する。
【０３１５】
いくつかの好ましい本発明の複数の実施形態が説明されたが、当業者であれば、基本的な発明の概念を一度認識すれば、これらの実施形態に変更及び変形を加えることが可能である。従って、以下の特許請求の範囲は、複数の好ましい実施形態及び本発明の範囲内に属する全ての変更及び変形を包含するものとして解釈されるべきであることを意図するものである。
【０３１６】
明らかに、当業者であれば、本発明の複数の実施形態の趣旨及び範囲から逸脱することなく、本発明の複数の実施形態に様々な変形及びバリエーションを加えることが可能である。本発明は、これらの変形及びバリエーションが以下の特許請求の範囲及びこれらの均等技術によって定義される保護範囲に含まれるとすれば、これらを包含するものとして意図される。
［項目１］
情報通知方法であって、
少なくとも２つのリソースグループ、及び複数の上記リソースグループの各々に対応するチャネル状態情報ＣＳＩ構成情報を決定する段階であって、上記少なくとも２つのリソースグループ及び上記ＣＳＩ構成情報は、ユーザ機器ＵＥに通知される必要があり、上記ＣＳＩ構成情報は、ＣＳＩ候補セットを示すために用いられる、段階と、
上記少なくとも２つのリソースグループ、及び複数の上記リソースグループの各々に対応する上記ＣＳＩ構成情報を、上記ＵＥに通知する段階と、
を備える方法。
［項目２］
上記方法は、
上記少なくとも２つのリソースグループにないリソースに対応するＣＳＩ構成情報を決定する段階であって、上記ＣＳＩ構成情報は、ＣＳＩ候補セットを示すために用いられる、段階と、
上記少なくとも２つのリソースグループにない上記リソースに対応する上記ＣＳＩ構成情報を上記ＵＥに通知する段階と、
をさらに備える、項目１に記載の方法。
［項目３］
上記ＣＳＩは、チャネル品質指標情報ＣＱＩ、プリコーディングマトリックス指標ＰＭＩ、及びランク指標ＲＩのうち１つ又は複数を含む、項目１または２に記載の方法。
［項目４］
上記ＣＳＩ候補セットは、事前設定されたＣＳＩテーブル又は事前設定されたＣＳＩテーブルにおけるエントリ候補からなるセットを含む、項目１から３のいずれか１項に記載の方法。
［項目５］
上記ＣＳＩ構成情報は、ビットマップシグナリングであり、上記事前設定されたＣＳＩテーブルにおける上記エントリ候補からなる上記セットは、上記ビットマップシグナリングを用いることによって表される、項目４に記載の方法。
［項目６］
上記ＣＳＩテーブルは、ＣＱＩテーブル、ＰＭＩテーブル、又はＲＩテーブルである、項目４または５に記載の方法。
［項目７］
複数の上記リソースグループの各々は、サブフレーム、サブフレームセット、リソースブロック、リソースブロックセット、キャリア、キャリアセット、チャネル状態情報ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目１から６のいずれか１項に記載の方法。
［項目８］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＣＳＩ構成情報に対応する、項目７に記載の方法。
［項目９］
情報報告方法であって、
少なくとも２つのリソースグループ、及び複数の上記リソースグループの各々に対応するＣＳＩ構成情報を受信する段階であって、上記少なくとも２つのリソースグループ及び上記ＣＳＩ構成情報は、基地局によって通知され、上記ＣＳＩ構成情報は、ＣＳＩ候補セットを示すために用いられる、段階と、
上記基地局によって通知され、かつ、複数の上記リソースグループの各々に対応する上記ＣＳＩ構成情報に従って、上記ＣＳＩ候補セットを決定し、上記ＣＳＩ候補セットを用いることによって、上記リソースグループにおいてＣＳＩ測定を実行し、測定によって得られたＣＳＩを上記基地局に報告する段階と、
を備える、方法。
［項目１０］
上記方法は、
上記基地局によって通知され、かつ、上記少なくとも２つのリソースグループにないリソースに対応するチャネル状態情報ＣＳＩ構成情報を受信する段階であって、上記ＣＳＩ構成情報は、ＣＳＩ候補セットを示すために用いられる、段階と、
上記基地局によって通知され、かつ、上記少なくとも２つのリソースグループにない上記リソースに対応する上記ＣＳＩ構成情報に従って、上記ＣＳＩ候補セットを決定し、上記ＣＳＩ候補セットを用いることによって、上記少なくとも２つのリソースグループにない上記リソースにおいてＣＳＩ測定を実行し、測定によって得られたＣＳＩを上記基地局に報告する段階、
又は、
上記少なくとも２つのリソースグループにないリソースに対応する事前に定められたＣＳＩ構成情報に従って、上記ＣＳＩ候補セットを決定し、上記ＣＳＩ候補セットを用いることによって、上記少なくとも２つのリソースグループにない上記リソースにおいてＣＳＩ測定を実行し、測定によって得られたＣＳＩを上記基地局に報告する段階、
又は、
上記少なくとも２つのリソースグループにない上記リソースに対応する事前に定められたＣＳＩ候補セットに従って、上記少なくとも２つのリソースグループにないリソースにおいてＣＳＩ測定を実行し、測定によって得られたＣＳＩを上記基地局に報告する段階と、
をさらに備える、項目９に記載の方法。
［項目１１］
上記ＣＳＩは、チャネル品質指標情報ＣＱＩ、プリコーディングマトリックス指標ＰＭＩ、及びランク指標ＲＩのうち１つ又は複数を含む、項目９または１０に記載の方法。
［項目１２］
上記ＣＳＩ候補セットは、事前設定されたＣＳＩテーブル又は事前設定されたＣＳＩテーブルにおけるエントリ候補からなるセットを含む、項目９から１１のいずれか１項に記載の方法。
［項目１３］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目１２に記載の方法。
［項目１４］
上記ＣＳＩテーブルは、ＣＱＩテーブル、ＰＭＩテーブル、又はＲＩテーブルである、項目１２または１３に記載の方法。
［項目１５］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目９から１４のいずれか１項に記載の方法。
［項目１６］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＣＳＩ構成情報に対応する、項目１５に記載の方法。
［項目１７］
情報通知方法であって、
ユーザ機器ＵＥに通知される必要があり、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を決定する段階であって、上記ＣＳＩ構成情報は、ＣＳＩ候補セットを示すために用いられる、段階と、
上記ＣＳＩが上記ＰＵＳＣＨ報告モードに基づいて報告される場合及び上記ＣＳＩが上記ＰＵＣＣＨ報告モードに基づいて報告される場合にそれぞれ対応する上記ＣＳＩ構成情報を、上記ＵＥに通知する段階と、
を備える方法。
［項目１８］
上記方法は、
上記ユーザ機器ＵＥに通知される必要がある少なくとも２つのリソースグループを決定し、上記少なくとも２つのリソースグループを上記ＵＥに通知する段階をさらに備え、
ＵＥに通知される必要があり、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を決定する上記段階は、上記ＵＥに通知される必要があり、かつ、上記ＰＵＳＣＨ報告モードに基づいて上記少なくとも２つのリソースグループのＣＳＩが報告される場合に対応するＣＳＩ構成情報と、上記ＵＥに通知される必要があり、かつ、上記ＰＵＣＣＨ報告モードに基づいて上記少なくとも２つのリソースグループのＣＳＩが報告される場合に対応するＣＳＩ構成情報とを決定する段階を含み、
上記ＰＵＳＣＨ報告モードに基づいて上記ＣＳＩが報告される上記場合及び上記ＰＵＣＣＨ報告モードに基づいて上記ＣＳＩが報告される上記場合にそれぞれ対応する上記ＣＳＩ構成情報を上記ＵＥに通知する上記段階は、上記ＰＵＳＣＨ報告モードに基づいて上記少なくとも２つのリソースグループの上記ＣＳＩが報告される上記場合に対応する上記ＣＳＩ構成情報及び上記ＰＵＣＣＨ報告モードに基づいて上記少なくとも２つのリソースグループの上記ＣＳＩが報告される上記場合に対応する上記ＣＳＩ構成情報を、上記ＵＥに通知する段階を含む、項目１７に記載の方法。
［項目１９］
上記ＣＳＩは、チャネル品質指標情報ＣＱＩ、プリコーディングマトリックス指標ＰＭＩ、及びランク指標ＲＩのうち１つ又は複数を含む、項目１７または１８に記載の方法。
［項目２０］
上記ＣＳＩ候補セットは、事前設定されたＣＳＩテーブル又は事前設定されたＣＳＩテーブルにおけるエントリ候補からなるセットを含む、項目１７から１９のいずれか１項に記載の方法。
［項目２１］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目２０に記載の方法。
［項目２２］
上記ＣＳＩテーブルは、ＣＱＩテーブル、ＰＭＩテーブル、又はＲＩテーブルである、項目２０または２１に記載の方法。
［項目２３］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目１７から２２のいずれか１項に記載の方法。
［項目２４］
情報報告方法であって、
基地局側によって通知され又は事前に定められ、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を取得する段階であって、上記ＣＳＩ構成情報は、ＣＳＩ候補セットを示すために用いられる、段階と、
上記ＣＳＩ構成情報に従って対応するＣＳＩ候補セットを個別に決定し、上記対応するＣＳＩ候補セットを用いることによって、上記ＰＵＳＣＨ報告モードに基づいて報告される必要があるＣＳＩ及び／又は上記ＰＵＣＣＨ報告モードに基づいて報告される必要があるＣＳＩを個別に取得し、上記対応するＣＳＩを基地局に報告する段階と、
を備える方法。
［項目２５］
上記方法は、上記基地局側によって通知された少なくとも２つのリソースグループを取得する段階をさらに備え、基地局側によって通知され又は事前に定められ、かつ、ＰＵＳＣＨ報告モードに基づいてＣＳＩが報告される場合及びＰＵＣＣＨ報告モードに基づいてＣＳＩが報告される場合にそれぞれ対応するＣＳＩ構成情報を取得する上記段階は、上記基地局側によって通知され又は事前に定められ、かつ、上記ＰＵＳＣＨ報告モードに基づいて上記少なくとも２つのリソースグループのＣＳＩが報告される場合に対応するＣＳＩ構成情報と、上記基地局側によって通知され又は事前に定められ、かつ、上記ＰＵＣＣＨ報告モードに基づいて上記少なくとも２つのリソースグループのＣＳＩが報告される場合に対応するＣＳＩ構成情報とを取得する段階を含み、
上記ＣＳＩ構成情報に従って対応するＣＳＩ候補セットを個別に決定し、上記対応するＣＳＩ候補セットを用いることによって、上記ＰＵＳＣＨ報告モードに基づいて報告される必要があるＣＳＩ及び／又は上記ＰＵＣＣＨ報告モードに基づいて報告される必要があるＣＳＩを個別に取得する段階は、上記少なくとも２つのリソースグループのＣＳＩが上記ＰＵＳＣＨ報告モードに基づいて報告される上記場合に対応する上記ＣＳＩ構成情報に従って上記対応するＣＳＩ候補セットを個別に決定し、上記対応するＣＳＩ候補セットを用いることによって、上記ＰＵＳＣＨ報告モードに基づいて報告される必要がある上記少なくとも２つのリソースグループの上記ＣＳＩを個別に取得する段階と、及び／又はＰＵＣＣＨに基づいて上記少なくとも２つのリソースグループの上記ＣＳＩが報告される上記場合に対応する上記ＣＳＩ構成情報に従って上記対応するＣＳＩ候補セットを個別に決定し、上記対応するＣＳＩ候補セットを用いることによって、上記ＰＵＣＣＨ報告モードに基づいて報告される必要がある上記少なくとも２つのリソースグループのＣＳＩを個別に取得する段階と、を含む、項目２４に記載の方法。
［項目２６］
上記ＣＳＩは、チャネル品質指標情報ＣＱＩ、プリコーディングマトリックス指標ＰＭＩ、及びランク指標ＲＩのうち１つ又は複数を含む、項目２４または２５に記載の方法。
［項目２７］
上記ＣＳＩ候補セットは、事前設定されたＣＳＩテーブル又は事前設定されたＣＳＩテーブルにおけるエントリ候補からなるセットを含む、項目２４から２６のいずれか１項に記載の方法。
［項目２８］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目２７に記載の方法。
［項目２９］
上記ＣＳＩテーブルは、ＣＱＩテーブル、ＰＭＩテーブル、又はＲＩテーブルである、項目２７または２８に記載の方法。
［項目３０］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目２４から２９のいずれか１項に記載の方法。
［項目３１］
情報通知方法であって、
ユーザ機器ＵＥに通知される必要がある少なくとも２つのリソースグループを決定し、上記ユーザ機器ＵＥに通知される必要があり、かつ、データ送信に対応する変調及び符号化方式ＭＣＳ構成情報を決定する段階であって、上記ＭＣＳ構成情報は、ＭＣＳ候補セットを示すために用いられ、上記ＭＣＳ構成情報は、複数の上記リソースグループの各々に対応するＭＣＳ構成情報を含む、段階と、
上記少なくとも２つのリソースグループを上記ＵＥに通知し、上記データ送信に対応する上記ＭＣＳ構成情報を上記ＵＥに通知する段階と、
を備える、方法。
［項目３２］
上記方法は、
上記少なくとも２つのリソースグループにないリソースに対応するＭＣＳ構成情報を決定する段階であって、上記ＭＣＳ構成情報は、ＭＣＳ候補セットを示すために用いられる、段階と、
上記少なくとも２つのリソースグループにない上記リソースに対応する上記ＭＣＳ構成情報を上記ＵＥに通知する段階と、
をさらに備える、項目３１に記載の方法。
［項目３３］
上記ＭＣＳ候補セットは、事前設定されたＭＣＳテーブル又は事前設定されたＭＣＳテーブルにおけるエントリ候補からなるセットを含む、項目３１または３２に記載の方法。
［項目３４］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目３１から３３のいずれか１項に記載の方法。
［項目３５］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＭＣＳ構成情報に対応する、項目３１から３４のいずれか１項に記載の方法。
［項目３６］
データ受信方法であって、
基地局によって通知される少なくとも２つのリソースグループを受信し、上記基地局によって通知され、かつ、データ送信に対応する変調及び符号化方式ＭＣＳ構成情報を受信する段階であって、上記ＭＣＳ構成情報は、ＭＣＳ候補セットを示すために用いられ、上記ＭＣＳ構成情報は、複数の上記リソースグループの各々に対応する変調及び符号化方式ＭＣＳ構成情報を含む、段階と、
上記少なくとも２つのリソースグループに対応するＭＣＳ構成情報に従って対応するＭＣＳ候補セットを決定し、決定された上記ＭＣＳ候補セットに従ってデータ受信を実行する段階と、
を備える方法。
［項目３７］
上記方法は、
上記基地局によって通知され、かつ、上記少なくとも２つのリソースグループにないリソースに対応するＭＣＳ構成情報を受信する段階であって、上記ＭＣＳ構成情報は、ＭＣＳ候補セットを示すために用いられる、段階と、
上記基地局によって通知され、かつ、上記少なくとも２つのリソースグループにない上記リソースに対応する上記ＭＣＳ構成情報に従って、上記ＭＣＳ候補セットを決定し、決定された上記ＭＣＳ候補セットに従ってデータ受信を実行する段階、
又は、
上記少なくとも２つのリソースグループにないリソースに対応する事前に定められたＭＣＳ構成情報に従って、上記ＭＣＳ候補セットを決定し、決定された上記ＭＣＳ候補セットに従って、データ受信を実行する段階、
又は、
上記少なくとも２つのリソースグループにないリソースに対応する事前に定められたＭＣＳ候補セットに従って、データ受信を実行する段階と、
をさらに備える、項目３６に記載の方法。
［項目３８］
上記ＭＣＳ候補セットは、事前設定されたＭＣＳテーブル又は事前設定されたＭＣＳテーブルにおけるエントリ候補からなるセットを含む、項目３６または３７に記載の方法。
［項目３９］
決定された上記ＭＣＳ候補セットに従ってデータ受信を実行する上記段階は、
データ送信リソースが属するリソースグループに対応するＭＣＳ候補セットに従って、上記リソースグループにおいて送信されたデータを受信する段階、
又は、
データを受信すべく、事前設定されたルールに従って、リソースグループに対応するＭＣＳ候補セットを選択する段階、
又は、
データを受信すべく、事前設定されたルールに従って、データ送信リソースが属するリソースグループに対応するＭＣＳ候補セットを選択する段階、
又は、
大半のデータ送信リソースを含むリソースグループに対応するＭＣＳ候補セットに従ってデータを受信する段階
を含む、項目３６に記載の方法。
［項目４０］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＭＣＳ構成情報に対応する、項目３６から３９のいずれか１項に記載の方法。
［項目４１］
情報通知デバイスであって、
少なくとも２つのリソースグループ、及び複数の上記リソースグループの各々に対応するチャネル状態情報ＣＳＩ構成情報を決定するように構成される決定部であって、上記少なくとも２つのリソースグループ及び上記ＣＳＩ構成情報は、ユーザ機器ＵＥに通知される必要があり、上記ＣＳＩ構成情報は、ＣＳＩ候補セットを示すために用いられる、決定部と、
上記少なくとも２つのリソースグループ、及び複数の上記リソースグループの各々に対応する上記ＣＳＩ構成情報を、上記ＵＥに通知するように構成される通知部と、
を備えるデバイス。
［項目４２］
上記決定部は、上記少なくとも２つのリソースグループにないリソースに対応するＣＳＩ構成情報を決定するようにさらに構成され、上記ＣＳＩ構成情報は、ＣＳＩ候補セットを示すために用いられ、
上記通知部は、上記少なくとも２つのリソースグループにない上記リソースに対応する上記ＣＳＩ構成情報を上記ＵＥに通知するようにさらに構成される、項目４１に記載のデバイス。
［項目４３］
上記ＣＳＩは、チャネル品質指標情報ＣＱＩ、プリコーディングマトリックス指標ＰＭＩ、及びランク指標ＲＩのうち１つ又は複数を含む、項目４１または４２に記載のデバイス。
［項目４４］
上記ＣＳＩ候補セットは、事前設定されたＣＳＩテーブル又は事前設定されたＣＳＩテーブルにおけるエントリ候補からなるセットを含む、項目４１から４３のいずれか１項に記載のデバイス。
［項目４５］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目４４に記載のデバイス。
［項目４６］
上記ＣＳＩテーブルは、ＣＱＩテーブル、ＰＭＩテーブル、又はＲＩテーブルである、項目４４または４５に記載のデバイス。
［項目４７］
複数の上記リソースグループの各々は、サブフレーム、サブフレームセット、リソースブロック、リソースブロックセット、キャリア、キャリアセット、チャネル状態情報ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目４１から４６のいずれか１項に記載のデバイス。
［項目４８］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＣＳＩ構成情報に対応する、項目４１から４７のいずれか１項に記載のデバイス。
［項目４９］
情報報告デバイスであって、
少なくとも２つのリソースグループ、及び複数の上記リソースグループの各々に対応するＣＳＩ構成情報を受信するように構成される受信部であって、上記少なくとも２つのリソースグループ及び上記ＣＳＩ構成情報は、基地局によって通知され、上記ＣＳＩ構成情報は、ＣＳＩ候補セットを示すために用いられる、受信部と、
上記基地局によって通知され、かつ、複数の上記リソースグループの各々に対応する上記ＣＳＩ構成情報に従って、上記ＣＳＩ候補セットを決定し、上記ＣＳＩ候補セットを用いることによって、上記リソースグループにおいてＣＳＩ測定を実行し、測定によって得られたＣＳＩを上記基地局に報告するように構成される決定部と、
を備えるデバイス。
［項目５０］
上記受信部は、上記基地局によって通知され、かつ、上記少なくとも２つのリソースグループにないリソースに対応するチャネル状態情報ＣＳＩ構成情報を受信するようにさらに構成され、上記ＣＳＩ構成情報は、ＣＳＩ候補セットを示すために用いられ、
上記決定部は、上記基地局によって通知され、かつ、上記少なくとも２つのリソースグループにない上記リソースに対応する上記ＣＳＩ構成情報に従って、上記ＣＳＩ候補セットを決定し、上記ＣＳＩ候補セットを用いることによって、上記少なくとも２つのリソースグループにない上記リソースにおいてＣＳＩ測定を実行し、測定によって得られたＣＳＩを上記基地局に報告するようにさらに構成され、
又は、
上記決定部は、上記少なくとも２つのリソースグループにないリソースに対応する事前に定められたＣＳＩ構成情報に従って、上記ＣＳＩ候補セットを決定し、上記ＣＳＩ候補セットを用いることによって、上記少なくとも２つのリソースグループにない上記リソースにおいてＣＳＩ測定を実行し、測定によって得られたＣＳＩを上記基地局に報告するようにさらに構成され、
又は、
上記決定部は、上記少なくとも２つのリソースグループにない上記リソースに対応する事前に定められたＣＳＩ候補セットに従って、上記少なくとも２つのリソースグループにないリソースにおいてＣＳＩ測定を実行し、測定によって得られたＣＳＩを上記基地局に報告するようにさらに構成される、項目４９に記載のデバイス。
［項目５１］
上記ＣＳＩは、チャネル品質指標情報ＣＱＩ、プリコーディングマトリックス指標ＰＭＩ、及びランク指標ＲＩのうち１つ又は複数を含む、項目４９または５０に記載のデバイス。
［項目５２］
上記ＣＳＩ候補セットは、事前設定されたＣＳＩテーブル又は事前設定されたＣＳＩテーブルにおけるエントリ候補からなるセットを含む、項目４９から５１のいずれか１項に記載のデバイス。
［項目５３］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目５２に記載のデバイス。
［項目５４］
上記ＣＳＩテーブルは、ＣＱＩテーブル、ＰＭＩテーブル、又はＲＩテーブルである、項目５２または５３に記載のデバイス。
［項目５５］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目４９から５４のいずれか１項に記載のデバイス。
［項目５６］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＣＳＩ構成情報に対応する、項目５５に記載の方法。
［項目５７］
情報通知デバイスであって、
ユーザ機器ＵＥに通知される必要があり、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を決定するように構成される決定部であって、上記ＣＳＩ構成情報は、ＣＳＩ候補セットを示すために用いられる、決定部と、
上記ＣＳＩが上記ＰＵＳＣＨ報告モードに基づいて報告される上記場合及び上記ＣＳＩが上記ＰＵＣＣＨ報告モードに基づいて報告される上記場合にそれぞれ対応する上記ＣＳＩ構成情報を、上記ＵＥに通知するように構成される通知部と、
を備えるデバイス。
［項目５８］
上記決定部は、上記ユーザ機器ＵＥに通知される必要がある少なくとも２つのリソースグループを決定し、上記少なくとも２つのリソースグループを上記ＵＥに通知するようにさらに構成され、
上記決定部が、上記ＵＥに通知される必要があり、かつ、上記ＰＵＳＣＨ報告モードに基づいて上記ＣＳＩが報告される上記場合及び上記ＰＵＣＣＨ報告モードに基づいて上記ＣＳＩが報告される上記場合にそれぞれ対応する上記ＣＳＩ構成情報を決定することは、上記ＵＥに通知される必要があり、かつ、上記ＰＵＳＣＨ報告モードに基づいて上記少なくとも２つのリソースグループのＣＳＩが報告される場合に対応するＣＳＩ構成情報と、上記ＵＥに通知される必要があり、かつ、上記ＰＵＣＣＨ報告モードに基づいて上記少なくとも２つのリソースグループのＣＳＩが報告される場合に対応するＣＳＩ構成情報とを決定することを含み、
上記通知部が、上記ＰＵＳＣＨ報告モードに基づいて上記ＣＳＩが報告される上記場合及び上記ＰＵＣＣＨ報告モードに基づいて上記ＣＳＩが報告される上記場合にそれぞれ対応する上記ＣＳＩ構成情報を上記ＵＥに通知することは、上記ＰＵＳＣＨ報告モードに基づいて上記少なくとも２つのリソースグループの上記ＣＳＩが報告される上記場合に対応する上記ＣＳＩ構成情報及び上記ＰＵＣＣＨ報告モードに基づいて上記少なくとも２つのリソースグループの上記ＣＳＩが報告される上記場合に対応する上記ＣＳＩ構成情報を上記ＵＥに通知することを含む、項目５７に記載のデバイス。
［項目５９］
上記ＣＳＩは、チャネル品質指標情報ＣＱＩ、プリコーディングマトリックス指標ＰＭＩ、及びランク指標ＲＩのうち１つ又は複数を含む、項目５７または５８に記載のデバイス。
［項目６０］
上記ＣＳＩ候補セットは、事前設定されたＣＳＩテーブル又は事前設定されたＣＳＩテーブルにおけるエントリ候補からなるセットを含む、項目５７から５９のいずれか１項に記載のデバイス。
［項目６１］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目６０に記載のデバイス。
［項目６２］
上記ＣＳＩテーブルは、ＣＱＩテーブル、ＰＭＩテーブル、又はＲＩテーブルである、項目６０または６１に記載のデバイス。
［項目６３］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目５７から６２のいずれか１項に記載のデバイス。
［項目６４］
情報報告デバイスであって、
基地局側によって通知され又は事前に定められ、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を取得するように構成される取得部であって、上記ＣＳＩ構成情報は、ＣＳＩ候補セットを示すために用いられる、取得部と、
上記ＣＳＩ構成情報に従って対応するＣＳＩ候補セットを個別に決定し、上記対応するＣＳＩ候補セットを用いることによって、上記ＰＵＳＣＨ報告モードに基づいて報告される必要があるＣＳＩ及び／又は上記ＰＵＣＣＨ報告モードに基づいて報告される必要があるＣＳＩを個別に取得し、上記対応するＣＳＩを基地局に報告するように構成される報告部と、
を備えるデバイス。
［項目６５］
上記取得部は、上記基地局側によって通知される少なくとも２つのリソースグループを取得するようにさらに構成され、
上記取得部が、上記基地局側によって通知され又は事前に定められ、かつ、上記ＰＵＳＣＨ報告モードに基づいて上記ＣＳＩが報告される上記場合及び上記ＰＵＣＣＨ報告モードに基づいて上記ＣＳＩが報告される上記場合にそれぞれ対応する上記ＣＳＩ構成情報を取得することは、上記基地局側によって通知され又は事前に定められ、かつ、上記ＰＵＳＣＨ報告モードに基づいて上記少なくとも２つのリソースグループのＣＳＩが報告される場合に対応するＣＳＩ構成情報と、上記基地局側によって通知され又は事前に定められ、かつ、上記ＰＵＣＣＨ報告モードに基づいて上記少なくとも２つのリソースグループのＣＳＩが報告される場合に対応するＣＳＩ構成情報とを取得することを含み、
上記報告部が、上記ＣＳＩ構成情報に従って対応するＣＳＩ候補セットを個別に決定し、上記対応するＣＳＩ候補セットを用いることによって、上記ＰＵＳＣＨ報告モードに基づいて報告される必要がある上記ＣＳＩ及び／又は上記ＰＵＣＣＨ報告モードに基づいて報告される必要がある上記ＣＳＩを個別に取得することは、上記ＰＵＳＣＨ報告モードに基づいて上記少なくとも２つのリソースグループの上記ＣＳＩが報告される上記場合に対応する上記ＣＳＩ構成情報に従って上記対応するＣＳＩ候補セットを個別に決定し、上記対応するＣＳＩ候補セットを用いることによって、上記ＰＵＳＣＨ報告モードに基づいて報告される必要がある上記少なくとも２つのリソースグループのＣＳＩを個別に取得し、及び／又はＰＵＣＣＨに基づいて上記少なくとも２つのリソースグループの上記ＣＳＩが報告される上記場合に対応する上記ＣＳＩ構成情報に従って上記対応するＣＳＩ候補セットを個別に決定し、上記対応するＣＳＩ候補セットを用いることによって、上記ＰＵＣＣＨ報告モードに基づいて報告される必要がある上記少なくとも２つのリソースグループのＣＳＩを個別に取得することを含む、項目６４に記載のデバイス。
［項目６６］
上記ＣＳＩは、チャネル品質指標情報ＣＱＩ、プリコーディングマトリックス指標ＰＭＩ、及びランク指標ＲＩのうち１つ又は複数を含む、項目６４または６５に記載のデバイス。
［項目６７］
上記ＣＳＩ候補セットは、事前設定されたＣＳＩテーブル又は事前設定されたＣＳＩテーブルにおけるエントリ候補からなるセットを含む、項目６４から６６のいずれか１項に記載のデバイス。
［項目６８］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目６７に記載のデバイス。
［項目６９］
上記ＣＳＩテーブルは、ＣＱＩテーブル、ＰＭＩテーブル、又はＲＩテーブルである、項目６７または６８に記載のデバイス。
［項目７０］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目６４から６９のいずれか１項に記載のデバイス。
［項目７１］
情報通知デバイスであって、
ユーザ機器ＵＥに通知される必要がある少なくとも２つのリソースグループを決定し、上記ユーザ機器ＵＥに通知される必要があり、かつ、データ送信に対応する変調及び符号化方式ＭＣＳ構成情報を決定するように構成される決定部であって、上記ＭＣＳ構成情報は、ＭＣＳ候補セットを示すために用いられ、ＭＣＳ構成情報は、複数の上記リソースグループの各々に対応するＭＣＳ構成情報を含む、決定部と、
上記少なくとも２つのリソースグループを上記ＵＥに通知し、データ送信に対応する上記ＭＣＳ構成情報を上記ＵＥに通知するように構成される通知部と、
を備えるデバイス。
［項目７２］
上記決定部は、上記少なくとも２つのリソースグループにないリソースに対応するＭＣＳ構成情報を決定するようにさらに構成され、上記ＭＣＳ構成情報は、ＭＣＳ候補セットを示すために用いられ、
上記通知部は、上記少なくとも２つのリソースグループにない上記リソースに対応する上記ＭＣＳ構成情報を上記ＵＥに通知するようにさらに構成される、項目７０に記載のデバイス。
［項目７３］
上記ＭＣＳ候補セットは、事前設定されたＭＣＳテーブル又は事前設定されたＭＣＳテーブルにおけるエントリ候補からなるセットを含む、項目７１または７２に記載のデバイス。
［項目７４］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目７１から７３のいずれか１項に記載のデバイス。
［項目７５］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＭＣＳ構成情報に対応する、項目７１から７４のいずれか１項に記載のデバイス。
［項目７６］
データ受信デバイスであって、
基地局によって通知される少なくとも２つのリソースグループを受信し、上記基地局によって通知され、かつ、データ送信に対応する変調及び符号化方式ＭＣＳ構成情報を受信するように構成される受信部であって、上記ＭＣＳ構成情報は、ＭＣＳ候補セットを示すために用いられ、上記ＭＣＳ構成情報は、複数の上記リソースグループの各々に対応する変調及び符号化方式ＭＣＳ構成情報を含む、受信部と、
上記少なくとも２つのリソースグループに対応するＭＣＳ構成情報に従って対応するＭＣＳ候補セットを決定するように構成される決定部と、
を備え、
上記受信部は、決定された上記ＭＣＳ候補セットに従ってデータ受信を実行するようにさらに構成される、デバイス。
［項目７７］
上記受信部は、上記基地局によって通知され、かつ、上記少なくとも２つのリソースグループにないリソースに対応するＭＣＳ構成情報を受信するようにさらに構成され、上記ＭＣＳ構成情報は、ＭＣＳ候補セットを示すために用いられ、
上記決定部は、上記基地局によって通知され、かつ、上記少なくとも２つのリソースグループにない上記リソースに対応する上記ＭＣＳ構成情報に従って、上記ＭＣＳ候補セットを決定し、決定された上記ＭＣＳ候補セットに従ってデータ受信を実行するようにさらに構成され、
又は、
上記決定部は、上記少なくとも２つのリソースグループにないリソースに対応する事前に定められたＭＣＳ構成情報に従って、上記ＭＣＳ候補セットを決定し、決定された上記ＭＣＳ候補セットに従って、データ受信を実行するようにさらに構成され、
又は、
上記決定部は、上記少なくとも２つのリソースグループにないリソースに対応する事前に定められたＭＣＳ候補セットに従って、データ受信を実行するようにさらに構成される、項目７６に記載のデバイス。
［項目７８］
上記ＭＣＳ候補セットは、事前設定されたＭＣＳテーブル又は事前設定されたＭＣＳテーブルにおけるエントリ候補からなるセットを含む、項目７６または７７に記載のデバイス。
［項目７９］
上記受信部が、決定された上記ＭＣＳ候補セットに従って上記データ受信を実行することは、
データ送信リソースが属するリソースグループに対応するＭＣＳ候補セットに従って、上記リソースグループにおいて送信されたデータを受信すること、
又は、
データを受信すべく、事前設定されたルールに従って、リソースグループに対応するＭＣＳ候補セットを選択すること、
又は、
データを受信すべく、事前設定されたルールに従って、データ送信リソースが属するリソースグループに対応するＭＣＳ候補セットを選択すること、
又は、
大半のデータ送信リソースを含むリソースグループに対応するＭＣＳ候補セットに従ってデータを受信すること
を含む、項目７８に記載のデバイス。
［項目８０］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＭＣＳ構成情報に対応する、項目７６から７９のいずれか１項に記載のデバイス。
［項目８１］
情報通知デバイスであって、
少なくとも２つのリソースグループ、及び複数の上記リソースグループの各々に対応するチャネル状態情報ＣＳＩ構成情報を決定するように構成されるプロセッサであって、上記少なくとも２つのリソースグループ及び上記ＣＳＩ構成情報は、ユーザ機器ＵＥに通知される必要があり、上記ＣＳＩ構成情報は、ＣＳＩ候補セットを示すために用いられる、プロセッサと、
上記少なくとも２つのリソースグループ、及び複数の上記リソースグループの各々に対応する上記ＣＳＩ構成情報を、上記ＵＥに通知するように構成される送信機と、
を備えるデバイス。
［項目８２］
上記プロセッサは、上記少なくとも２つのリソースグループにないリソースに対応するＣＳＩ構成情報を決定するようにさらに構成され、上記ＣＳＩ構成情報は、ＣＳＩ候補セットを示すために用いられ、
上記送信機は、上記少なくとも２つのリソースグループ、及び複数の上記リソースグループの各々に対応する上記ＣＳＩ構成情報を、上記ＵＥに通知するようにさらに構成される、項目８１に記載のデバイス。
［項目８３］
上記ＣＳＩは、チャネル品質指標情報ＣＱＩ、プリコーディングマトリックス指標ＰＭＩ、及びランク指標ＲＩのうち１つ又は複数を含む、項目８１または８２に記載のデバイス。
［項目８４］
上記ＣＳＩ候補セットは、事前設定されたＣＳＩテーブル又は事前設定されたＣＳＩテーブルにおけるエントリ候補からなるセットを含む、項目８１から８３のいずれか１項に記載のデバイス。
［項目８５］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目８４に記載のデバイス。
［項目８６］
上記ＣＳＩテーブルは、ＣＱＩテーブル、ＰＭＩテーブル、又はＲＩテーブルである、項目８４または８５に記載のデバイス。
［項目８７］
複数の上記リソースグループの各々は、サブフレーム、サブフレームセット、リソースブロック、リソースブロックセット、キャリア、キャリアセット、チャネル状態情報ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目８１から８６のいずれか１項に記載のデバイス。
［項目８８］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＣＳＩ構成情報に対応する、項目８７に記載のデバイス。
［項目８９］
送受信機及びプロセッサを備える情報報告デバイスであって、
上記送受信機は、少なくとも２つのリソースグループ、及び複数の上記リソースグループの各々に対応するＣＳＩ構成情報を受信し、上記少なくとも２つのリソースグループ及び上記ＣＳＩ構成情報は、基地局によって通知され、上記ＣＳＩ構成情報は、ＣＳＩ候補セットを示すために用いられ、
上記プロセッサは、上記基地局によって通知され、かつ、複数の上記リソースグループの各々に対応する上記ＣＳＩ構成情報に従って、上記ＣＳＩ候補セットを決定し、上記ＣＳＩ候補セットを用いることによって、上記リソースグループにおいてＣＳＩ測定を実行し、
上記送受信機は、測定によって上記プロセッサによって得られたＣＳＩを上記基地局に報告する、デバイス。
［項目９０］
上記送受信機は、上記基地局によって通知され、かつ、上記少なくとも２つのリソースグループにないリソースに対応するチャネル状態情報ＣＳＩ構成情報をさらに受信し、上記ＣＳＩ構成情報は、ＣＳＩ候補セットを示すために用いられ、
上記プロセッサは、さらに、上記基地局によって通知され、かつ、上記少なくとも２つのリソースグループにない上記リソースに対応する上記ＣＳＩ構成情報に従って、上記ＣＳＩ候補セットを決定し、上記ＣＳＩ候補セットを用いることによって、上記少なくとも２つのリソースグループにない上記リソースにおいてＣＳＩ測定を実行し、測定によって得られたＣＳＩを上記基地局に報告するよう上記送受信機を制御する、
又は、
上記プロセッサは、さらに上記少なくとも２つのリソースグループにないリソースに対応する事前に定められたＣＳＩ構成情報に従って、上記ＣＳＩ候補セットを決定し、上記ＣＳＩ候補セットを用いることによって、上記少なくとも２つのリソースグループにない上記リソースにおいてＣＳＩ測定を実行し、測定によって得られたＣＳＩを上記基地局に報告するよう上記送受信機を制御する、
又は、
上記プロセッサは、さらに、上記少なくとも２つのリソースグループにない上記リソースに対応する事前に定められたＣＳＩ候補セットに従って、上記少なくとも２つのリソースグループにないリソースにおいてＣＳＩ測定を実行し、測定によって得られたＣＳＩを上記基地局に報告するように上記送受信機を制御する、項目８９に記載のデバイス。
［項目９１］
上記ＣＳＩは、チャネル品質指標情報ＣＱＩ、プリコーディングマトリックス指標ＰＭＩ、及びランク指標ＲＩのうち１つ又は複数を含む、項目８９または９０に記載のデバイス。
［項目９２］
上記ＣＳＩ候補セットは、事前設定されたＣＳＩテーブル又は事前設定されたＣＳＩテーブルにおけるエントリ候補からなるセットを含む、項目８９から９１のいずれか１項に記載のデバイス。
［項目９３］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目９２に記載のデバイス。
［項目９４］
上記ＣＳＩテーブルは、ＣＱＩテーブル、ＰＭＩテーブル、又はＲＩテーブルである、項目９２または９３に記載のデバイス。
［項目９５］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目８９から９４のいずれか１項に記載のデバイス。
［項目９６］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＣＳＩ構成情報に対応する、項目９５に記載のデバイス。
［項目９７］
情報通知デバイスであって、
ユーザ機器ＵＥに通知される必要があり、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を決定するように構成されるプロセッサであって、上記ＣＳＩ構成情報は、ＣＳＩ候補セットを示すために用いられる、プロセッサと、
上記ＣＳＩが上記ＰＵＳＣＨ報告モードに基づいて報告される上記場合及び上記ＣＳＩが上記ＰＵＣＣＨ報告モードに基づいて報告される上記場合にそれぞれ対応する上記ＣＳＩ構成情報を、上記ＵＥに通知するように構成される送信機と、
を備えるデバイス。
［項目９８］
上記プロセッサは、上記ユーザ機器ＵＥに通知される必要がある少なくとも２つのリソースグループを決定し、上記少なくとも２つのリソースグループを上記ＵＥに通知するようにさらに構成され、
上記プロセッサが、上記ＵＥに通知される必要があり、かつ、上記ＰＵＳＣＨ報告モードに基づいて上記ＣＳＩが報告される上記場合及び上記ＰＵＣＣＨ報告モードに基づいて上記ＣＳＩが報告される上記場合にそれぞれ対応する上記ＣＳＩ構成情報を決定することは、上記ＵＥに通知される必要があり、かつ、上記ＰＵＳＣＨ報告モードに基づいて上記少なくとも２つのリソースグループのＣＳＩが報告される場合に対応するＣＳＩ構成情報と、上記ＵＥに通知される必要があり、かつ、上記ＰＵＣＣＨ報告モードに基づいて上記少なくとも２つのリソースグループのＣＳＩが報告される場合に対応するＣＳＩ構成情報とを決定することを含み、
上記送信機が、上記ＰＵＳＣＨ報告モードに基づいて上記ＣＳＩが報告される上記場合及び上記ＰＵＣＣＨ報告モードに基づいて上記ＣＳＩが報告される上記場合にそれぞれ対応する上記ＣＳＩ構成情報を上記ＵＥに通知することは、上記ＰＵＳＣＨ報告モードに基づいて上記少なくとも２つのリソースグループの上記ＣＳＩが報告される上記場合に対応する上記ＣＳＩ構成情報及び上記ＰＵＣＣＨ報告モードに基づいて上記少なくとも２つのリソースグループの上記ＣＳＩが報告される上記場合に対応する上記ＣＳＩ構成情報を上記ＵＥに通知することを含む、項目９７に記載のデバイス。
［項目９９］
上記ＣＳＩは、チャネル品質指標情報ＣＱＩ、プリコーディングマトリックス指標ＰＭＩ、及びランク指標ＲＩのうち１つ又は複数を含む、項目９７または９８に記載のデバイス。
［項目１００］
上記ＣＳＩ候補セットは、事前設定されたＣＳＩテーブル又は事前設定されたＣＳＩテーブルにおけるエントリ候補からなるセットを含む、項目９７から９９のいずれか１項に記載のデバイス。
［項目１０１］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目１００に記載のデバイス。
［項目１０２］
上記ＣＳＩテーブルは、ＣＱＩテーブル、ＰＭＩテーブル、又はＲＩテーブルである、項目１００または１０１に記載のデバイス。
［項目１０３］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち１つ又は複数を含む、項目９７から１０２のいずれか１項に記載のデバイス。
［項目１０４］
プロセッサ及び送受信機を備える情報報告デバイスであって、
上記プロセッサは、基地局側によって通知され又は事前に定められ、かつ、物理アップリンク共有チャネルＰＵＳＣＨ報告モードに基づいてＣＳＩが報告される場合及び物理アップリンク制御チャネルＰＵＣＣＨ報告モードに基づいてＣＳＩが報告される場合にそれぞれ対応するＣＳＩ構成情報を取得し、上記ＣＳＩ構成情報は、ＣＳＩ候補セットを示すために用いられ、上記プロセッサは、上記ＣＳＩ構成情報に従って対応するＣＳＩ候補セットを個別に決定し、上記対応するＣＳＩ候補セットを用いることによって、上記ＰＵＳＣＨ報告モードに基づいて報告される必要があるＣＳＩ及び／又は上記ＰＵＣＣＨ報告モードに基づいて報告される必要があるＣＳＩを個別に取得し、上記対応するＣＳＩは、上記送受信機を用いることによって、基地局に報告される、デバイス。
［項目１０５］
上記送受信機は、上記基地局側によって通知される少なくとも２つのリソースグループを取得するようにさらに構成され、
上記プロセッサが、上記基地局側によって通知され又は事前に定められ、かつ、上記ＰＵＳＣＨ報告モードに基づいて上記ＣＳＩが報告される上記場合及び上記ＰＵＣＣＨ報告モードに基づいて上記ＣＳＩが報告される上記場合にそれぞれ対応する上記ＣＳＩ構成情報を取得することは、上記基地局側によって通知され又は事前に定められ、かつ、上記ＰＵＳＣＨ報告モードに基づいて上記少なくとも２つのリソースグループのＣＳＩが報告される場合に対応するＣＳＩ構成情報と、上記基地局側によって通知され又は事前に定められ、かつ、上記ＰＵＣＣＨ報告モードに基づいて上記少なくとも２つのリソースグループのＣＳＩが報告される場合に対応するＣＳＩ構成情報とを取得することを含み、
上記送受信機が、上記ＣＳＩ構成情報に従って上記対応するＣＳＩ候補セットを個別に決定し、上記対応するＣＳＩ候補セットを用いることによって、上記ＰＵＳＣＨ報告モードに基づいて報告される必要がある上記ＣＳＩ及び／又は上記ＰＵＣＣＨ報告モードに基づいて報告される必要がある上記ＣＳＩを個別に取得することは、上記ＰＵＳＣＨ報告モードに基づいて上記少なくとも２つのリソースグループの上記ＣＳＩが報告される上記場合に対応する上記ＣＳＩ構成情報に従って上記対応するＣＳＩ候補セットを個別に決定し、上記対応するＣＳＩ候補セットを用いることによって、上記ＰＵＳＣＨ報告モードに基づいて報告される必要がある上記少なくとも２つのリソースグループのＣＳＩを個別に取得し、及び／又はＰＵＣＣＨに基づいて上記少なくとも２つのリソースグループの上記ＣＳＩが報告される上記場合に対応する上記ＣＳＩ構成情報に従って上記対応するＣＳＩ候補セットを個別に決定し、上記対応するＣＳＩ候補セットを用いることによって、上記ＰＵＣＣＨ報告モードに基づいて報告される必要がある上記少なくとも２つのリソースグループのＣＳＩを個別に取得することを含む、項目１０４に記載のデバイス。
［項目１０６］
上記ＣＳＩは、チャネル品質指標情報ＣＱＩ、プリコーディングマトリックス指標ＰＭＩ、及びランク指標ＲＩのうち１つ又は複数を含む、項目１０４または１０５に記載のデバイス。
［項目１０７］
上記ＣＳＩ候補セットは、事前設定されたＣＳＩテーブル又は事前設定されたＣＳＩテーブルにおけるエントリ候補からなるセットを含む、項目１０４から１０６のいずれか１項に記載のデバイス。
［項目１０８］
上記ＣＳＩ構成情報は、ビットマップシグナリングであり、上記事前設定されたＣＳＩテーブルにおけるエントリ候補からなる上記セットは、上記ビットマップシグナリングを用いることによって表される、項目１０７に記載のデバイス。
［項目１０９］
上記ＣＳＩテーブルは、ＣＱＩテーブル、ＰＭＩテーブル、又はＲＩテーブルである、項目１０７または１０８に記載のデバイス。
［項目１１０］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つを含む、項目１０４から１０９のいずれか１項に記載のデバイス。
［項目１１１］
情報通知デバイスであって、
ユーザ機器ＵＥに通知される必要がある少なくとも２つのリソースグループを決定し、上記ユーザ機器ＵＥに通知される必要があり、かつ、データ送信に対応する変調及び符号化方式ＭＣＳ構成情報を決定するように構成されるプロセッサであって、上記ＭＣＳ構成情報は、ＭＣＳ候補セットを示すために用いられ、ＭＣＳ構成情報は、複数の上記リソースグループの各々に対応するＭＣＳ構成情報を含む、プロセッサと、
上記少なくとも２つのリソースグループを上記ＵＥに通知し、上記データ送信に対応する上記ＭＣＳ構成情報を上記ＵＥに通知するように構成される送信機と、
を備えるデバイス。
［項目１１２］
上記プロセッサは、上記少なくとも２つのリソースグループにないリソースに対応するＭＣＳ構成情報を決定するようにさらに構成され、上記ＭＣＳ構成情報は、ＭＣＳ候補セットを示すために用いられ、
上記送信機は、上記少なくとも２つのリソースグループにない上記リソースに対応する上記ＭＣＳ構成情報を上記ＵＥに通知するようにさらに構成される、項目１１１に記載のデバイス。
［項目１１３］
上記ＭＣＳ候補セットは、事前設定されたＭＣＳテーブル又は事前設定されたＭＣＳテーブルにおけるエントリ候補からなるセットを含む、項目１１１または１１２に記載のデバイス。
［項目１１４］
複数の上記リソースグループの各々は、サブフレーム、サブフレームセット、リソースブロック、リソースブロックセット、キャリア、キャリアセット、ＣＳＩ処理、ＣＳＩ処理セット、チャネル状態情報基準信号ＣＳＩ−ＲＳ、ＣＳＩ−ＲＳセット、アクセスポイント、及びアクセスポイントセットのリソースのうちの１つ又はこれらのうち少なくとも２つの任意の組み合わせを含む、項目１１１から１１３のいずれか１項に記載のデバイス。
［項目１１５］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＭＣＳ構成情報に対応する、項目１１１から１１４のいずれか１項に記載のデバイス。
［項目１１６］
データ受信デバイスであって、
基地局によって通知される少なくとも２つのリソースグループを受信し、上記基地局によって通知され、かつ、データ送信に対応する変調及び符号化方式ＭＣＳ構成情報を受信するように構成される受信機であって、上記ＭＣＳ構成情報は、ＭＣＳ候補セットを示すために用いられ、上記ＭＣＳ構成情報は、複数の上記リソースグループの各々に対応する変調及び符号化方式ＭＣＳ構成情報を含む、受信機と、
上記少なくとも２つのリソースグループに対応するＭＣＳ構成情報に従って対応するＭＣＳ候補セットを決定するように構成されるプロセッサと、
を備え、
上記受信機は、決定された上記ＭＣＳ候補セットに従ってデータ受信を実行するようにさらに構成される、デバイス。
［項目１１７］
上記受信機は、上記基地局によって通知され、かつ、上記少なくとも２つのリソースグループにないリソースに対応するＭＣＳ構成情報を受信するようにさらに構成され、上記ＭＣＳ構成情報は、ＭＣＳ候補セットを示すために用いられ、
上記プロセッサは、上記基地局によって通知され、かつ、上記少なくとも２つのリソースグループにない上記リソースに対応する上記ＭＣＳ構成情報に従って、上記ＭＣＳ候補セットを決定し、決定された上記ＭＣＳ候補セットに従ってデータ受信を実行するようにさらに構成され、
又は、
上記プロセッサは、上記少なくとも２つのリソースグループにないリソースに対応する事前に定められたＭＣＳ構成情報に従って、上記ＭＣＳ候補セットを決定し、決定された上記ＭＣＳ候補セットに従って、データ受信を実行するようにさらに構成され、
又は、
上記プロセッサは、上記少なくとも２つのリソースグループにないリソースに対応する事前に定められたＭＣＳ候補セットに従って、データ受信を実行するようにさらに構成される、項目９４に記載のデバイス。
［項目１１８］
上記ＭＣＳ候補セットは、事前設定されたＭＣＳテーブル又は事前設定されたＭＣＳテーブルにおけるエントリ候補からなるセットを含む、項目１１６または１１７に記載のデバイス。
［項目１１９］
上記受信機が、決定された上記ＭＣＳ候補セットに従って上記データ受信を実行することは、
データ送信リソースが属するリソースグループに対応するＭＣＳ候補セットに従って、上記リソースグループにおいて送信されたデータを受信すること、
又は、
データを受信すべく、事前設定されたルールに従って、リソースグループに対応するＭＣＳ候補セットを選択すること、
又は、
データを受信すべく、事前設定されたルールに従って、データ送信リソースが属するリソースグループに対応するＭＣＳ候補セットを選択すること、
又は、
大半のデータ送信リソースを含むリソースグループに対応するＭＣＳ候補セットに従ってデータを受信すること
を含む、項目１１６に記載のデバイス。
［項目１２０］
複数の上記リソースグループの各々は、少なくともＣＳＩ−ＲＳ及びＣＳＩ処理を含み、
上記少なくとも２つのリソースグループにおいて、同じＣＳＩ−ＲＳの異なるＣＳＩ処理を含む複数のリソースグループは、同じＭＣＳ構成情報に対応する、項目１１６から１１９のいずれか１項に記載のデバイス。
【図１】
2018137800.tif 000013
【図２】
2018137800.tif 000014
【図３】
2018137800.tif 000015
【図４】
2018137800.tif 000016
【図５】
2018137800.tif 000017
【図６】
2018137800.tif 000018
【図７】
2018137800.tif 000019
【図８】
2018137800.tif 000020
【図９】
2018137800.tif 000021
【図１０】
2018137800.tif 000022
【図１１】
2018137800.tif 000023
【図１２】
2018137800.tif 000024
【図１３】
2018137800.tif 000025
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
情報通知装置であって、
実行可能命令を含むストレージ媒体と、
プロセッサと
を備え、
前記実行可能命令は、前記プロセッサによって実行された場合に、前記プロセッサに、
少なくとも２つのリソースグループ、及び前記リソースグループの各々に対応するチャネル状態情報構成情報（ＣＳＩ構成情報）を決定させ、前記リソースグループの各々はサブフレームセット及び／又はキャリアを有し、前記ＣＳＩ構成情報は、ＣＳＩ候補セットを示すために用いられ、前記ＣＳＩ候補セットは、少なくとも２つの事前設定されたＣＳＩテーブルのうちの一つであり、前記少なくとも２つの事前設定されたＣＳＩテーブルの少なくとも１つは、２５６直交振幅変調方式（ＱＡＭ）を含み、前記少なくとも２つの事前設定されたＣＳＩテーブルは、異なる範囲の信号対雑音比を含み、
前記少なくとも２つのリソースグループ、及び前記リソースグループの各々に対応する前記ＣＳＩ構成情報を、ユーザ機器（ＵＥ）に通知させる、
装置。
【請求項２】
前記ＣＳＩテーブルは、ＣＱＩテーブルである、請求項１に記載の装置。
【請求項３】
前記リソースグループの各々は、少なくともＣＳＩ−ＲＳ及びＣＳＩ処理を含み、
前記少なくとも２つのリソースグループにおいて、同じＣＳＩ−ＲＳの異なるＣＳＩ処理を含む前記リソースグループは、同じＣＳＩ構成情報に対応する、請求項１又は２に記載の装置。
【請求項４】
前記実行可能命令は、前記プロセッサによって実行された場合に、さらに前記プロセッサに、
前記少なくとも２つのリソースグループにないリソースに対応するＣＳＩ構成情報を決定させ、前記ＣＳＩ構成情報は、ＣＳＩ候補セットを示すために用いられ、
前記少なくとも２つのリソースグループにない前記リソースに対応する前記ＣＳＩ構成情報を前記ＵＥに通知させる、
請求項１から３のいずれか１項に記載の装置。
【請求項５】
情報報告装置であって、
実行可能命令を含むストレージ媒体と、
プロセッサと
を備え、
前記実行可能命令は、前記プロセッサによって実行された場合に、前記プロセッサに、
少なくとも２つのリソースグループ、及び前記リソースグループの各々に対応する第１のチャネル状態情報構成情報（第１のＣＳＩ構成情報）の通知を受信させ、前記第１のＣＳＩ構成情報は、第１のＣＳＩ候補セットを示すために用いられ、
前記リソースグループの各々に対応する前記第１のＣＳＩ構成情報に従って、前記少なくとも２つのリソースグループの各々のための前記ＣＳＩ候補セットを決定させ、前記リソースグループの各々は、サブフレームセット及び／又はキャリアを有し、前記第１のＣＳＩ候補セットは、少なくとも２つの事前設定されたＣＳＩテーブルのうちの一つであり、前記少なくとも２つの事前設定されたＣＳＩテーブルの少なくとも１つは、２５６直交振幅変調方式（ＱＡＭ）を含み、前記少なくとも２つの事前設定されたＣＳＩテーブルは、異なる範囲の信号対雑音比を含み、
対応するＣＳＩ候補セットを用いることによって、前記少なくとも２つのリソースグループの各々における測定によって得られたＣＳＩを基地局に報告させる、
装置。
【請求項６】
前記ＣＳＩテーブルは、ＣＱＩテーブルである、請求項５に記載の装置。
【請求項７】
前記リソースグループの各々は、少なくともＣＳＩ−ＲＳ及びＣＳＩ処理を含み、
前記少なくとも２つのリソースグループにおいて、同じＣＳＩ−ＲＳの異なるＣＳＩ処理を含むリソースグループは、同じＣＳＩ構成情報に対応する、請求項５又は６に記載の装置。
【請求項８】
前記実行可能命令は、前記プロセッサによって実行された場合に、前記プロセッサに、
前記少なくとも２つのリソースグループにないリソースに対応する第２のＣＳＩ構成情報を受信させ、前記第２のＣＳＩ構成情報は、第２のＣＳＩ候補セットを示すために用いられ、
前記少なくとも２つのリソースグループにない前記リソースに対応する前記第２のＣＳＩ構成情報に従って、第２のＣＳＩ候補セットを決定させ、前記第２のＣＳＩ候補セットを用いることによって、前記少なくとも２つのリソースグループにない前記リソースにおいてＣＳＩ測定を実行させ、測定によって得られたＣＳＩを前記基地局に報告させるか、
前記少なくとも２つのリソースグループにないリソースに対応する事前に定められたＣＳＩ構成情報に従って、第２のＣＳＩ候補セットを決定させ、前記第２のＣＳＩ候補セットを用いることによって、前記少なくとも２つのリソースグループにない前記リソースにおいてＣＳＩ測定を実行させ、測定によって得られたＣＳＩを前記基地局に報告させるか、
又は、
前記少なくとも２つのリソースグループにない前記リソースに対応する事前に定められたＣＳＩ候補セットに従って、前記少なくとも２つのリソースグループにないリソースにおいて、ＣＳＩ測定を実行させ、測定によって得られたＣＳＩを前記基地局に報告させる、
請求項５から７のいずれか１項に記載の装置。
【請求項９】
プログラムが記録されるコンピュータ可読記録媒体であって、
前記プログラムは、実行された場合に、コンピュータが、
少なくとも２つのリソースグループ、及び前記リソースグループの各々に対応するチャネル状態情報構成情報（ＣＳＩ構成情報）を決定する段階であって、前記リソースグループの各々はサブフレームセット及び／又はキャリアを有し、前記ＣＳＩ構成情報は、ＣＳＩ候補セットを示すために用いられ、前記ＣＳＩ候補セットは、少なくとも２つの事前設定されたＣＳＩテーブルのうちの一つであり、前記少なくとも２つの事前設定されたＣＳＩテーブルの少なくとも１つは、２５６直交振幅変調方式（ＱＡＭ）を含み、前記少なくとも２つの事前設定されたＣＳＩテーブルは、異なる範囲の信号対雑音比を含む、段階と、
前記少なくとも２つのリソースグループ、及び前記リソースグループの各々に対応する前記ＣＳＩ構成情報を、ユーザ機器（ＵＥ）に通知する段階と、
を実行できるようにする、コンピュータ可読記録媒体。
【請求項１０】
前記ＣＳＩテーブルは、ＣＱＩテーブルである、請求項９に記載のコンピュータ可読記録媒体。
【請求項１１】
前記リソースグループの各々は、少なくともＣＳＩ−ＲＳ及びＣＳＩ処理を含み、
前記少なくとも２つのリソースグループにおいて、同じＣＳＩ−ＲＳの異なるＣＳＩ処理を含むリソースグループは、同じＣＳＩ構成情報に対応する、請求項９又は１０に記載のコンピュータ可読記録媒体。
【請求項１２】
前記プログラムは、実行された場合に、さらに前記コンピュータが、
前記少なくとも２つのリソースグループにないリソースに対応するＣＳＩ構成情報を決定する段階であって、前記ＣＳＩ構成情報は、ＣＳＩ候補セットを示すために用いられる、段階と、
前記少なくとも２つのリソースグループにない前記リソースに対応する前記ＣＳＩ構成情報を前記ＵＥに通知する段階と、
を実行できるようにする、請求項９から１１のいずれか１項に記載のコンピュータ可読記録媒体。
【請求項１３】
プログラムが記録されるコンピュータ可読記録媒体であって、
前記プログラムは、実行された場合に、コンピュータが、
少なくとも２つのリソースグループ、及び前記リソースグループの各々に対応する第１のチャネル状態情報構成情報（第１のＣＳＩ構成情報）の通知を、基地局から受信する段階であって、前記第１のＣＳＩ構成情報は、第１のＣＳＩ候補セットを示すために用いられる、段階と、
前記リソースグループの各々に対応する前記第１のＣＳＩ構成情報に従って、前記少なくとも２つのリソースグループの各々のための前記ＣＳＩ候補セットを決定する段階であって、前記リソースグループの各々はサブフレームセット及び／又はキャリアを有し、前記第１のＣＳＩ候補セットは、少なくとも２つの事前設定されたＣＳＩテーブルのうちの一つであり、前記少なくとも２つの事前設定されたＣＳＩテーブルの少なくとも１つは、２５６直交振幅変調方式（ＱＡＭ）を含み、前記少なくとも２つの事前設定されたＣＳＩテーブルは、異なる範囲の信号対雑音比を含む、段階と、
対応するＣＳＩ候補セットを用いることによって、前記少なくとも２つのリソースグループの各々における測定によって得られたＣＳＩを基地局に報告する段階と
を実行できるようにする、コンピュータ可読記録媒体。
【請求項１４】
前記ＣＳＩテーブルは、ＣＱＩテーブルである、請求項１３に記載のコンピュータ可読記録媒体。
【請求項１５】
前記リソースグループの各々は、少なくともＣＳＩ−ＲＳ及びＣＳＩ処理を含み、
前記少なくとも２つのリソースグループにおいて、同じＣＳＩ−ＲＳの異なるＣＳＩ処理を含むリソースグループは、同じＣＳＩ構成情報に対応する、請求項１３又は１４に記載のコンピュータ可読記録媒体。
【請求項１６】
前記プログラムは、実行された場合に、さらに前記コンピュータが、
前記基地局によって通知され、かつ、前記少なくとも２つのリソースグループにないリソースに対応する第２のＣＳＩ構成情報を受信する段階であって、前記第２のＣＳＩ構成情報は、第２のＣＳＩ候補セットを示すために用いられる、段階と、
前記少なくとも２つのリソースグループにない前記リソースに対応する前記第２のＣＳＩ構成情報に従って、前記第２のＣＳＩ候補セットを決定し、前記第２のＣＳＩ候補セットを用いることによって、前記少なくとも２つのリソースグループにない前記リソースにおいてＣＳＩ測定を実行し、測定によって得られたＣＳＩを前記基地局に報告する段階、
前記少なくとも２つのリソースグループにないリソースに対応する事前に定められたＣＳＩ構成情報に従って、第２のＣＳＩ候補セットを決定し、前記第２のＣＳＩ候補セットを用いることによって、前記少なくとも２つのリソースグループにない前記リソースにおいてＣＳＩ測定を実行し、測定によって得られたＣＳＩを前記基地局に報告する段階、
又は、
前記少なくとも２つのリソースグループにない前記リソースに対応する事前に定められたＣＳＩ候補セットに従って、前記少なくとも２つのリソースグループにないリソースにおいてＣＳＩ測定を実行し、測定によって得られたＣＳＩを前記基地局に報告する段階と、
を実行できるようにする、請求項１３から１５のいずれか１項に記載のコンピュータ可読記録媒体。